(57)【特許請求の範囲】
【請求項１】
複数のアップリンク搬送波を使用するアップリンク送信のためにワイヤレス送受信ユニット（ＷＴＲＵ）において実施される方法であって、
２以上のアップリンク搬送波が有効にされることを決定するステップと、
第１のアップリンク搬送波が再送信に関連し、かつ、第２のアップリンク搬送波が送信に関連することを決定するステップと、
最大許容送信電力から、各アップリンク搬送波のための専用物理制御チャネル（ＤＰＣＣＨ）電力に要する電力、高速専用物理制御チャネル（ＨＳ−ＤＰＣＣＨ）電力に要する電力、前記再送のためのＥ−ＤＣＨ専用物理データチャネル（Ｅ−ＤＰＤＣＨ）に要する電力、および、前記再送信のためのＥ−ＤＣＨ専用物理制御チャネル（Ｅ−ＤＰＣＣＨ）に要する電力を減算することにより、前記送信に関連する残余電力を計算するステップと、
前記第２のアップリンク搬送波のためのＥ−ＤＰＣＣＨに要する電力を前記残余電力から減算すること、および
前記第２のアップリンク搬送波に関連するＤＰＣＣＨに要する電力で、前記残余電力から前記減算された結果を割ること、
により、正規化された残余電力のマージンを計算するステップと、
Ｅ−ＤＣＨの送信フォーマットの組み合わせ（Ｅ−ＴＦＣ）の選択を実行するステップと
を含むことを特徴とする方法。
【請求項２】
前記残余電力からの前記減算は前記結果を提供することを特徴とする請求項１に記載の方法。
【請求項３】
前記正規化された残余電力のマージンは、Ｅ−ＴＦＣ候補のための前記Ｅ−ＴＦＣ選択に利用可能であることを特徴とする請求項１に記載の方法。
【請求項４】
前記Ｅ−ＴＦＣ選択は前記送信に関連することを特徴とする請求項１に記載の方法。
【請求項５】
複数のアップリンク搬送波を使用するアップリンク送信のためのワイヤレス送受信ユニット（ＷＴＲＵ）であって、
２以上のアップリンク搬送波が有効にされることを決定し、
第１のアップリンク搬送波が再送信に関連し、かつ、第２のアップリンク搬送波が送信に関連することを決定し、
最大許容送信電力から、各アップリンク搬送波のための専用物理制御チャネル（ＤＰＣＣＨ）電力に要する電力、高速専用物理制御チャネル（ＨＳ−ＤＰＣＣＨ）電力に要する電力、前記再送のためのＥ−ＤＣＨ専用物理データチャネル（Ｅ−ＤＰＤＣＨ）に要する電力、および、前記再送信のためのＥ−ＤＣＨ専用物理制御チャネル（Ｅ−ＤＰＣＣＨ）に要する電力を減算することにより、前記送信に関連する残余電力を計算し、
前記第２のアップリンク搬送波のためのＥ−ＤＰＣＣＨに要する電力を前記残余電力から減算すること、および
前記第２のアップリンク搬送波に関連するＤＰＣＣＨに要する電力で、前記残余電力から前記減算された結果を割ること、
により、正規化された残余電力のマージンを計算し、
Ｅ−ＤＣＨの送信フォーマットの組み合わせ（Ｅ−ＴＦＣ）の選択を実行する
ように構成されたプロセッサ
を含むことを特徴とするＷＴＲＵ。
【請求項６】
前記残余電力からの前記減算は前記結果を提供することを特徴とする請求項５に記載のＷＴＲＵ。
【請求項７】
前記正規化された残余電力のマージンは、Ｅ−ＴＦＣ候補のための前記Ｅ−ＴＦＣ選択に利用可能であることを特徴とする請求項５に記載のＷＴＲＵ。
【請求項８】
前記Ｅ−ＴＦＣ選択は前記送信に関連することを特徴とする請求項５に記載のＷＴＲＵ。
【発明の詳細な説明】
【技術分野】
【０００１】
本出願は、ワイヤレス通信に関する。
【背景技術】
【０００２】
関連出願の相互参照
本出願は、本明細書で完全に説明されたかのように参照によって組み込まれる、２００８年１０月３１日に出願された米国特許仮出願第６１／１０９，９７８号、２００８年１２月３０日に出願された米国特許仮出願第６１／１４１，６３８号、２００９年３月１２日に出願された米国特許仮出願第６１／１５９，６５９号、２００９年４月１０日に出願された米国特許仮出願第６１／１６８，４５１号、２００９年６月１８日に出願された米国特許仮出願第６１／２１８，２０８号、２００９年８月７日に出願された米国特許仮出願第６１／２３２，３５１号、２００９年８月２１日に出願された米国特許仮出願第６１／２３５，９９５号、２００９年１０月２日に出願された米国特許仮出願第６１／２４８，２８９号、および２００９年１０月１２日に出願された米国特許仮出願第６１／２５０，８０４号の利益を主張する。
【０００３】
ワイヤレス通信システムは、データネットワークへの連続的でより高速なアクセスを提供するというニーズを満たすために発展を続けている。このニーズを満たすため、ワイヤレス通信システムは、データの送信のために複数の搬送波を使用することができる。データの送信のために複数の搬送波を使用するワイヤレス通信システムは、マルチキャリアシステムと呼ばれることがある。複数の搬送波の使用は、セルラワイヤレスシステムおよび非セルラワイヤレスシステムの両方において拡大している。
【０００４】
マルチキャリアシステムは、利用可能な搬送波の数を乗じただけ、ワイヤレス通信システムで利用可能な帯域幅を増加させることができる。例えば、デュアルキャリアシステムは、シングルキャリアシステムと比較した場合、帯域幅を２倍にし、トリキャリア（ｔｒｉ−ｃａｒｒｉｅｒ）システムは、シングルキャリアシステムと比較した場合、帯域幅を３倍にするなどである。このスループット利得に加えて、ダイバーシティ利得およびジョイントスケジューリング（ｊｏｉｎｔ  ｓｃｈｅｄｕｌｉｎｇ）利得も期待することができる。これは、エンドユーザに対するＱｏＳ（サービス品質）の向上をもたらすことができる。さらに、複数の搬送波の使用は、ＭＩＭＯ（多入力多出力（ｍｕｌｔｉｐｌｅ−ｉｎｐｕｔ  ｍｕｌｔｉｐｌｅ−ｏｕｔｐｕｔ））と組み合わせて使用することもできる。
【０００５】
例えば、３ＧＰＰ（第３世代パートナーシッププロジェクト）システムとの関連では、ＤＣ−ＨＳＤＰＡ（デュアルセル高速ダウンリンクパケットアクセス（ｄｕａｌ  ｃｅｌｌ  ｈｉｇｈ  ｓｐｅｅｄ  ｄｏｗｎｌｉｎｋ  ｐａｃｋｅｔ  ａｃｃｅｓｓ））と呼ばれる新しい機能が、３ＧＰＰ仕様書のリリース８において導入された。ＤＣ−ＨＳＤＰＡを用いた場合、基地局（通信ネットワークの他のバリエーションおよびタイプでは、ノードＢ、アクセスポイント、サイトコントローラなどと呼ばれることもある）は、同時に２つのダウンリンク搬送波を介して、ＷＴＲＵ（ワイヤレス送受信ユニット）へ通信する。これは、ＷＴＲＵに対して利用可能な帯域幅およびピークデータレートを２倍にするばかりでなく、２つの搬送波を介した高速スケジューリングおよび高速チャネルフィードバックを用いて、ネットワーク効率を増加させる可能性も有している。
【０００６】
ＤＣ−ＨＳＤＰＡ動作の場合、各ＷＴＲＵには、アンカー搬送波（ａｎｃｈｏｒ  ｃａｒｒｉｅｒ）および補助搬送波（ｓｕｐｐｌｅｍｅｎｔａｒｙ  ｃａｒｒｉｅｒ）という２つのダウンリンク搬送波が割り当てられる。アンカー搬送波は、ＨＳ−ＤＳＣＨ（高速ダウンリンク共用チャネル（ｈｉｇｈ  ｓｐｅｅｄ  ｄｏｗｎｌｉｎｋ  ｓｈａｒｅｄ  ｃｈａｎｎｅｌ））、Ｅ−ＤＣＨ（拡張個別チャネル（ｅｎｈａｎｃｅｄ  ｄｅｄｉｃａｔｅｄ  ｃｈａｎｎｅｌ））、およびＤＣＨ（個別チャネル（ｄｅｄｉｃａｔｅｄ  ｃｈａｎｎｅｌ））動作などのトランスポートチャネルに関連する、すべての物理層個別制御チャネルおよび物理層共用制御チャネルを搬送する。そのような物理層チャネルは、例えば、Ｆ−ＤＰＣＨ（フラクショナル個別物理チャネル（ｆｒａｃｔｉｏｎａｌ  ｄｅｄｉｃａｔｅｄ  ｐｈｙｓｉｃａｌ  ｃｈａｎｎｅｌ））、Ｅ−ＨＩＣＨ（Ｅ−ＤＣＨ  ＨＡＲＱインジケータチャネル（Ｅ−ＤＣＨ  ＨＡＲＱ  ｉｎｄｉｃａｔｏｒ  ｃｈａｎｎｅｌ））、Ｅ−ＲＧＣＨ（Ｅ−ＤＣＨ相対グラントチャネル（Ｅ−ＤＣＨ  ｒｅｌａｔｉｖｅ  ｇｒａｎｔ  ｃｈａｎｎｅｌ））、Ｅ−ＡＧＣＨ（Ｅ−ＤＣＨ絶対グラントチャネル（Ｅ−ＤＣＨ  ａｂｓｏｌｕｔｅ  ｇｒａｎｔ  ｃｈａｎｎｅｌ））、ＣＰＩＣＨ（共通パイロットチャネル（ｃｏｍｍｏｎ  ｐｉｌｏｔ  ｃｈａｎｎｅｌ））、ＨＳ−ＳＣＣＨ（高速共用制御チャネル（ｈｉｇｈ  ｓｐｅｅｄ  ｓｈａｒｅｄ  ｃｏｎｔｒｏｌ  ｃｈａｎｎｅｌ））、およびＨＳ−ＰＤＳＣＨ（高速物理ダウンリンク共用チャネル（ｈｉｇｈ  ｓｐｅｅｄ  ｐｈｙｓｉｃａｌ  ｄｏｗｎｌｉｎｋ  ｓｈａｒｅｄ  ｃｈａｎｎｅｌ））などを含む。補助搬送波は、ＷＴＲＵのためのＣＰＩＣＨ、ＨＳ−ＳＣＣＨ、およびＨＳ−ＰＤＳＣＨを搬送することができる。現行システムでは、アップリンク送信は、単一の搬送波のままである。ＨＳ−ＤＰＣＣＨ（高速個別物理制御チャネル（ｈｉｇｈ  ｓｐｅｅｄ  ｄｅｄｉｃａｔｅｄ  ｐｈｙｓｉｃａｌ  ｃｏｎｔｒｏｌ  ｃｈａｎｎｅｌ））フィードバック情報は、アップリンク搬送波上でノードＢに提供され、各ダウンリンク搬送波についての情報を含む。
【０００７】
図１は、３ＧＰＰに関連するＤＣ−ＨＳＤＰＡ動作についてのＭＡＣ（媒体アクセス制御）層構造を示している。ＭＡＣ−ｅｈｓエンティティは、ＨＳ−ＤＳＣＨトランスポートチャネル当たり１つのＨＡＲＱ（ハイブリッド自動再送要求（ｈｙｂｒｉｄ  ａｕｔｏｍａｔｉｃ  ｒｅｐｅａｔ  ｒｅｑｕｅｓｔ））エンティティを含む。このことは、ＨＡＲＱ再送が同じトランスポートチャネルを介して行われ得ることを暗に示唆しており、各ＨＳ−ＤＳＣＨトランスポートチャネルが物理チャネルリソースへの固定されたマッピングを有する場合、２つ以上の搬送波を使用することによって潜在的にもたらされる周波数ダイバーシティの利益をいくらか制限する。しかし、ＨＳ−ＤＳＣＨと物理リソース（例えば、符号および搬送波周波数）の間のマッピングは、ダイバーシティ利益を提供するために、動的に変更され得ることが推奨されている。
【発明の概要】
【発明が解決しようとする課題】
【０００８】
上で言及したように、マルチキャリア送信は、ダウンリンクのスループットおよび効率を増加させる。しかし、アップリンクでは、物理層チャネルは、単一の搬送波を使用して搬送される。したがって、複数のアップリンクチャネルを使用してアップリンク送信を処理するための方法および装置が必要とされている。
【課題を解決するための手段】
【０００９】
複数のアップリンク搬送波を使用してアップリンク送信を処理するための方法および装置が開示される。ＷＴＲＵは、送信される中で優先度が最も高いデータを有するＭＡＣ−ｄ（個別チャネル媒体アクセス制御（ｄｅｄｉｃａｔｅｄ  ｃｈａｎｎｅｌ  ｍｅｄｉｕｍ  ａｃｃｅｓｓ  ｃｏｎｔｒｏｌ））フローを選択し、また複数の搬送波の中から搬送波を選択するため、ならびに例えば、サポートされる最大ペイロード（ｍａｘｉｍｕｍ  ｓｕｐｐｏｒｔｅｄ  ｐａｙｌｏａｄ）、選択された搬送波の残余のスケジュールドグラントペイロード（ｓｃｈｅｄｕｌｅｄ  ｇｒａｎｔ  ｐａｙｌｏａｄ）、および残余の非スケジュールドグラントペイロード（ｎｏｎ−ｓｃｈｅｄｕｌｅｄ  ｇｒａｎｔ  ｐａｙｌｏａｄ）に基づいて、Ｅ−ＴＦＣを選択するために、アップリンク搬送波選択、ならびにＥ−ＴＦＣ（Ｅ−ＤＣＨ（拡張個別チャネル）トランスポートフォーマットコンビネーション（Ｅ−ＤＣＨ  ｔｒａｎｓｐｏｒｔ  ｆｏｒｍａｔ  ｃｏｍｂｉｎａｔｉｏｎ））制約および選択を実行する。その後、ＷＴＲＵは、選択されたＥ−ＴＦＣに基づいて、選択された搬送波を介したＥ−ＤＣＨ送信のために、ＭＡＣ（媒体アクセス制御）ＰＤＵ（プロトコルデータユニット）を生成する。ＷＴＲＵは、別の搬送波を選択し、上記のステップを繰り返し、生成されたＭＡＣ  ＰＤＵを送信する。
【００１０】
より詳細な理解は、添付の図面と併せて、例として与えられる、以下の説明から得ることができる。
【図面の簡単な説明】
【００１１】
【図１】従来技術による、ＤＣ−ＨＳＤＰＡ動作についてのＭＡＣ層構造を示す図である。
【図２】従来技術による、ワイヤレス通信システムの一例を示す図である。
【図３】アップリンク送信が複数のアップリンク搬送波を使用して処理されるワイヤレス通信システムの一例を示す図である。
【図４】図３のワイヤレス通信システムのＷＴＲＵの一例およびノードＢの一例の機能ブロック図である。
【図５】２つのアップリンク搬送波が、２つのダウンリンク搬送波上でＷＴＲＵに送信されるＴＰＣ（送信電力制御（ｔｒａｎｓｍｉｔ  ｐｏｗｅｒ  ｃｏｎｔｒｏｌ））コマンドによって制御される機能ブロック図である。
【図６】２つのアップリンク搬送波が、単一のダウンリンク搬送波上でＷＴＲＵに送信されるＴＰＣ（送信電力制御）コマンドによって制御される機能ブロック図である。
【図７】２つのアップリンク搬送波が、単一のダウンリンク搬送波上でＷＴＲＵに送信されるＴＰＣ（送信電力制御）コマンドによって制御される機能ブロック図である。
【図８】一実施形態による、Ｆ−ＤＰＣＨスロットフォーマットの一例を示す図である。
【図９】複数アップリンク搬送波環境においてＴＰＣ（送信電力制御）コマンドがアップリンクで送信される機能ブロック図である。
【図１０】２つのアップリンク搬送波を利用する場合の、Ｅ−ＴＦＣ選択およびＭＡＣ−ｅまたはＭＡＣ−ｉ  ＰＤＵ生成のためのプロセスの一例のフロー図である。
【図１１】一実施形態による、スケジューリング情報フォーマットを示す図である。
【発明を実施するための形態】
【００１２】
これ以降で言及される場合、「ＷＴＲＵ」という用語は、限定することなく、ＵＥ（ユーザ機器）、移動局、固定もしくは移動加入者ユニット、ページャ、セルラ電話、ＰＤＡ（携帯情報端末）、コンピュータ、Ｍ２Ｍ（マシン対マシン（ｍａｃｈｉｎｅ−ｔｏ−ｍａｃｈｉｎｅ））デバイス、センサ、またはワイヤレス環境で動作可能な他の任意のタイプのデバイスを含む。これ以降で言及される場合、「ノードＢ」という用語は、限定することなく、基地局、サイトコントローラ、ＡＰ（アクセスポイント）、またはワイヤレス環境で動作可能な他の任意のタイプのインタフェースデバイスを含む。
【００１３】
ネットワークは、少なくとも１つのダウンリンク搬送波および／または少なくとも１つのアップリンク搬送波を、それぞれアンカーダウンリンク搬送波およびアンカーアップリンク搬送波として割り当てることができる。マルチキャリア動作において、ＷＴＲＵは、周波数とも呼ばれる搬送波を２つ以上用いて動作するように構成することができる。これらの搬送波の各々は、異なる特性、ならびにネットワークおよびＷＴＲＵとの異なる論理的関連性を有することができ、動作周波数は、グループ化することができ、アンカー搬送波またはプライマリ搬送波、ならびに補助搬送波およびセカンダリ搬送波と呼ばれる。これ以降、「アンカー搬送波」と「プライマリ搬送波」という用語、および「補助搬送波」と「セカンダリ搬送波」という用語は、それぞれ交換可能に使用される。３つ以上の搬送波が構成される場合、ＷＴＲＵは、２つ以上のプライマリ搬送波および／または２つ以上のセカンダリ搬送波を含むことができる。本明細書で説明される実施形態は、これらのシナリオにも同様に適用可能であり、これらのシナリオに合わせて拡張することができる。例えば、アンカー搬送波は、ダウンリンク／アップリンク送信のための特定の１組の制御情報を搬送するための搬送波として定義することができる。アンカー搬送波として割り当てられない搬送波はいずれも、補助搬送波とすることができる。あるいは、ネットワークは、アンカー搬送波を割り当てなくてもよく、いかなる優先度、プリファレンス、またはデフォルトステータスも、ダウンリンク搬送波またはアップリンク搬送波に与えなくてよい。これ以降、「アンカー搬送波」、「プライマリ搬送波」、「アップリンク搬送波１」、「第１の搬送波」、および「第１のアップリンク搬送波」という用語は、便宜上、本明細書では交換可能に使用される。同様に、「補助搬送波」、「セカンダリ搬送波」、「アップリンク搬送波２」、「第２の搬送波」、および「第２のアップリンク搬送波」という用語も、本明細書では交換可能に使用される。マルチキャリア動作の場合、２つ以上の補助搬送波すなわちセカンダリ搬送波が存在し得る。
【００１４】
図２は、アップリンク送信が単一の搬送波１６０を用いて処理され、ダウンリンク送信が複数の搬送波１７０を使用して処理される、従来技術によるワイヤレス通信システム１００の一例を示している。ワイヤレス通信システム１００は、複数のＷＴＲＵ  １１０と、ノードＢ  １２０と、ＣＲＮＣ（制御無線ネットワークコントローラ（ｃｏｎｔｒｏｌｌｉｎｇ  ｒａｄｉｏ  ｎｅｔｗｏｒｋ  ｃｏｎｔｒｏｌｌｅｒ））１３０と、ＳＲＮＣ（サービング無線ネットワークコントローラ（ｓｅｒｖｉｎｇ  ｒａｄｉｏ  ｎｅｔｗｏｒｋ  ｃｏｎｔｒｏｌｌｅｒ））１４０と、コアネットワーク１５０とを含む。ノードＢ  １２０およびＣＲＮＣ  １３０は、一括して、ＵＴＲＡＮと呼ばれることもある。
【００１５】
図２に示されるように、ＷＴＲＵ  １１０は、ノードＢ  １２０と通信し、ノードＢ  １２０は、ＣＲＮＣ  １３０およびＳＲＮＣ  １４０と通信する。図２には、３つのＷＴＲＵ  １１０、１つのノードＢ  １２０、１つのＣＲＮＣ  １３０、および１つのＳＲＮＣ  １４０が示されているが、無線および有線デバイスの任意の組合せがワイヤレス通信システム１００に含まれ得ることに留意されたい。
【００１６】
図３は、アップリンク送信が複数の搬送波２６０を使用して処理され、ダウンリンク送信が複数の搬送波２７０を使用して処理される、実施形態の一例によるワイヤレス通信システム２００の一例を示している。ワイヤレス通信システム２００は、複数のＷＴＲＵ  ２１０と、ノードＢ  ２２０と、ＣＲＮＣ  ２３０と、ＳＲＮＣ（２４０）と、コアネットワーク２５０とを含む。ノードＢ  ２２０およびＣＲＮＣ  ２３０は、一括して、ＵＴＲＡＮと呼ばれることもある。
【００１７】
図３に示されるように、ＷＴＲＵ  ２１０は、ノードＢ  ２２０と通信し、ノードＢ  ２２０は、ＣＲＮＣ  ２３０およびＳＲＮＣ  ２４０と通信する。図３には、３つのＷＴＲＵ  ２１０、１つのノードＢ  ２２０、１つのＣＲＮＣ  ２３０、および１つのＳＲＮＣ  ２４０が示されているが、無線および有線デバイスの任意の組合せがワイヤレス通信システム２００に含まれ得ることに留意されたい。
【００１８】
図４は、図３のワイヤレス通信システム２００のＷＴＲＵ  ４１０およびノードＢ  ２２０の機能ブロック図である。図３に示されるように、ＷＴＲＵ  ４１０は、ノードＢ  ４２０と通信し、どちらも、ＷＴＲＵ  ４１０からのアップリンク送信が、複数のアップリンク搬送波４６０を使用して、ノードＢ  ４２０に送信される方法を実行するように構成される。ＷＴＲＵ  ４１０は、プロセッサ４１５と、受信機４１６と、送信機４１７と、メモリ４１８と、アンテナ４１９と、典型的なＷＴＲＵに見出し得る他のコンポーネント（図示されず）とを含む。アンテナ４１９は、複数のアンテナ要素を含むことができ、または複数のアンテナが、ＷＴＲＵ  ４１０に含まれ得る。メモリ４１８は、オペレーティングシステム、アプリケーションなどを含む、ソフトウェアを保存するために提供される。プロセッサ４１５は、単独で、あるいはソフトウェアおよび／またはいずれか１つもしくは複数のコンポーネントと連携して、複数のアップリンク搬送波を用いてアップリンク送信を実行する方法を実行するために提供される。受信機４１６および送信機４１７は、プロセッサ４１５と通信する。受信機１１６および送信機１１７は、同時に１つまたは複数の搬送波を受信および送信することが可能である。あるいは、複数の受信機および／または複数の送信機が、ＷＴＲＵ  ４１０に含まれ得る。アンテナ４１９は、ワイヤレスデータの送信および受信を容易にするように、受信機４１６および送信機４１７の両方と通信する。
【００１９】
ノードＢ  ４２０は、プロセッサ４２５と、受信機４２６と、送信機４２７と、メモリ４２８と、アンテナ４２９と、典型的な基地局に見出し得る他のコンポーネント（図示されず）とを含む。アンテナ４２９は、複数のアンテナ要素を含むことができ、または複数のアンテナが、ノードＢ  ４２０に含まれ得る。メモリ４２８は、オペレーティングシステム、アプリケーションなどを含む、ソフトウェアを保存するために提供される。プロセッサ４２５は、単独で、あるいはソフトウェアおよび／またはいずれか１つもしくは複数のコンポーネントと連携して、以下で開示される実施形態に従って、ＷＴＲＵ  ４１０からのアップリンク送信が、複数のアップリンク搬送波を使用して、ノードＢ  ４２０に送信される方法を実行するために提供される。受信機４２６および送信機４２７は、プロセッサ４２５と通信する。受信機４２６および送信機４２７は、同時に１つまたは複数の搬送波を受信および送信することが可能である。あるいは、複数の受信機および／または複数の送信機が、ノードＢ  ４２０に含まれ得る。アンテナ４２９は、ワイヤレスデータの送信および受信を容易にするように、受信機４２６および送信機４２７の両方と通信する。
【００２０】
本明細書で説明される実施形態は、マルチキャリアアップリンク送信を実施するための、複数のアップリンク搬送波上で電力制御を実行するための、ならびに複数の異なるアップリンク搬送波に電力およびデータを割り当てるための、いくつかの手法を提供する。本明細書で説明される実施形態は、デュアルアップリンク搬送波のシナリオに関して説明されるが、本明細書で説明される実施形態は、任意の数のアップリンク搬送波が実施されるシナリオにも適用可能であることを理解すべきであることを指摘しておく。
【００２１】
本明細書で説明される実施形態は、３ＧＰＰリリース４から７に関連するチャネルを参照して説明されるが、実施形態は、ＬＴＥリリース８および他の任意のタイプのワイヤレス通信システム、ならびにそこで使用されるチャネルなど、さらなる３ＧＰＰリリース（およびそこで使用されるチャネル）にも適用可能であることに留意すべきであることも指摘しておく。本明細書で説明される実施形態は、任意の順序または任意の組合せでも適用可能とし得ることにも留意されたい。
【００２２】
ここで図５を参照すると、両方のアップリンク搬送波５２０、５４０上で（すなわち、デュアル搬送波シナリオにおいて）電力制御を実行し、アップリンク搬送波に電力およびデータを割り当てるための実施形態が、これ以降で説明される。図５〜図７および図９には、アップリンク搬送波およびダウンリンク搬送波によって搬送される特定のチャネルが示されているが、任意のチャネルがそのような搬送波で搬送され得ることを指摘しておく。
【００２３】
一実施形態によれば、アップリンク搬送波５２０、５４０上でのアップリンクＤＰＣＣＨ（個別物理制御チャネル（ｄｅｄｉｃａｔｅｄ  ｐｈｙｓｉｃａｌ  ｃｏｎｔｒｏｌ  ｃｈａｎｎｅｌ））送信５２５、５４５の送信電力は、ノードＢによって送信される２つの別個のＴＰＣ（送信電力制御）コマンドによって制御される。一方のＴＰＣコマンドは、第１のアップリンク搬送波５２０の電力を制御し、他方のＴＰＣコマンドは、第２のアップリンク搬送波５４０の電力を制御する。ＷＴＲＵは、対応するＴＰＣコマンドに基づいて、各アップリンク搬送波５２０、５４０上のＤＰＣＣＨ５２５、５４５の電力を変化させる。
【００２４】
ノードＢは、アップリンク搬送波のためのＴＰＣコマンドを、そのアップリンク搬送波５２０、５４０にそれぞれ対応するダウンリンク搬送波５７０、５９０上のＦ−ＤＰＣＨ５６０、５８０を介して送信する。アップリンク搬送波とダウンリンク搬送波の間のマッピングは、事前に定義することができる。ＷＴＲＵは一般に、２つの異なるダウンリンク搬送波上で送信される２つのチャネル（例えば、Ｆ−ＤＰＣＨ）を聴取することによって、ＴＰＣコマンドを獲得するが、もちろん、そのようなコマンドを送信するための異なるチャネルを使用することもできる。
【００２５】
あるいは、ここで図６を参照すると、２つのアップリンク搬送波５２０、５４０のためのＴＰＣコマンドは、同じダウンリンク搬送波５７０（ダウンリンク搬送波５７０または５９０の一方を使用できるが、この実施形態では、ダウンリンク搬送波５７０を使用するものとして示している）上の２つの異なるチャネル５６２、５６４を介して送信することができる。この実施形態では、ダウンリンク搬送波の少なくとも一方で他の活動が存在しない場合、ＷＴＲＵは、両方のダウンリンク搬送波５７０、５９０を聴取する必要はない。
【００２６】
図７に示されるさらなる一代替実施形態では、２つのアップリンク搬送波５２０、５４０のためのＴＰＣコマンドは、単一のダウンリンク搬送波５７０（やはり、ダウンリンク搬送波５７０または５９０の一方を使用できるが、この実施形態では、ダウンリンク搬送波５７０を使用するものとして示している）における単一のチャネル５６２（例えば、Ｆ−ＤＰＣＨ）を介して搬送することができる。図８は、この代替実施形態による、Ｆ−ＤＰＣＨスロットフォーマットの一例を示している。Ｆ−ＤＰＣＨスロットフォーマットは、スロット当たり２つのＴＰＣフィールドを含み、ＴＰＣ１およびＴＰＣ２は各々、アップリンク搬送波１およびアップリンク搬送波２のための電力制御コマンド（ＵＰまたはＤＯＷＮ）をそれぞれ含む。
【００２７】
図７を再び参照すると、両方のアップリンク搬送波のための電力制御コマンドが、Ｆ−ＤＰＣＨチャネルなどの単一のチャネル５６２を介して送信される、別の代替実施形態では、電力制御コマンドは、時間多重化される。電力制御コマンドの時間多重化は、多くの異なる方法で達成することができる。電力制御コマンドは、アップリンク搬送波１  ５２０とアップリンク搬送波２  ５２０の間で均等に交代する。例えば、電力制御コマンドが対象とするアップリンク搬送波は、以下のようにして決定することができる。
【００２８】
Ｉｆ  （現在のＣＦＮ（接続フレーム番号（ｃｏｎｎｅｃｔｉｏｎ  ｆｒａｍｅ  ｎｕｍｂｅｒ））＋スロット番号）  ｍｏｄｕｌｏ  ２＝０
ｔｈｅｎ  ＴＰＣはアップリンク搬送波１用
Ｅｌｓｅ  ＴＰＣはアップリンク搬送波２用
【００２９】
例えば、アップリンク搬送波１  ５２０のための電力制御コマンドは、無線スロット＃０、２、４、６、８、１０、１２、および１４で搬送することができ、一方、アップリンク搬送波２  ５４０のための電力制御コマンドは、無線スロット＃１、３、５、７、９、１１、および１３で搬送することができ、またはこれの反対である。あるいは、アップリンク搬送波１  ５２０には、アップリンク搬送波２  ５４０よりも多くの電力制御コマンドを割り当てることができる。例えば、アップリンク搬送波１  ５２０のための電力制御コマンドは、無線スロット＃０、１、３、４、６、７、９、１０、１２、および１３で搬送することができ、一方、アップリンク搬送波２  ５４０のための電力制御コマンドは、無線スロット＃２、５、８、１１、および１４で搬送することができる。この代替形態は、より多くの電力制御コマンドを提供することで、全体的な効率が向上する理由が存在する場合に、使用することができる。そのようなシナリオは、例えば、アップリンク搬送波１  ５２０が、アップリンク搬送波２  ５４０よりも多くの物理層チャネルを搬送している場合とすることができる。
【００３０】
同期も、搬送波単位に定義することができる。ＷＴＲＵは、両方の搬送波に対して別々に同期手順を適用することができる。ＷＴＲＵには、搬送波上での同期ステータスに応じて、その搬送波上での送信を許可することができる。無線リンク障害は、両方の搬送波で同期が失われた場合に宣言することができる。
【００３１】
図７を依然として参照すると、両方のアップリンク搬送波のための電力制御コマンドが、Ｆ−ＤＰＣＨなどの単一のチャネル５６２を介して送信される、また別の代替シナリオでは、両方のアップリンク搬送波上でのＤＰＣＣＨ送信の送信電力は、このシナリオではＦ−ＤＰＣＨを介してノードＢによって送信される単一のＴＰＣコマンドによって制御することができる。ノードＢからのＴＰＣコマンドが電力を増加させるよう指示する場合、両方のアップリンク搬送波上で電力が（例えば等しく）増加され、ＴＰＣコマンドが電力を低減させるよう指示する場合、両方のアップリンク搬送波上で電力が（例えば等しく）低減される。例えば、電力制御コマンドは、単一のＴＰＣフィールド内にジョイント符号化（ｊｏｉｎｔ−ｃｏｄｅｄ）することができる。ＮTPC＝２およびＮTPC＝４である場合の、ＴＰＣコマンドのジョイント符号化の例が、表１に示されており、ここで、ＮTPCはＴＰＣコマンドのビット数である。
【００３２】
【表１】
0005427893.tif 000002
【００３３】
ここで図９を参照すると、以下の実施形態は、ダウンリンク電力制御を目的とする、アップリンクＤＰＣＣＨを介するＷＴＲＵからノードＢへのＴＰＣ（送信電力制御）コマンドのアップリンク送信に関する。ＷＴＲＵは、アップリンク搬送波の一方（この例では９２０）のみのアップリンクＤＰＣＣＨ  ９２５を介して、ＴＰＣコマンドを送信することができる。別のアップリンク搬送波（この例では９４０）上では、ＷＴＲＵは、ＴＰＣビットを送信する代わりにＤＴＸ（不連続送信（ｄｉｓｃｏｎｔｉｎｕｏｕｓ  ｔｒａｎｓｍｉｓｓｉｏｎ））を、またはＴＰＣフィールドをもたない新しいスロットフォーマットを使用することができる。ＴＰＣコマンドは、例えばＦ−ＤＰＣＨ  ９７５などのダウンリンクチャネルが送信されるダウンリンク搬送波９７０上で測定された品質から導出することができる。この手法は、ＷＴＲＵからの干渉をいくらか低減するという利点を有する。ＷＴＲＵは、ノードＢによるチャネル推定のために使用されるパイロットビットのみを有するアップリンクＤＰＣＣＨ  ９２５、９４５を送信することができる。
【００３４】
あるいは、ＷＴＲＵは、両方のアップリンク搬送波９２０、９４０のアップリンクＤＰＣＣＨ  ９２５、９４５を介して、同じＴＰＣコマンドを送信することもできる。ＴＰＣコマンドは、Ｆ−ＤＰＣＨ  ９７５が送信されるダウンリンク搬送波９７０上で測定された品質から導出することができる。ノードＢは、ＷＴＲＵからのＴＰＣ信号の信頼性を向上させるために、２つのアップリンクＤＰＣＣＨ  ９２５、９４５からのＴＰＣコマンド信号を組み合わせることができる。
【００３５】
あるいは、ＷＴＲＵは、各アップリンク搬送波９２０、９４０のアップリンクＤＰＣＣＨ  ９２５、９４５を介して、独立のＴＰＣコマンドを送信することもできる。この場合、アップリンク搬送波９２０、９４０上で送信されるＴＰＣコマンドは、Ｆ−ＤＰＣＨ  ９７５が送信されるダウンリンク搬送波とは独立の、対応するダウンリンク搬送波（複数可）（図示されず）から測定された信号品質に基づいて導出することができる。この方式は、ダウンリンクチャネルに関するいくらかの追加の情報をネットワークに提供するという利点を有する。
【００３６】
２つのアップリンク搬送波上のアップリンクチャネル９２５、９２７、９４５は、同じに振る舞わないことがあるので、チャネル品質が、一方の搬送波９２０上では別の搬送波９４０上でとは異なって変化することがあり得る。一方の搬送波９２０上ではチャネル品質が変化し、別の搬送波９４０上ではチャネル品質が変化しないことも可能である。一例では、一方のアップリンク搬送波９２０上ではチャネル品質が悪化し、他方のアップリンク搬送波９４０上ではチャネル品質が向上する。この場合、ノードＢは、Ｆ−ＤＰＣＨ  ９７５上のＴＰＣビットの値を設定するための異なる選択肢を有する。ノードＢは、搬送波９２０、９４０の一方の品質が閾値を下回る場合は常に、ＴＰＣビットを「ｕｐ」に設定することができ、それ以外の場合は、「ｄｏｗｎ」に設定することができる。この選択肢は、搬送波９２０、９４０の一方でアップリンクＤＰＣＣＨの電力が高くなるという結果をもたらすことができ、ノードＢにとってチャネル推定をより容易にする。あるいは、ノードＢは、搬送波９２０、９４０の一方の品質が閾値を上回る場合は常に、ＴＰＣビットを「ｄｏｗｎ」に設定することができ、それ以外の場合は、「ｕｐ」に設定することができる。この選択肢は、搬送波９２０、９４０の一方でアップリンクＤＰＣＣＨ９２５、９４５の電力が閾値よりも低くなるという結果をもたらすことができ、そのため、ノードＢは、他方の搬送波からの情報を使用して、この搬送波上での許容可能なチャネル推定を導出することができる。
【００３７】
平均アップリンク干渉（ノイズ発生（ｎｏｉｓｅ  ｒｉｓｅ））レベルが、両方のアップリンク搬送波９２０、９４０で同じではない場合、長期的にはアップリンク搬送波間でチャネル品質の著しい不一致が生じることがある。ＷＴＲＵは、一方のアップリンク搬送波（例えば９２０）の送信電力に、他方のアップリンク搬送波（例えば９４０）と比べて、オフセットを適用することができる。このオフセットは、より高位の層のシグナリング（例えば、ＲＲＣシグナリング）などを介して、ネットワークによって伝達することができる。ネットワークは、両方のアップリンク搬送波９２０、９４０の平均信号品質が同じか、またはほぼ同じになるように、オフセットを設定することができる。
【００３８】
ネットワークは、（データビットを含む）Ｅ−ＤＰＤＣＨ  ９２７、９４７のＳＩＲ（信号対干渉比（ｓｉｇｎａｌ−ｔｏ−ｉｎｔｅｒｆｅｒｅｎｃｅ  ｒａｔｉｏ））が、両方のアップリンク搬送波９２０、９４０でほぼ同じになるように、２つのアップリンク搬送波９２０、９４０に対して、基準Ｅ−ＴＦＣＩ（Ｅ−ＤＣＨトランスポートフォーマットコンビネーションインデックス（Ｅ−ＤＣＨ  ｔｒａｎｓｐｏｒｔ  ｆｏｒｍａｔ  ｃｏｍｂｉｎａｔｉｏｎ  ｉｎｄｅｘ））と対応する利得係数の異なる組を定義することができる。例えば、アップリンク搬送波１  ９２０のＤＰＣＣＨ  ＳＩＲが、平均で−２２ｄＢであり、一方、アップリンク搬送波２  ９４０のＤＰＣＣＨ  ＳＩＲが、平均で−１９ｄＢである場合、（基準Ｅ−ＴＦＣＩが同じならば）アップリンク搬送波２に対して基準利得係数を３ｄＢだけ低く設定することで、両方のアップリンク搬送波９２０、９４０および与えられたＥ−ＴＦＣに対して、ほぼ同じＥ−ＤＰＤＣＨ  ＳＩＲがもたらされる（アップリンク搬送波２  ９４０の基準利得係数は実際には、アップリンク搬送波１  ９２０を下回るように、３ｄＢよりもわずかに低く設定することができ、アップリンク搬送波２  ９４０を用いたより良いチャネル推定が与えられる）。
【００３９】
同期は、搬送波単位で定義することができる。ＷＴＲＵは、両方の搬送波に別々に同期手順を適用することができる。ＷＴＲＵには、搬送波上での同期ステータスに応じて、その搬送波上での送信を許可することができる。無線リンク障害は、両方の搬送波で同期が失われた場合に宣言することができる。
【００４０】
図９を依然として参照すると、Ｅ−ＴＦＣ制約および選択のための実施形態が、これ以降で説明される。ＷＴＲＵ送信は、最大許容送信電力によって制約を受けることがある。ＷＴＲＵの最大許容送信電力は、伝達された設定値とＷＴＲＵ設計制約によって許容される最大電力との小さい方とすることができる。ＷＴＲＵの最大許容送信電力は、与えられたＴＴＩ（送信時間間隔）における両方のアップリンク搬送波９２０、９４０についての合計の最大電力として設定することができ、または搬送波固有とすることができる。後者の場合、同じ最大電力値が、各アップリンク搬送波９２０、９４０に割り当てられることがあり、または異なる最大電力値が、各アップリンク搬送波９２０、９４０に割り当てられることがある。これは、デバイスの特定の構成（例えば、ＷＴＲＵの電力増幅器およびアンテナの数）に依存することがあり、ならびに／またはネットワーク制御および構成に依存することもある。合計の最大送信電力および搬送波毎の最大送信電力は、同時に設定することができる。
【００４１】
ＷＴＲＵ挙動および動作は、両方のケースで（すなわち、１つの合計の最大送信電力か、それとも独立の搬送波毎の最大送信電力かで）、まったく異なることがある。したがって、ＷＴＲＵは、ネットワークが、ＷＴＲＵが両方のアップリンク搬送波９２０、９４０についての合計の最大電力を有するか、それとも各アップリンク搬送波９２０、９４０についての搬送波固有の最大電力を有するかを知って、動作をスケジュールし、ＷＴＲＵによって報告されたアップリンクの電力ヘッドルーム（ｐｏｗｅｒ  ｈｅａｄｒｏｏｍ）を正しく解釈できるように、ＷＴＲＵの電力能力（１つの合計の最大電力か、それとも搬送波毎に定義された最大電力か）をネットワークに通知することができる。電力要件が規格で規定されている場合、ＷＴＲＵは、これらの能力を伝達する必要はない。
【００４２】
図１０には、２つのアップリンク搬送波を利用する場合の、Ｅ−ＴＦＣ選択およびＭＡＣ−ｉ  ＰＤＵ生成のためのプロセス１０００の一例のフロー図が示されている。上で言及したように、搬送波を指すための特定の用語は、本明細書では交換可能に使用されるが、ＨＳＰＡ＋タイプのシステムでは、２つの搬送波は、アンカー（すなわちプライマリ）搬送波および補助（すなわちセカンダリ）搬送波と呼ばれることがあり、図１０を説明する際には、これらの用語が便宜的に使用されることを指摘しておく。ＷＴＲＵは、次回のＴＴＩ中に送信される２つの（一般にはＮ個、Ｎは２以上の整数）新しい送信が存在するかどうかを判定する（ステップ５０２）。次回のＴＴＩ中に１つの新しい送信が存在する（例えば、１つの新しい送信と、先に失敗した送信の１つの再送が存在する）場合、ＷＴＲＵは、Ｅ−ＴＦＣ選択のためにアップリンク搬送波（新しい送信のための搬送波を）を選択し、新しい送信のためのＥ−ＴＦＣ選択手順を実行するが、新しい送信のためにサポートされるＥ−ＴＦＣＩは、再送によって使用される電力を減算した後に決定される（ステップ５１６）。送信される２つの新しい送信が存在する場合、ＷＴＲＵは、ＷＴＲＵが電力制限されているかどうか（すなわち、グラント（スケジュールド、非スケジュールド）および制御チャネルが与えられた場合に各搬送波においてＷＴＲＵによって使用される合計電力の和が、任意選択的にバックオフ（ｂａｃｋｏｆｆ）も含む、ＷＴＲＵによって許可された最大電力を超えているか）を判定する（ステップ５０４）。電力制限されていない場合、プロセス５００は、ステップ５０８に進む。電力制限されている場合、ＷＴＲＵは、アップリンク搬送波の間で電力割り当てを実行する（ステップ５０６）。あるいは、ＷＴＲＵは、電力制限されているかどうかをチェックすることなく、搬送波の間での電力割り当てのために、ステップ５０６に進むこともできる。電力割り当てが実行されると、ＷＴＲＵは、一方の搬送波の後に他方の搬送波というように順番に、トランスポートブロックを満たす。
【００４３】
ＷＴＲＵは、優先度が最も高い送信されるデータを有するＭＡＣ−ｄフローを決定し、選択されたＭＡＣ−ｄフローのＨＡＲＱプロファイル（ＨＡＲＱ  ｐｒｏｆｉｌｅ）に基づいて、使用する多重化リスト（ｍｕｌｔｉｐｌｅｘｉｎｇ  ｌｉｓｔ）および電力オフセットを決定する（ステップ５０８）。優先度が最も高いＭＡＣ−ｄフローを決定するとき、ＷＴＲＵは、すべての搬送波について、すべてのＭＡＣ−ｄフローのうちで、利用可能なデータを有するように構成された優先度が最も高いＭＡＣ−ｄフローを決定することができる。一代替実施形態では、ＷＴＲＵは、Ｅ−ＴＦＣ選択または優先度が最も高いＭＡＣ−ｄフローの選択が実行されるすべての搬送波について、与えられた搬送波上での送信を許可されたすべてのＭＡＣ−ｄフローのうちで、優先度が最も高いＭＡＣ−ｄフローを決定することができる。ＷＴＲＵは、複数のアップリンク搬送波のうちで最初にデータで満たすアップリンク搬送波を選択するために、アップリンク搬送波選択手順を実行する（ステップ５１０）。搬送波選択、ＭＡＣ−ｄフロー決定のステップは、必ずしも説明された順序で実行されなくてよく、任意の順序で実行できることに留意されたい。ＷＴＲＵは、Ｅ−ＴＦＣＩを選択し、またはサポートされる最大ペイロード（すなわち、１組のサポートされるＥ−ＴＦＣＩ）、残余のスケジュールドグラントペイロード、残余の非スケジュールドグラントペイロード、データ可用性、および論理チャネル優先度に基づいて、選択された搬送波上で送信できるビットの数を決定する（ステップ５１１）。
【００４４】
ＷＴＲＵは、選択されたＥ−ＴＦＣに基づいて、選択された搬送波を介するＥ−ＤＣＨ送信のためのＭＡＣ−ｅまたはＭＡＣ−ｉ  ＰＤＵを生成する（ステップ５１２）。選択された搬送波のためにＳＩ（スケジューリング情報（ｓｃｈｅｄｕｌｉｎｇ  ｉｎｆｏｒｍａｔｉｏｎ））を送信する必要がある場合、ＷＴＲＵは、他の任意のデータを含める前に、この搬送波上に最初にＳＩを含めることができる。ＷＴＲＵが選択された搬送波上の利用可能なスペースを使い尽くした場合、またはＴＴＩ中での送信を許可されたバッファからデータがあふれた場合、ＷＴＲＵは、利用可能な別のアップリンク搬送波が存在するかどうか、またデータがまだ利用可能であるかどうかを判定する（ステップ５１４）。否定的な判定の場合、プロセス５００は終了する。肯定的な判定の場合、プロセス５００は、次の搬送波のＥ−ＴＦＣＩを選択するために、ステップ５１０に（または代替としてステップ５０８に）戻る。
【００４５】
この時点で（ステップ５０８において）、ＷＴＲＵは、任意選択的に、送信されるデータを有する優先度が最も高いＭＡＣ−ｄフローを再決定することができる。再選択された優先度が最も高いＭＡＣ−ｄフローは、先に選択された搬送波を満たす前に最初に決定されたＭＡＣ−ｄフローと異なってよい。最も高いＭＡＣ−ｄフローが新たに選択された場合、ＷＴＲＵは、新たに選択されたＭＡＣ−ｄフローのＨＡＲＱプロファイルに基づいて、電力オフセットを決定し、その後、新しい電力オフセットに従って、サポートされる最大ペイロード（または１組のサポートされるＥ−ＴＦＣ）および残余のスケジュールドグラントペイロードを決定することができる。あるいは、ＷＴＲＵは、手順（例えばステップ５０８）の開始時に一度だけ、ＭＡＣ−ｄフロー優先度を決定し、選択されたＨＡＲＱプロファイルおよび多重化リストを両方の搬送波に適用することができる。これは、ＷＴＲＵが、両方の搬送波についてのサポートされる最大ペイロード（またはサポートされるＥ−ＴＦＣおよび残余のスケジュールドペイロード）を、並列して同時に、またはＥ−ＴＦＣ選択シーケンスに従ってこれらの値が必要とされるときにのみ決定することを暗に示唆する。この場合、２番目に選択された搬送波のために、ＷＴＲＵは、ステップ５１０に戻ることができる。プロセス５００は、３つ以上のアップリンク搬送波が利用される場合にも適用可能であることに留意されたい。
【００４６】
電力割り当て、搬送波選択、ならびにＥ−ＴＦＣ制約および選択の詳細が、以下で説明される。
【００４７】
サポートされる最大ペイロードとは、任意のアップリンク搬送波のために利用可能な電力に基づいて送信できるビットの最大許容数のことである。これは、一例として、サポートされる最大Ｅ−ＴＦＣＩとも呼ばれることがある。例えば、ＨＳＰＡシステムでは、サポートされる最大ペイロード、または１組のサポートもしくはブロックされるＥ−ＴＦＣＩは、Ｅ−ＴＦＣ制約手順の一部として決定され、選択されたＨＡＲＱオフセットに依存し得る。加えて、１組のサポートされるＥ−ＴＦＣＩは、最小セットのＥ−ＴＦＣＩにも依存し得る。Ｅ−ＴＦＣ制約およびサポート／ブロックされるＥ−ＴＦＣＩの決定のための実施形態が、以下で説明される。
【００４８】
これ以降で言及される場合、ＭＡＣ−ｄフローとは、論理チャネル、論理チャネルのグループ、データフロー、データストリーム、もしくはデータサービス、または任意のＭＡＣフロー、アプリケーションフローなどのことでもあり得る。本明細書で説明されるすべての概念は、他のデータフローにも等しく適用可能である。例えば、Ｅ−ＤＣＨのためのＨＳＰＡシステムでは、各ＭＡＣ−ｄフローは、論理チャネルに関連付けられ（例えば、１対１マッピングが存在し）、それに関連付けられた１から８までの優先度を有する。
【００４９】
一般に、アップリンク送信およびデータ送信のために使用されるスケジューリングメカニズムが存在する。スケジューリングメカニズムは、ＱｏＳ（サービス品質）要件および／または送信されるデータストリームの優先度によって定義することができる。ＱｏＳおよび／またはデータストリームの優先度に応じて、データストリームのいくつかは、多重化されて、１つのＴＴＩ中に一緒に送信される許可を得ることができ、または得ることができない。一般に、データフローおよびストリームは、ベストエフォートか、それとも非リアルタイムサービスかでグループ化することができ、いくつかの厳格な遅延要件を有するビットレートサービスを保証される。ＱｏＳ要件を満たすため、異なるスケジューリングメカニズムが使用され、あるメカニズムは本質的に動的であり、あるメカニズムはあまり動的ではない。
【００５０】
一般に、ＬＴＥおよびＨＳＵＰＡ（高速アップリンクパケットアクセス（ｈｉｇｈ  ｓｐｅｅｄ  ｕｐｌｉｎｋ  ｐａｃｋｅｔ  ａｃｃｅｓｓ））などのワイヤレスシステムは、要求−許可ベースで動作し、ＷＴＲＵは、アップリンクフィードバックを介して、データを送信する許可を要求し、ノードＢ（ｅＮＢ）スケジューラおよび／またはＲＮＣは、いつ、いくつのＷＴＲＵがデータを送信する許可を得るかを決定する。これ以降、これは、スケジュールドモード送信（ｓｃｈｅｄｕｌｅｄ  ｍｏｄｅ  ｔｒａｎｓｍｉｓｓｉｏｎ）と呼ばれる。例えば、ＨＳＰＡシステムでは、送信の要求は、ＷＴＲＵ内にバッファされたデータの量を示す表示、およびＷＴＲＵの利用可能な電力余裕（すなわち、ＵＰＨ（ＵＥ電力ヘッドルーム（ＵＥ  ｐｏｗｅｒ  ｈｅａｄｒｏｏｍ）））を含む。スケジュールド送信のために使用できる電力は、ノードＢによって、絶対グラントおよび相対グラントを通して動的に制御される。
【００５１】
ＶｏＩＰ（ボイスオーバＩＰ（ｖｏｉｃｅ  ｏｖｅｒ  ＩＰ））もしくはシグナリング無線ベアラ、または厳格な遅延要件を満たす必要がある他の任意のサービスなど、厳格な遅延要件および保証されたビットレートを有するいくつかのデータストリームの場合、ネットワークは、本質的にあまり動的ではない特別なスケジューリングメカニズムを介して、そのような送信のタイムリな配送を保証することができ、事前スケジュールされた期間およびリソースにおいて、最大で設定されたデータレートまで、ＷＴＲＵが特定のフローからのデータを送信することを可能にすることができる。例えば、ＨＳＰＡなどの、いくつかのシステムにおけるこれらのフローは、非スケジュールドフロー（ｎｏｎ−ｓｃｈｅｄｕｌｅｄ  ｆｌｏｗ）と呼ばれる。ＬＴＥなどの他のシステムでは、それらは、準永続的スケジューリングおよび準永続的フローと呼ばれることがある。本明細書で説明される実施形態は、スケジュールドおよび非スケジュールドデータに関して説明されるが、それらは、類似のスケジューリング手順およびデータフロー間の区別を使用する他のシステムにも等しく適用可能であることを理解されたい。
【００５２】
ある送信および可能な再送にリソースを割り当てるために制御チャネルが使用される動的スケジューリングは、リソース割り当てを最適化するための完全な柔軟性を与える。しかし、それは、制御チャネル容量を必要とする。制御チャネル制限問題を回避するため、ＬＴＥなどのシステムでは、ＳＰＳ（準永続的スケジューリング（ｓｅｍｉ−ｐｅｒｓｉｓｔｅｎｔ  ｓｃｈｅｄｕｌｉｎｇ））を使用することができ、ＵＭＴＳなどのシステムでは、非スケジュールド送信を使用することができる。動的スケジューリングまたは（例えば、物理チャネル制御シグナリングを介する）動的グラントベースのメカニズムを使用するフローは、スケジュールド送信と呼ばれる。リソースのより準静的で定期的な割り当てを使用するデータストリームは、非スケジュールド送信と呼ばれる。
【００５３】
例えば、ＨＳＰＡでは、各ＭＡＣ−ｄフローは、スケジュールドまたは非スケジュールドモードの送信を使用するように構成され、ＷＴＲＵは、スケジュールドフローまたは非スケジュールドフローのためのデータレートを独立に調整する。各非スケジュールドフローの最大データレートは、より高位の層によって設定され、一般に、頻繁には変更されない。
【００５４】
Ｅ−ＴＦＣ選択手順では、ＷＴＲＵは、非スケジュールドグラントを有する各ＭＡＣ−ｄフローについての残余の非スケジュールドグラントペイロードも決定することができ、それは、与えられたＭＡＣ−ｄフローについて設定された非スケジュールドグラントに従って送信を許可されたビットの数のことであり、それに対応する。
【００５５】
上の手順における残余のスケジュールドグラントペイロードとは、ネットワークにより割り当てられたリソースによって送信できる最も高いペイロードのことである。例えば、ネットワークにより割り当てられたリソースとは、サービンググラント（ｓｅｒｖｉｎｇ  ｇｒａｎｔ）、またはＨＳＰＡシステムに対して割り当てられたＥ−ＤＰＤＣＨ対ＤＰＣＣＨ電力比のことである。アップリンク搬送波についての残余のスケジュールドグラントペイロードを計算するために使用されるサービンググラントの値は、アップリンク搬送波に割り当てられた実際のサービンググラントの値、および選択されたＨＡＲＱ電力オフセットに基づくことができる。あるいは、プライマリ搬送波および／またはセカンダリ搬送波についての残余のスケジュールドグラントペイロードは、電力割り当てが実行された後のスケーリングされたグラントまたは架空（ｆｉｃｔｉｔｉｏｕｓ）もしくは仮想（ｖｉｒｔｕａｌ）グラントに基づくことができるので、ＷＴＲＵは、残余のスケジュールドグラントペイロードを決定するために、「仮想」もしくは「架空」サービンググラントまたはスケーリングされたサービンググラントを使用することができる。３つの用語は、交換可能に使用することができ、各搬送波についてのスケジュールド送信のための電力割り当てまたは電力分割のことを指す。グラントのスケーリングは、以下で電力割り当て方式の一部として説明される。あるいは、ＷＴＲＵが両方のアップリンク搬送波のために１つのサービンググラントを共用する（すなわち、両方のアップリンク搬送波のために１つのサービンググラントが与えられる）場合、ＷＴＲＵは、サービンググラントの半分を各アップリンク搬送波に対して使用することができる。あるいは、ＷＴＲＵは、この計算を実行するときに、すべてのサービンググラントが一方のアップリンク搬送波に割り当てられると仮定することができる。
【００５６】
非スケジュールドグラントは、搬送波固有とすることができる（例えば、設定された非スケジュールドグラントの値は、非スケジュールド送信が許可された、ただ１つの搬送波のために割り当てられ、設定される）。非スケジュールド送信が構成／許可される搬送波は、事前に決定することができる（例えば、非スケジュールド送信は、プライマリ搬送波上で、または代替としてセカンダリ搬送波上で許可することができる）。あるいは、そのような搬送波は、ネットワークによって動的に構成することができる。非スケジュールドグラントの値は、搬送波独立とすることができ、その場合、両方の搬送波に対して、合計数が決定される。
【００５７】
データフローは、搬送波固有となるように構成することができる（例えば、ネットワークが、フローおよびこのフローを送信できる関連する搬送波を構成する）。データフローが搬送波固有である場合、ＷＴＲＵは、各搬送波に対して独立に、Ｅ−ＴＦＣ選択手順を実行することができる。ネットワークは、搬送波に属するＨＡＲＱプロセスに基づいて、非スケジュールドグラントを提供することができ、またはＴＴＩに適用可能な非スケジュールドグラントを提供することができ、ＷＴＲＵは、搬送波を選択する。
【００５８】
図５のステップ５０４において決定されるように、ＷＴＲＵが電力制限される場合、ＷＴＲＵは、２つの搬送波にわたる合計の送信電力が最大電力を超過しないという制約内で、電力割り当てを実行し、電力を２つ（または２つ以上）の搬送波の間で分割する。電力制限されていることをＵＥがどのように決定するかについてのさらなる詳細は、これ以降で説明される。
【００５９】
電力割り当てについての実施形態が、これ以降で開示される。各搬送波に割り当てられる最大送信電力は、多くの方法で計算することができる。一実施形態では、各搬送波上で個々の最大許容スケジュールド送信電力に達するまで、ＵＬ搬送波には、電力を等しく割り当てることができ、この最大許容電力は、サービンググラントおよび現在のチャネル状態（例えば、ＵＬ  ＤＰＣＣＨ電力）に基づく。ＵＬ搬送波のどちらかにおいて、最大許容スケジュールド送信電力に達すると、さらなる利用可能な送信電力は、他方の搬送波上で最大スケジュールド送信電力に達するか、または最大合計送信電力に達するまで、他方の搬送波に割り当てられる。
【００６０】
Ｐmaxは、任意選択的にバックオフを含む、両方のアップリンク搬送波にわたって結合された合計の許容最大送信電力を表すとし、Ｐgranted,zは、グラント（スケジュールドおよび／または非スケジュールド）ならびに制御チャネルに基づいて、搬送波ｚ（ｚ＝ｘもしくはｙ、またはｚ＝１もしくは２）において許容される最大送信電力を表すとする。搬送波ｘまたはｙは、プライマリ搬送波またはセカンダリ搬送波に対応することができる。３つ以上の搬送波が構成される場合、ｋを構成される搬送波の数として、すべての搬送波ｚ＝１．．．ｋに対して、より多くのそのようなＰgranted,zが計算されることが理解されよう。一例として、Ｐgranted,zは、以下のように計算することができる。
Ｐgranted,z＝ＳＧ×ＰDPCCH,z＋ＰDPCCH,z＋ＰE-DPCCH,z＋ＰHS-DPCCH,z  式（１）
【００６１】
搬送波ｚ上で、ＨＳ−ＤＰＣＣＨが送信されない場合、項ＰHS-DPCCH,zは、式（１）から取り除くことができる。任意選択的に、非スケジュールド送信を考慮した場合、搬送波ｚ分に相当する合計送信電力は、以下に等しい。
Ｐgranted,z＝ＳＧ×ＰDPCCH,z＋Ｐnon-SG＋ＰDPCCH,z＋ＰE-DPCCH,z＋ＰHS-DPCCH,z  式（２）
【００６２】
ＷＴＲＵは、Ｐgranted,x＋Ｐgranted,y＞Ｐmaxである場合、ＷＴＲＵが電力制限されると決定する。
【００６３】
この電力割り当て方式は、２つの搬送波の間で使用される電力を均等にすることを目的とする。各搬送波に割り当てられる電力は、以下のように決定することができる（任意選択的に、以下の電力割り当て方式は、ＷＴＲＵが電力制限状態にある（すなわち、Ｐmax≦Ｐgranted,x＋Ｐgranted,yである）場合に実行することができ、それ以外の場合は、電力またはグラントをスケーリングしなくてよい）。
Ｉｆ  ｍｉｎ（Ｐmax／２，Ｐgranted,x，Ｐgranted,y）＝Ｐmax／２：
Ｐmax,x＝Ｐmax／２、Ｐmax,y＝Ｐmax／２；
Ｅｌｓｅ  ｉｆ  ｍｉｎ（Ｐmax／２，Ｐgranted,x，Ｐgranted,y）＝Ｐgranted,x：
Ｐmax,x＝Ｐgranted,x、Ｐmax,y＝Ｐmax−Ｐgranted,x；
Ｅｌｓｅ（すなわち、ｍｉｎ（Ｐmax／２，Ｐgranted,x，Ｐgranted,y）＝Ｐgranted,y）：
Ｐmax,y＝Ｐgranted,y、Ｐmax,x＝Ｐmax−Ｐgranted,y
【００６４】
任意選択的に、（例えば、電力制限状態に関わりなく上記の方法が実行される場合）電力には以下に示すように上限を設けることができる。
Ｉｆ  ｍｉｎ（Ｐmax／２，Ｐgranted_x，Ｐgranted_y）＝Ｐmax／２：
Ｐmax_x＝Ｐmax／２、Ｐmax_y＝Ｐmax／２；
Ｅｌｓｅ  ｉｆ  ｍｉｎ（Ｐmax／２，Ｐgranted_x，Ｐgranted_y）＝Ｐgranted_x：
Ｐmax_x＝Ｐgranted_x、Ｐmax_y＝ｍｉｎ（Ｐgranted_y，Ｐmax−Ｐgranted_x）；
Ｅｌｓｅ  （すなわち、ｍｉｎ（Ｐmax／２，Ｐgranted_x，Ｐgranted_y）＝Ｐgranted_y）：
Ｐmax_y＝Ｐgranted_y、Ｐmax_x＝ｍｉｎ（Ｐgranted_x，Ｐmax−Ｐgranted_y）
【００６５】
上で説明された選択肢のどちらかに従って、Ｐmax,xが決定されると（これは以下で説明されるものにも適用可能である）、使用される最終的なＰmax,xは、その搬送波ｘのための実際のサービンググラントによって割り当てられた許容電力Ｐgranted xを超過しないことを保証することができる。これは以下の方法で行うことができる。
Ｐmax x＝ｍｉｎ（Ｐmax x，Ｐgranted x）
【００６６】
任意選択的に、ＷＴＲＵが電力制限状態にある（例えば、Ｐmax＜Ｐgranted_x＋Ｐgranted_yである）場合、ＷＴＲＵは、以下を実行することができる（それ以外の場合は、サービンググラントおよび電力はスケーリングされない）。
Ｉｆ  ｍｉｎ（Ｐgranted_x，Ｐgranted_y）＝Ｐgranted_x（すなわち、Ｐgrant_x＜Ｐgrant_y）
Ｐmax_x＝ｍｉｎ（Ｐgranted_x，Ｐmax／２）、Ｐmax_y＝Ｐmax−Ｐgranted_x
ｅｌｓｅ
Ｐmax_y＝ｍｉｎ（Ｐgranted_y，Ｐmax／２）、Ｐmax_x＝Ｐmax−Ｐgranted_y
【００６７】
以下も実行することができる。
Ｉｆ  ｍｉｎ（Ｐgranted_x，Ｐgranted_y）＝Ｐgranted_x、すなわちＰgrant_x＜Ｐgrant_y
Ｐmax_x＝ｍｉｎ（Ｐgranted_x，Ｐmax／２）、Ｐmax_y＝ｍｉｎ（Ｐgranted_y，Ｐmax−Ｐgranted_x）
ｅｌｓｅ
Ｐmax_y＝ｍｉｎ（Ｐgranted_y，Ｐmax／２）、Ｐmax_x＝ｍｉｎ（Ｐgranted_x，Ｐmax−Ｐgranted_y）
【００６８】
あるいは、両方の搬送波を最小グラントになるまで満たすのに十分な電力がない状況であっても、使用される合計電力が均等になるような方法で、電力を分割することができる。より具体的には、Ｐlowest＝ｍｉｎ（Ｐgranted,x，Ｐgranted,y）とし、２×Ｐlowest＜Ｐmaxである場合、上記の公式は、より多くの電力が搬送波の一方に割り当てられるので、いくらかの電力不均衡をもたらし得る。電力割り当てを最適化するため、以下を実行することができ、Ｐmax＜Ｐgranted,x＋Ｐgranted,yである場合は、グラントをスケーリングすることができる。
Ｉｆ  ２×Ｐlowest＜＝Ｐmax
Ｔｈｅｎ  θ＝Ｐmax／（２×Ｐlowest）
Ｐmax,x＝θ×Ｐgranted,x、Ｐmax,y＝θ×Ｐgranted,y
Ｅｌｓｅ
Ｉｆ  Ｐgranted,x＜Ｐgranted,y
Ｐmax,x＝Ｐgranted,x（すなわち、ＳＧinput,x＝ＳＧx）、Ｐmax,y＝Ｐmax−Ｐgranted,x
Ｅｌｓｅ
Ｐmax,x＝Ｐmax−Ｐgranted,y、Ｐmax,y＝Ｐgranted,y
それ以外の場合、電力またはグラントはスケーリングされない。
【００６９】
あるいは、電力割り当てのために、以下を使用することができる。
Ｉｆ  Ｐmax＞Ｐgranted,x＋Ｐgranted,y
何もせず、同じＳＧを維持する
Ｅｌｓｅ
ｉｆ  ｍｉｎ（Ｐgranted,x，Ｐgranted,y）＝Ｐgranted,x、すなわちＰgranted,x＜Ｐgranted,y
Ｔｈｅｎ  Ｐmax,x＝Ｐgranted,x、すなわちＳＧmax,x＝ＳＧｘ、Ｐmax,y＝Ｐmax−Ｐgranted,x
Ｅｌｓｅ  （すなわち、ｍｉｎ（Ｐmax／２，Ｐgranted,x，Ｐgranted,y）＝Ｐgranted,y）
Ｔｈｅｎ  Ｐmax,y＝Ｐgranted,y、すなわちＳＧmax,y＝ＳＧｙ、Ｐmax,x＝Ｐmax−Ｐgranted,y
Ｅｌｓｅ  ｉｆ  Ｐgranted,x＝Ｐgranted,y
【００７０】
どちらの場合も、計算されたＰmax,xは、Ｅ−ＴＦＣ制約のための新しい制限として使用することができる。あるいは、Ｐmax,xは、新しいスケーリングされた架空のサービンググラントＳＧinput x＝（Ｐmax,x−ＰDPCCH,x−ＰE-DPCCH,x＋ＰHS-DPCCH,x）／ＰDPCCH,xを計算するために使用することができる。後者の場合、グラントは、両方の搬送波に対する制限ファクタとすることができる。
【００７１】
あるいは、２つの搬送波の間で使用される合計電力を均等にしようと試みる代わりに、ＷＴＲＵは、使用されるサービンググラントを均等にしようと試みることができる。最大のＥ−ＤＰＤＣＨ／ＤＰＣＣＨ電力比がサービンググラントによって提供されると仮定すると、ＷＴＲＵは、ＷＴＲＵが搬送波ｚ＝｛ｘ，ｙ｝についてのＥ−ＤＣＨスケジュールド送信のために使用できる電力を、以下のように計算または推定することができる。
ＰE-DPDCH,z＝ＳＧzＰDPCCH,z  式（３）
【００７２】
Ｐgranted,x＋Ｐgranted,y＜Ｐmax、または等価的にＰE-DPDCH,x＋ＰE-DPDCH,y＞Ｐmax−（ＰDPCCH,z＋ＰHS-DPCCH,z＋ＰE-DPCCH,z）＝ＰDATA,maxである場合、両方の搬送波にわたって使用される電力は、スケールダウンし、均等にする必要がある。その後、ＷＴＲＵは、上と同様の手順を実行することができるが、Ｐgranted,zおよびＰmaxを使用する代わりに、ＷＴＲＵは、それぞれＰE-DPDCH,zおよびＰDATA,maxを使用することができる
【００７３】
任意選択的に、最小電力割り当てまたは電力比を、一方または両方の搬送波に対して定義することができる。
【００７４】
任意選択的に、制御チャネルの送信のための最小電力割り当てＰmin,z（ｚ＝ｘまたはｙ）およびデータの送信のための最小電力比の両方を、一方または両方の搬送波に対して定義することができる。Ｐmin,zは、以下のように計算することができる。
Ｐmin,z＝ＰDPCCH,z＋ＰE-DPCCH,z＋ＰHS-DPCCH,z  式（４）
【００７５】
搬送波ｚ上でＨＳ−ＤＰＣＣＨが送信されない場合、項ＰHS-DPCCH,zは省略することができる。Ｂｅｔａed_min_zが、搬送波ｚ（ｚ＝ｘまたはｙ）上で最小許容トランスポートブロックサイズを送信するのに必要な電力比を表すとする。制御チャネルの送信のための電力は、以下のように、すなわち、Ｐmax,x＝Ｐmin,xおよびＰmax,y＝Ｐmin,yと割り当てられる。その後、第１の搬送波である搬送波ｘの最小電力比要件を満足するように、残余の電力を以下のように割り当てる。
Ｐremaining＝Ｐmax−（Ｐmax,x＋Ｐmax,y）と設定する。
【００７６】
Ｉｆ  Ｐremaining＞Ｂｅｔａed_min,x×ＰDPCCH,x
Ｔｈｅｎ  Ｐmax,x＝Ｂｅｔａed_min,x×ＰDPCCH,x＋Ｐmax,xと設定する
Ｅｌｓｅ
Ｐremainingを任意選択的に搬送波ｙに割り当てることができる
Ｐmax,y＝Ｐmax,y＋Ｐremaining
【００７７】
その後、第２の搬送波である搬送波ｙの最小電力比要件を満足するように、残余の電力を以下のように割り当てることができる。
Ｐremaining＝Ｐmax−（Ｐmax,x＋Ｐmax,y）と設定する。
【００７８】
Ｉｆ  Ｐremaining＞Ｂｅｔａed_min,y×ＰDPCCH,y
Ｔｈｅｎ  Ｐmax,y＝Ｂｅｔａed_min,y×ＰDPCCH,y＋Ｐmax,yと設定する
Ｅｌｓｅ
Ｐremainingを任意選択的に搬送波ｘに割り当てることができる
Ｐmax,x＝Ｐmax,x＋Ｐremaining
【００７９】
その後、残余の電力は、本明細書で開示される実施形態のいずれかに従って（例えば、各搬送波について比を計算することによって）、両方の搬送波に割り当てることができる。
【００８０】
上の実施形態では、搬送波ｘと搬送波ｙは、交換することができる。残余の電力を最初に割り当てる搬送波は、以下の基準のいずれか、または上で開示された搬送波選択基準のいずれかを使用して選択することができる。搬送波ｘまたはアンカー搬送波を、最初に選択することができる。あるいは、最も大きい電力ヘッドルームを有する搬送波を、最初に選択することができる。あるいは、最も大きいサービンググラントを有する搬送波を、最初に選択することができる。
【００８１】
代替的な電力割り当て実施形態では、最大許容電力比になるまで電力比が２つの搬送波に等しく分配されるように、電力を各搬送波に割り当てることができる。これは、データの送信のための電力比（すなわち、Ｂｅｔａed）の代わりに、絶対電力が割り当てられる先の実施形態とは対照的である。Ｐmaxは、両方の搬送波にわたって結合された合計の最大送信電力を表す。ＳＧzは、搬送波ｚ（ｚ＝ｘまたはｙ）におけるサービンググラント（または等価的にスケジューリンググラント）を表す。ＰＲzは、Ｅ−ＤＣＨの送信のために搬送波ｚに割り当てられる電力比を表す。ＰDPCCH,zは、搬送波ｚ上でのＵＬ  ＤＰＣＣＨの送信電力を表す。ＰＣzは、搬送波ｚ上での（ＵＬ  ＤＰＣＣＨを含む）制御チャネルの送信電力を表す。
【００８２】
ＰＲxは、合計送信電力になるまで両方の搬送波に電力比が等しく割り当てられると仮定して、以下のように計算することができる。
ＰＲx＝ＰＲy＝（Ｐmax−ＰＣx−ＰＣy）／（ＰDPCCH,x＋ＰDPCCH,y）
【００８３】
ＰＲxがＳＧxを超過した場合、残余の電力を、以下のように搬送波ｙに割り当てることができる。
Ｉｆ  ＰＲx＞ＳＧx  Ｔｈｅｎ
ＰＲx＝ＳＧxと設定する
ＰＲy＝（Ｐmax−ＰＣx−ＰＣy−ＰＲx×ＰDPCCH,x）／ＰDPCCH,yと設定する
【００８４】
ＰＲyがＳＧyを超過した場合、残余の電力を、以下のように搬送波ｘに割り当てることができる。
Ｉｆ  ＰＲy＞ＳＧy  Ｔｈｅｎ
ＰＲy＝ＳＧyと設定する
ＰＲx＝ｍｉｎ（ＳＧx，（（Ｐmax−ＰＣx−ＰＣy−ＰＲx×ＰDPCCH,x）／ＰDPCCH,x））と設定する
【００８５】
搬送波ｚについての最大送信電力は、以下のように計算することができる。
Ｐmax,z＝ＰＲz×ＰDPCCH,z＋ＰＣz
【００８６】
任意選択的に、各搬送波について、最小電力比ＰＲmin,zを定義することができる。この場合、上の式は、以下のように変更することができる。ＰＲzは、合計送信電力になるまで両方の搬送波に電力比が等しく割り当てられると仮定して、以下のように計算することができる。
ＰＲx＝ＰＲy＝（Ｐmax−ＰＣx−ＰＣy）／（ＰDPCCH,x＋ＰDPCCH,y）
【００８７】
その後、最小電力比が搬送波ｘに割り当てられたこと（ＰＲmin,xが設定され、０より大きいかどうか）が、以下のように検証される。
Ｉｆ  ＰＲx＜ＰＲmin,x  ｔｈｅｎ
搬送波ｘに割り当てられた電力を搬送波ｙに割り当てる
ＰＲy＝（Ｐmax−ＰＣx−ＰＣy）／ＰDPCCH,y
ＰＲx＝０
【００８８】
その後、最小電力比が搬送波ｙに割り当てられたこと（ＰＲmin,yが設定され、０より大きいかどうか）が、以下のように検証される。
Ｉｆ  ＰＲy＜ＰＲmin,y  ｔｈｅｎ
搬送波ｙに割り当てられた電力を搬送波ｘに割り当てる
ＰＲx＝（Ｐmax−ＰＣx−ＰＣy）／ＰDPCCH,x
ＰＲy＝０
【００８９】
搬送波ｘと搬送波ｙは、交換することができる。搬送波ｘまたはアンカー搬送波を、最初に選択することができる。あるいは、最も大きい電力ヘッドルームを有する搬送波、または最も大きいサービンググラントを有する搬送波を、最初に選択することができる。
【００９０】
浪費される電力を低減するための電力割り当て実施形態が、これ以降で開示される。これらは、上で開示された電力割り当て実施形態と組み合わせることができる。電力および／またはグラントの並列的な割り当ては、より低い電力不均衡をもたらすことができるが、グラントがスケールダウンされた場合、電力の浪費が生じることがあり、ＷＴＲＵは、ＭＡＣ−ｄフロー多重化制約に起因する、第１の搬送波におけるバッファ制限を被る。
【００９１】
一実施形態によれば、ＷＴＲＵは、搬送波の間で電力を均衡させるために、電力またはグラントをスケーリングするスケーリング係数を決定することができる。スケーリング係数またはスケーリング値は、各搬送波についてのサービンググラントまたは電力に適用可能とすることができ、任意の方法によって計算できることが理解されよう。スケーリング係数は、θと呼ばれ、またはρzと呼ばれることもある。
【００９２】
最大のＥ−ＤＰＤＣＨ／ＤＰＣＣＨ電力比がサービンググラントによって提供されると仮定すると、ＷＴＲＵは、ＷＴＲＵが搬送波ｚ＝｛ｘ，ｙ｝（例えば、ｘ＝１およびｙ＝２、または代替として、ｘ＝２およびｙ＝１）についてのＥ−ＤＣＨスケジュールド送信のために使用できる電力を、以下のように計算または推定することができる。
ＰE-DPDCH,z＝ＳＧz×ＰDPCCH,z  式（５）
【００９３】
任意選択的に、ＰE-DPDCH,zは、割り当てられたサービンググラントおよび（許容されるならば）搬送波における非スケジュールドグラントに従って、スケジュールドおよび非スケジュールド送信を送信するために必要とされる電力を含むことができ、または代替として、非スケジュールド送信のために必要とされる電力は、以下に示されるように、搬送波ｚについての合計送信電力の計算において獲得される。
【００９４】
電力が制限される場合、ＷＴＲＵは、使用される合計電力が最大電力Ｐmaxを超過しないように、各搬送波に関連付けられる送信電力を低減させる必要がある。ＷＴＲＵは、Ｐx＋Ｐy＞Ｐmaxである場合、または等価的に、ＰE-DPDCH,x＋ＰE-DPDCH,y＞Ｐmax−（ＰDPCCH,z＋ＰHS-DPCCH,z＋ＰE-DPCCH,z）＝ＰDATA,maxである場合、電力制限状態にあると見なすことができる。Ｐzは、非スケジュールド送信を含むことも、または含まないこともある、搬送波ｚ上での送信のために使用される合計電力に対応し、以下のように決定される。
Ｐz＝ＰDPCCH,z＋ＰHS-DPCCH,z＋ＰE-DPCCH,z＋ＰE-DPDCH,z  式（６）
（許容されるならば）非スケジュールド電力が搬送波ｚについて考慮される任意選択的な
Ｐz＝ＰDPCCH,z＋ＰHS-DPCCH,z＋ＰE-DPCCH,z＋ＰE-DPDCH,z＋Ｐnon-SG,z  式（７）
【００９５】
ＰDATA,maxは、Ｅ−ＤＣＨトラフィックに割り当てることができる電力を表す。最初に、ＷＴＲＵが電力制限されている場合の第１のステップとして、ＷＴＲＵは、ＰE-DPDCH,xおよび／もしくはＰE-DPDCH,yをスケーリングするために、またはサービンググラントをスケーリングするために使用できる、スケーリング係数θ＝ＰDATA,max／（ＰE-DPDCH,x＋ＰE-DPDCH,y）を計算する。
【００９６】
この実施形態の一部として、使用されるＰmaxは、最悪ケースのバックオフ状況（すなわち、ＷＴＲＵがサービンググラントに従ってＰE-DPDCH,zを送信した場合にもたらされるバックオフ）を考慮することができる。しかし、ＷＴＲＵが電力制限される場合、実際のＰE-DPDCH,z,usedはサービンググラントによって提供される値よりも低い値に対応し、したがって、実際のバックオフははるかに低くなり得るので、この考慮は、ＷＴＲＵの電力が浪費される結果をもたらすことがある。Ｅ−ＤＰＣＣＨ電力昇圧（ｐｏｗｅｒ  ｂｏｏｓｔｉｎｇ）が設定される場合、同じことが、推定されるＰE_DPCCH,z値にも当てはまる。ＷＴＲＵは、ＳＧzに従った最終的なＰE-DPDCH,zレベルを仮定して、最悪ケースシナリオの値を使用することができる。しかし、使用されるＰE-DPDCH,z,usedは、サービンググラントによって許容される値よりも低い値をもたらす可能性がきわめて高く、したがって、ＰE-DPCCHzは、式中で使用される仮定された電力よりも低くなることがあるので、この場合にも、電力浪費が生じることがある。したがって、電力を浪費しないように、ＷＴＲＵは、どのようなバックオフも考慮せずに、または代替として、最も低いバックオフおよび最小許容ＰE-DPCCH,z値とともに、Ｐmaxを使用することができる。
【００９７】
スケーリング係数または値が決定されると、ＷＴＲＵは、このスケーリング係数または値を一方の搬送波に対して使用して、他方の搬送波が、残余の電力および許容されたサービンググラントを完全に使用することを可能にすることができる。より具体的には、ジョイントバッファからのデータは、順序通りの配送を保証するために、順番に取り出して、一度に１つの搬送波を満たさなければならず、優先度が最も高いＭＡＣ−ｄフローの決定は、バッファ制約および多重化制約に応じて、したがって、ＨＡＲＱプロファイル（オフセットおよび再送が異なることがある）、ならびにＥ−ＴＦＣ制約に応じて、２つの搬送波で異なることがあるので、Ｅ−ＴＦＣＩ決定（およびデータフィリング（ｄａｔａ  ｆｉｌｌｉｎｇ））は、一度に１つの搬送波ずつ順番に実行しなけれならないことがあり、またはより具体的には、１組のサポートされるＥ−ＴＦＣＩは、使用されるＨＡＲＱオフセットに依存し、また第２の搬送波におけるバックオフも、Ｅ−ＴＦＣ（他方の搬送波で送信される符号の量）に依存するので、サポートされるＥ−ＴＦＣＩの決定は、順番に行う必要がある。
【００９８】
この実施形態によれば、決定されるスケーリング係数または値は、最初に選択された搬送波にのみ適用することができる。これは、ＷＴＲＵが使用を許可された絶対最大Ｅ−ＤＰＤＣＨ対ＤＰＣＣＨ電力比を最初の搬送波に課すことができる。搬送波ｘのＥ−ＤＰＤＣＨに関連する変更された電力レベルは、ＰE_DPDCH,mod,x＝θ×ＰE-DPDCH,xとして計算することができ、ここで、ｘは、Ｅ−ＴＦＣ選択を最初に実行するために最初に選択された搬送波である。その後、この電力は、架空の「サービンググラント」ＳＧinput,x＝θ×ＳＧxにマッピングすることができる。
【００９９】
ＷＴＲＵは、搬送波ｘのためのＥ−ＴＦＣ選択の部分として、優先度が最も高いＭＡＣ−ｄフロー、多重化リスト、およびＨＡＲＱプロファイルを決定し、ＷＴＲＵがいくつのビットをこの最初の搬送波内に収めることができるかを決定するために、Ｅ−ＴＦＣ選択手順を実行する。その後、ＷＴＲＵは、搬送波ｘのためのＥ−ＴＦＣ制約の一部として、１組のサポートされるＥ−ＴＦＣを決定する。Ｅ−ＴＦＣ制約は、搬送波に対して順番に実行することができる。例えば、この手法では、ＷＴＲＵは、１組のサポートされるＥ−ＴＦＣを決定する場合に、ＷＴＲＵが十分な利用可能な電力を有し、Ｅ−ＤＰＤＣＨおよびＥ−ＤＰＣＣＨが他方の搬送波で送信されないことを仮定することができる（すなわち、スケーリングされたサービンググラントが、ＷＴＲＵが一定の電力割り当てを超過しないことを保証する）。
【０１００】
その後、ＷＴＲＵは、スケジュールド送信のための最大ビット数ｋを決定するために使用される最大Ｅ−ＤＰＤＣＨ／ＤＰＣＣＨの値として、ＳＧinput,x＝θ×ＳＧxを使用する。論理チャネルまたはＭＡＣ−ｄフロー優先度、バッファ可用性、架空スケジュールドグラント、および非スケジュールドグラントに基づいて、その後、ＷＴＲＵは、搬送波ｘのためのＥ−ＴＦＣＩを決定する。
【０１０１】
最初の搬送波が選択され、この搬送波に含まれ得るビットの数が決定されると、ＷＴＲＵは、他方の搬送波である搬送波ｙに対してＥ−ＴＦＣ選択を実行する。最初の搬送波におけるバッファ制限が原因で、ＳＧinput,xによって与えられる許容電力のすべてが使用できたわけではないので、他方の搬送波に対してＥ−ＴＦＣ選択を実行する場合、ＷＴＲＵは、実際に提供されるサービンググラントまで、残余の電力のすべてを使用できると仮定する。より具体的には、ＳＧinput,y＝ＳＧyであり、または等価的に、ＳＧinput,y＝θ×ＳＧyが成り立つように、スケーリング係数θ＝１である。任意選択的に、Ｐmax,y＝Ｐmaxであると見なすこともできる。
【０１０２】
この方式は、未使用の電力が第２の搬送波によって使用されることを可能にするが、並列的な割り当て方式は、第１の搬送波の電力が割り当てられた電力を決して超過せず、したがって、第２の搬送波における電力もそれを決して超過しないことを依然として保証している。したがって、搬送波ｙに対して、ＷＴＲＵは、優先度がより高い新しいＭＡＣ−ｄフロー、ならびに新しい搬送波のための新しい多重化リストおよびＨＡＲＱプロファイルを決定することができる。残余の全電力がこの搬送波で利用可能であり、他方の搬送波ｘにおいてＥ−ＤＰＤＣＨおよびＥ−ＤＰＣＣＨのために使用される電力が考慮されると仮定して、この搬送波に対して、Ｅ−ＴＦＣ制約が実行される。その後、ＷＴＲＵは、１組のサポートされるＥ−ＴＦＣ、搬送波ｙの実際のサービンググラント、およびバッファ可用性に基づいて、搬送波ｙのために使用するビットの数またはＥ−ＴＦＣＩを決定する。
【０１０３】
このメカニズムは、以下のことを保証する。搬送波ｘに対して十分なデータが存在する（すなわち、ＳＧinput,xが完全に使用されるか、またはＰE-DPDCHused,x＝ＰE-DPDCHmod,xである（これは初期電力割り当て方式で使用されるような近似である）場合、
ＰE-DPDCHusedmax,y＝ＰDATA,max−ＰE-DPDCHused,x＝ＰDATA,max−ＰE-DPDCHmod,x＝ＰE-DPDCHmod,y  式（８）
である。これは、不均衡および割り当てが、両方のグラントがスケーリングされたかのようであることを意味する。搬送波ｘに対して十分なデータが存在しない（すなわち、ＳＧinput,xが完全には使用されないか、またはＰE-DPDCHused,x＜ＰE-DPDCHmod,xである）場合、第２の搬送波によって、ＰE-DPDCHmod,x−ＰE-DPDCHused,xが使用される。これは、ＰE-DPDCHusedmax,y＝ＰDATA,max−ＰE-DPDCHused,x＜ＰDATA,max−ＰE-DPDCHmod,x＜ＰE-DPDCHmod,y)であり、したがって、ＰE-DPDCHmod,y＜ＰE-DPDCHusedmax,y＜ＰE-DPDCH,yであることを保証する。
【０１０４】
したがって、これは時に、スケーリングされたＰy,newよりも高い電力をわずかに利用する第２の搬送波をもたらすことがあるが、電力が浪費されず、電力不均衡が依然として許容範囲内にあることを保証している。
【０１０５】
あるいは、ＷＴＲＵは、Ｐinput,E-DPDCHy＝ＰData−ＰE-DPDCHused,xという追加の計算を実行することができる。Ｐinput,E-DPDCHyは、ＰE-DPDCHmod,yに対応し、ＳＧinpnt,y＝Ｐinput,E-DPDCHy／ＰDPCCHyを計算するために使用することができる。
【０１０６】
あるいは、ＳＧおよびＤＰＣＣＨ電力に基づいて、電力を割り当てることもできる。各搬送波における電力は、その搬送波におけるサービンググラントとＤＰＣＣＨ電力の比に関してスケーリングすることができる。より具体的には、各搬送波上でＥ−ＤＰＤＣＨに対して割り当てられる残余の電力の割合ρzは、以下のように、スケーリング係数Ｗz、ｚ＝ｘ，ｙに基づくことができ、
ρz＝Ｗz／（Ｗx＋Ｗy）  式（９）
ここで、Ｗz＝ＳＧz／（ＰDPCCH,z）ｚ＝ｘ，ｙであり、ＳＧzおよびＰDPCCH,zは、それぞれ搬送波ｚにおけるサービンググラントおよびＤＰＣＣＨ電力である。
【０１０７】
この手法は有望な結果を示したが、ＤＰＣＣＨ電力レベルは素早く変化し、この情報はノードＢのスケジューラでは利用不能であるので、ＷＴＲＵによって各搬送波において使用される電力量をネットワークが予測することは困難なままである。
【０１０８】
あるいは、Ｗzを計算するときに、ＤＰＣＣＨ電力の平均値を使用することができる。この平均は、多くの方法で取ることができる。例えば、ＷＴＲＵは、固定された時間間隔（スライディングウィンドウ）にわたって平均されたＤＰＣＣＨ電力を計算することができる。この時間間隔は、仕様書で規定することができ、または任意選択的に、この時間間隔は、ネットワークによって設定することができる。ＷＴＲＵは、ＵＰＨの計算で使用された平均ＤＰＣＣＨ電力を使用することができる。ＷＴＲＵは、最後に送信されたＳＩについてのＵＰＨの計算で使用された平均ＤＰＣＣＨ電力を使用することができる。ＷＴＲＵは、最後に正常に送信されたＳＩについてのＵＰＨの計算で使用された平均ＤＰＣＣＨ電力を使用することができる。ＷＴＲＵは、最後に正常に送信された定期的なＳＩについてのＵＰＨの計算で使用された平均ＤＰＣＣＨ電力を使用することができる。ＤＰＣＣＨ電力推定のこの手法は、ＤＰＣＣＨの電力を必要とする電力割り当て方式のいずれに対しても使用することができる。
【０１０９】
非スケジュールド送信を考慮する並列的な電力割り当て方式が、これ以降で説明される。ネットワークは、搬送波に属するＨＡＲＱプロセスに基づいて非スケジュールドグラントを与え、またはＴＴＩに適用可能な非スケジュールドグラントを与え、ＷＴＲＵが、搬送波を選択する。
【０１１０】
搬送波を満たす前に、最大電力がスケーリングされ、両方の搬送波の間で割り当てられる、並列的な電力割り当て方式のための実施形態では、非スケジュールドデータおよびそれらの送信に関連する優先度は、考慮されなかった。非スケジュールドデータの送信は、プライマリ搬送波上でのみ許可することができる。これは、ＷＴＲＵが電力制限状態にある場合、および電力が両方の搬送波にわたって分割される場合、非スケジュールド送信のために使用できた電力の一部が、非スケジュールドデータを送信できない他方の搬送波に割り当てられたため、ＷＴＲＵは、すべての許容される非スケジュールドデータを完全には送信できないことがあることを意味する。判定は、図１０のステップ５０４において行うことができる。ＷＴＲＵは、Ｐx＋Ｐy＞Ｐmaxである場合、電力制限状態にあると判定することができる。Ｐxは、ＳＧに基づいてＥ−ＤＣＨスケジュールドデータを送信するのに必要とされる電力、Ｅ−ＤＣＨ非スケジュールド送信を送信するのに必要とされる電力、Ｅ−ＤＰＣＣＨ、ＤＰＣＣＨ符号電力、および存在するならばＨＳ−ＤＰＣＣＨ電力に従って、計算することができる。例えば、Ｐx＝（ＳＧ×ＰDPCCH＋Ｐnon-SG＋ＰDPCCH＋ＰHS-DPCCH＋ＰE-DPCCH）である。Ｐyは、上記の実施形態において説明されたように計算することができる。この例では、搬送波ｘが、非スケジュールド送信が実行される搬送波に対応することが理解されよう。
【０１１１】
一実施形態によれば、電力を搬送波の間で分割する前に、ＷＴＲＵは、許容される利用可能な（利用可能であれば）非スケジュールド送信を送信するのにＷＴＲＵが必要とする電力を、プライマリ搬送波に割り当てようと試みる。Ｐnon-SGは、与えられたＴＴＩ中に許容される非スケジュールドＭＡＣ−ｄフロー（例えば、許容されるＭＡＣ−ｄフローの各々または利用可能なデータを有する許容されるＭＡＣ−ｄフローの各々についての残余の非スケジュールドグラントペイロードの和）を送信するのに必要とされる電力と呼ばれる。許容されるＭＡＣ−ｄフローは、優先度が最も高いＭＡＣ−ｄフローの多重化リストに従って決定される。
【０１１２】
Ｐnon-SGは、すべての許容される利用可能な非スケジュールドＭＡＣ−ｄフローを送信するのに必要とされる電力を決定することによって、計算することができる。上で説明したように、これは、許容される利用可能な各非スケジュールドフローについての残余の非スケジュールドグラントペイロードの合計または和を送信するのに必要とされる電力とすることができる。あるいは、これは、設定された非スケジュールドグラントを利用可能なビット数まで加算し、利得係数、または最も優先度が高いＭＡＣ−ｄフローのＨＡＲＱオフセットを与えた場合に計算されたビット数を送信するのに必要とされる電力を決定することによって、計算することができる。この方法の使用は、ＷＴＲＵが、データの可用性に従って必要とされる電力をより正確に計算することを可能にする。利用可能なビット数は、ＷＴＲＵがより多くの非スケジュールドグラントを有する場合でも、制限ファクタとすることができる。したがって、送信できる許容される各ＭＡＣ−ｄフローの「非スケジュールドビットの数」は、ｍｉｎ（残余の非スケジュールドペイロード，利用可能なビットの数）に対応することができる。
【０１１３】
非スケジュールドグラントおよび利用可能なビットに基づいて送信できるビットの総数は、Ｎに等しく、ここで、Ｎ＝Σ（優先度が最も高いＭＡＣ−ｄフローおよび多重化リストに従って許容されるＭＡＣ−ｄフロー当たりの非スケジュールドデータ）であり、ＭＡＣ−ｄフロー当たりの非スケジュールドデータは、ｍｉｎ（利用可能な非スケジュールドデータ，非スケジュールドグラント）として、または（定義上、非スケジュールドグラントのことである）残余の非スケジュールドグラントペイロードとして決定することができる。任意選択的に、ヘッダを考慮することができる。その後、ＷＴＲＵは、Ｎビットを送信するのに必要とされる電力、またはこのデータの送信を可能にするＥ−ＴＦＣＩ、Ｐnon-SGを決定することができる。許容されるＭＡＣ−ｄフローは、与えられたＴＴＩ中に送信を許可されたＭＡＣ−ｄフロー、および／または利用可能なデータを有する優先度が最も高いＭＡＣ−ｄフロー、もしくは与えられた搬送波について利用可能なデータを有する優先度が最も高いＭＡＣ−ｄフロー、もしくは（スケジュールド送信を排除した）優先度が最も高い非スケジュールドＭＡＣ−ｄフローの多重化リストに従って許容されるＭＡＣ−ｄフローに対応する。任意選択的に、Ｐnon-SGは、計算において、ＤＰＣＣＨ電力および利用可能ならばＨＳ−ＤＰＣＣＨ電力を考慮することができ、または代替として、
Ｐnon-SG＝利得係数×ＤＰＣＣＨ電力（プライマリ搬送波ＤＰＣＣＨ電力）  式（１０）
と等価とすることができ、ここで、利得係数は、例えば、３ＧＰＰ  ＴＳ２５．２１４の、Ｅ−ＤＰＤＣＨ電力外挿公式、または代替として、Ｅ−ＤＰＤＣＨ電力補間公式を使用して、非スケジュールド送信について計算されるＥ−ＤＰＤＣＨ利得係数である。利得係数計算は、利用可能な非スケジュールドデータが存在する優先度が最も高いＭＡＣ−ｄフロー、もしくは代替として、任意の種類の利用可能なデータが存在する優先度が最も高いＭＡＣ−ｄフローのＨＡＲＱオフセット、または代替として、事前設定されたＨＡＲＱオフセットを潜在的に使用することができる。
【０１１４】
Ｐnon-SGが与えられた場合、その後、両方の搬送波の間での電力割り当てを、以下の選択肢の一方で決定することができる。第１の選択肢によれば、ＷＴＲＵは、スケジュールド送信のために両方の搬送波の間で電力を分割するために使用されるＰmaxを、以下のように決定することができ、
Ｐremaining＝Ｐmax−Ｐnon-SG  式（１１）
ここで、初期Ｐmaxは、潜在的に電力バックオフを考慮した、ＷＴＲＵによって許容される最大電力である。その後、ＷＴＲＵは、スケジュールドグラントおよびデータについて本明細書で説明された実施形態のいずれかに従って、両方の搬送波の間でどのように電力を共有および分割するかを決定するために、新しい残余の電力を使用することができる。例えば、上で説明されたようなθを決定するために、ＷＴＲＵは、Ｐmaxの代わりに、または以下の解法、すなわち、
【０１１５】
【数１】
0005427893.tif 000003
【０１１６】
【数２】
0005427893.tif 000004
【０１１７】
の一方のために、式（１１）のＰremainingを使用することができる。これは、計算されるＰDATA,maxが、スケジュールド送信のために使用できる利用可能な電力であることを意味する。非スケジュールド送信が利用可能でない場合は、Ｐremaining＝Ｐmaxである。
【０１１８】
第２の選択肢によれば、ＷＴＲＵは、最初に電力を非スケジュールド送信のためのプライマリ搬送波に割り当て、十分なグラントが利用可能である場合は、残余の電力を他方の搬送波に割り当てることによって、両方の搬送波の間で電力を均衡させようと試みることができる。ＰE-DPDCH,iは、搬送波ｉにおけるＥ−ＤＰＤＣＨ送信のために必要とされる電力と等価である。したがって、この選択肢では、ＷＴＲＵは、搬送波２に対して、以下のようなＰ2を提供する。
【０１１９】
Ｐ2＝Ｍｉｎ（Ｐmax−Ｐnon-SG，ＰE-DPDCH,2）  式（１４）
【０１２０】
電力が依然として残っている場合、ＷＴＲＵは、利用可能なグラントと電力とのうちの小さい方まで、それを搬送波１に割り当てる。以下の条件が、すなわち、Ｐtot＝Ｐ1＋Ｐ2＞Ｐmaxが真である場合に、第２の選択肢に従うことができ、ここで、Ｐ1およびＰ2は、それぞれ各搬送波においてスケジュールド送信および非スケジュールド送信によって許容される合計送信電力である。
【０１２１】
あるいは、ＷＴＲＵがＰnon-SGをプライマリ搬送波に割り当てる場合、ＷＴＲＵは、最初に非スケジュールド送信のためにプライマリ搬送波に割り当てられたのと少なくとも同じ電力を搬送波２に割り当て（すなわち、Ｐ2＝Ｍｉｎ（Ｐnon-SG，ＰE-DPDCH,2，Ｐremaining））、ここで、Ｐremainingは、プライマリ搬送波における非スケジュールドデータが考慮された後の、残余の電力である。電力が依然として利用可能である場合（すなわち、Ｐremaining＞Ｐ2＋Ｐnon-SG）、両方の搬送波にわたる残余の電力のスケーリングは、並列的な電力共有手法について説明された方法のいずれかを使用して、行うことができる。
【０１２２】
第３の選択肢によれば、非スケジュールド送信によって必要とされる電力を考慮せずに、スケジュールド送信のためのθまたはスケーリング係数が独立に決定される。より具体的には、スケーリング係数は、合計ヘッドルームＰDATA,maxがスケジュールド送信のために利用可能であり、スケーリング係数がしかるべく決定されることを仮定して計算される。
【０１２３】
加えて、一実施形態では、すべての電力（すなわちＰmax）が第１の搬送波でのみ利用可能であることを仮定して、また他方の搬送波上ではデータが送信されない（すなわち、ＰE_DPDCH,2およびＰE_DPCCH,2がゼロである）ことを仮定して、第１の搬送波に対するＥ−ＴＦＣ制約を実行することができる。これは、非スケジュールドグラント、データ、および電力がすべて利用可能である場合、すべての利用可能な電力が非スケジュールド送信に充てられることを保証する。加えて、スケジュールド送信が非スケジュールド送信よりも高い優先度を有する場合、スケジュールド送信は、利用可能な電力をサービンググラント（またはスケーリングされたグラント）まで利用する際に、より高い優先度を取得することができる。その後、残余の電力を、非スケジュールド送信に割り当てることができる。これは、選択肢１または選択肢２におけるようなスケーリングされるサービンググラントと比較した場合、異なっている。スケジュールドデータが非スケジュールドデータよりも高い優先度を有する場合、いくらかの電力が非スケジュールド送信に事前に割り当てられているので、ＷＴＲＵは、量が制限された実際に送信できるデータを有する。
【０１２４】
スケジュールド送信が非スケジュールド送信よりも高い優先度を有する場合、第１の搬送波におけるサービンググラントまたは架空サービンググラントが完全に利用されており、優先度がより高いこのスケジュールドＭＡＣ−ｄフローが依然として残っている状況では、ＷＴＲＵは依然として、利用可能な電力を有し、バッファ内には優先度がより高いスケジュールドデータを有することがあるが、第１の搬送波のＳＧは超過されている。そのような状況では、ＷＴＲＵは、非スケジュールド送信がより低い優先度を有するとしても、非スケジュールドデータを用いて第１の搬送波を満たし続けることができる。非スケジュールドグラントまでのデータが第１の搬送波に含まれると、その後、ＷＴＲＵは、第２の搬送波に移り、優先度がより高いスケジュールドＭＡＣ−ｄフローの送信を続けることができる。これは、優先度がより高いデータがまだ利用可能であるうちに、利用可能な電力が、優先度がより低いデータによって使用されることを暗に示唆しているが、簡潔であるという理由で、最初に一方の搬送波を使い尽くし、その後、他方の搬送波に移る方がより優れている。
【０１２５】
あるいは、優先度がより低いデータのために使用される電力の量を最小化するため、ＷＴＲＵは、最初にセカンダリ搬送波を満たすことを選択することができる。これは、ＷＴＲＵが、非スケジュールド送信よりも優先度が高いスケジュールド送信を有する場合に、望ましいことがある。これは、ＷＴＲＵが、サービンググラントを使用して、優先度がより高いデータを有する一方の搬送波を最適化することを可能にし、その後、グラント／電力／または利用可能なデータが利用されると、ＷＴＲＵは、プライマリ搬送波に移る。プライマリ搬送波では、優先度がより高いスケジュールドＭＡＣ−ｄフローがまだ存在する場合、ＷＴＲＵは、このデータを送信するために、プライマリ搬送波の電力およびサービンググラントを利用することができる。残余の電力に基づいて、優先度が次に最も高いデータが非スケジュールドデータである場合、ＷＴＲＵは、非スケジュールドデータを送信するために、電力の残りを使用することができる。
【０１２６】
第４の選択肢によれば、ＷＴＲＵは、最初に非スケジュールドＭＡＣ−ｄフローのために、アンカー搬送波に対してＥ−ＴＦＣ選択を実行することができる。これは、ＷＴＲＵが、プライマリ搬送波で送信できる非スケジュールドデータの数、およびこの送信のために必要とされる電力を決定することを可能にする。その後、ＷＴＲＵは、最初のＥ−ＴＦＣ選択によって非スケジュールドによって送信されると分かったものが最大電力において考慮される場合のスケーリング係数を決定することによって、スケジュールド送信のためのデュアルキャリアＥ−ＴＦＣ選択を実行する。
【０１２７】
ＷＴＲＵが電力制限されているかどうかを決定する場合、または電力割り当ての場合、与えられたＴＴＩ中にＨＡＲＱプロセスが活動化されていないならば、またはそのＴＴＩ中にＷＴＲＵがスケジュールド送信を送信するように許可もしくは構成されていないならば、スケジュールド送信のためのＥ−ＤＰＤＣＨ送信のための電力は、計算に含めなくてよい。これは、スケジュールド送信を考えるだけであるならば、ＰE-DPDCH,z＝０であることを暗に示唆することができる。あるいは、ＷＴＲＵは依然として、その搬送波上でスケジュールドデータを送信できると仮定することもできる。
【０１２８】
任意選択的に、ＷＴＲＵは、スケジュールド送信が許可されず、非スケジュールド送信が利用可能でないか、または許可されない場合、その搬送波についてのＰE_DPCCHzを考慮しないこともある。あるいは、ＷＴＲＵは、Ｅ−ＤＣＨデータが送信されない場合でも、Ｅ−ＤＰＣＣＨの電力を考慮することができる。あるいは、この搬送波についてＳＩがトリガされた場合、ＷＴＲＵは、ＳＩのみを送信するのに必要とされる電力であるＥ−ＤＰＣＣＨおよび／またはＥ−ＤＰＤＣＨの電力を、以下に公式化されるように考慮することができる。
ＰE-DPCCH,z＝ＰE-DPDCH,0,zおよびＰE-DPCCH,z＝ＰE-DPCCH,0,z
【０１２９】
初期Ｅ−ＴＦＣ選択のためにアップリンク搬送波を選択するための実施形態が、これ以降で開示される。以下で説明される搬送波選択のための実施形態は、単独で、または本明細書で開示される他の任意の実施形態と組み合わせて実行することができる。各アップリンク搬送波で送信されるビットの数、および各アップリンク搬送波で使用する電力などの選択に影響する手順はすべて、ＷＴＲＵがどのアップリンク搬送波を最初に選択し、処理するかに依存する。
【０１３０】
一実施形態によれば、ＷＴＲＵは、アンカー搬送波に優先権を与え、それを最初に処理することができる。これは、非スケジュールド送信がアンカー搬送波において許可される場合に望ましいことがある。あるいは、セカンダリ搬送波に優先権を与え、それを最初に選択することができる。
【０１３１】
あるいは、ＷＴＲＵは、セル間干渉を最小化し、ＷＴＲＵのバッテリ寿命を最大化し、および／またはビット送信当たり最も効率的なエネルギーを提供するように、優先度が最も高い搬送波を決定することができる。より具体的には、ＷＴＲＵは、最大の計算された搬送波電力ヘッドルームを有するアップリンク搬送波を選択することができる。ＷＴＲＵは、各搬送波についての現在の電力ヘッドルーム（例えば、ＵＰＨ（ＵＥ電力ヘッドルーム））の測定に基づいて（ＵＰＨは、最大ＷＴＲＵ送信電力と対応するＤＰＣＣＨ符号電力の比を表す）、または最低のＤＰＣＣＨ電力（ＰDPCCH）を有する搬送波に等価的に変換される、Ｅ−ＴＦＣ制約手順の結果（例えば、各搬送波についてのＮＲＰＭ（正規化残余電力余裕（ｎｏｒｍａｌｉｚｅｄ  ｒｅｍａｉｎｉｎｇ  ｐｏｗｅｒ  ｍａｒｇｉｎ））計算もしくは残余電力）に基づいて、この決定を行うことができる。例えば、アップリンク搬送波選択は、ビットの数に関して行うことができる（例えば、アンカー搬送波と補助搬送波のうちでより大きな「サポートされる最大ペイロード」を提供する搬送波に優先権を与えることができる）。サポートされる最大ペイロードは、ＷＴＲＵの残余電力（例えば、ＮＲＰＭまたは以下で開示される他の値）に基づいて決定されるペイロードである。
【０１３２】
あるいは、ＷＴＲＵは、最も大きい利用可能なグラントをＷＴＲＵに提供するアップリンク搬送波に優先権を与えることができ、このことは、ＷＴＲＵが、最も大量のデータを送信し、おそらくは最も少数のＰＤＵを生成することを可能にし、したがって、効率を向上させ、オーバヘッドを低下させることを可能にする。ＷＴＲＵは、アンカー搬送波のためのサービンググラント（ＳＧａ）と補助搬送波のためのサービンググラント（ＳＧｓ）との大きい方の値に基づいて、搬送波を選択することができる。
【０１３３】
あるいは、ＷＴＲＵは、アンカー搬送波と補助搬送波とのうちでより大きな「残余スケジュールドグラントペイロード」を提供する搬送波に優先権を提供することができる。残余のスケジュールドグラントペイロードは、ネットワークからのスケジューリンググラントに基づいて決定され、ＤＣＨおよびＨＳ−ＤＰＣＣＨの処理の後に残った利用可能なペイロードである。
【０１３４】
あるいは、ＷＴＲＵは、最大電力と最大グラントとの間で最適化を行うことができる。より具体的には、ＷＴＲＵは、最も多数のビットが送信されることを可能にする搬送波を選択することができる。ＷＴＲＵは、電力およびグラントの両方によって制限される、アンカー搬送波および補助搬送波についての送信できるビットの数（すなわち、アンカー搬送波についての「利用可能なペイロード」および補助搬送波についての「利用可能なペイロード」）を決定し、最も高い利用可能なペイロードを提供する搬送波を選択することができる。利用可能なペイロードは、残余のスケジュールドグラントペイロードとサポートされる最大ペイロードとの小さい方として決定することができる。
【０１３５】
任意選択的に、利用可能なペイロードを計算するときに、多重化できる各ＭＡＣ−ｄフロー（または利用可能なデータを有することができるすべての非スケジュールドＭＡＣ−ｄフロー）についての「残余のスケジュールドグラントペイロード」の和を考慮することもできる。より具体的には、利用可能なペイロードは、（残余のスケジュールドグラントペイロード＋ＳＵＭ（許容されるすべての非スケジュールドフローについての残余の非スケジュールドペイロード））とサポートされる最大ペイロードとの小さい方として決定することができる。非スケジュールドフローが一方の搬送波のみで（例えば、アンカー搬送波のみで）許可される場合、アンカー搬送波について利用可能なペイロードが考慮される。
【０１３６】
上記の実施形態は、ビットの数に関して説明されたが、電力比に基づいた搬送波選択にも等しく適用可能である。例えば、ＷＴＲＵは、グラント（アンカー搬送波のためのサービンググラント（ＳＧａ）および補助搬送波のためのサービンググラント（ＳＧｓ））に関して送信できるビットの最大数を提供する、ＳＧ（サービンググラント）を使用することができ、ＳＧ＝ＰE-DPDCH／ＰDPCCHである。あるいは、ＷＴＲＵは、残余電力を使用することができ、残余電力に基づいて、ビットの最大数を提供する。ＲＰ（残余電力（ｒｅｍａｉｎｉｎｇ  ｐｏｗｅｒ））は、特定の搬送波についての最大送信電力（一般にＰmaxと呼ばれる）から何らかの電力パラメータを減算することによって、任意の方法で計算することができる。例えば、搬送波を選択するために使用できるＲＰは、以下のうちの１つまたはそれらの組合せとすることができる（ここで、ｚ＝ｘまたはｙ）。
（１）ＲＰz＝ＰMAX／ＰDPCCH,target,z
（２）ＲＰz＝（ＰMAX−ＰE-DPCCH,z−ＰHS-DPCCH−ＰDPCCH,target,z）／ＰDPCCH,target,z、または
（３）ＲＰz＝ＮＲＰＭ（正規化残余電力余裕）
【０１３７】
ＰMAXは、最大ＷＴＲＵ送信機電力である。
【０１３８】
ＰDPCCH,target,zは、以下のようにして導出される。ＰDPCCH,x（ｔ）およびＰDPCCH,y（ｔ）は、それぞれ搬送波ｘおよびｙにおける、時刻ｔでの、現在のＷＴＲＵ  ＤＰＣＣＨ電力のスロット毎の推定を表す。ｚが値ｘまたはｙを取り得るとして、ＷＴＲＵが、時刻ｔにおいて、搬送波ｚで圧縮モードフレームを送信している場合、ＰDPCCH,comp,z（ｔ）＝ＰDPCCH,z（ｔ）×（Ｎpilot,C／Ｎpilot,N）であり、それ以外の場合は、ＰDPCCH,comp,z（ｔ）＝ＰDPCCH,z（ｔ）である。圧縮モードギャップのために、または不連続アップリンクＤＰＣＣＨ送信動作が使用可能であるときに、ＷＴＲＵが、時刻ｔのスロットの最中に、搬送波ｚ上でアップリンクＤＰＣＣＨを送信していない場合、電力は、フィルタリングされた結果に寄与することができない。Ｅ−ＤＣＨ  ＴＴＩが２ｍｓである場合は、ＰDPCCH,comp,z（ｔ）の３個のスロット毎推定の、またはＥ−ＤＣＨ  ＴＴＩが１０ｍｓである場合は、ＰDPCCH,comp,zの１５個のスロット毎推定のフィルタ期間を使用して、ＰDPCCH,comp,z（ｔ）のサンプルをフィルタリングして、ＰDPCCH,filtered,zを与えることができる。ＮＲＰＭjが評価される目標Ｅ−ＤＣＨ  ＴＴＩが、圧縮モードフレームに対応しない場合、ＰDPCCH,target,z＝ＰDPCCH,filtered,zである。ＮＲＰＭjが評価される目標Ｅ−ＤＣＨ  ＴＴＩが、圧縮モードフレームに対応する場合、ＰDPCCH,target,z＝ＰDPCCH,filtered,z×（Ｎpilot,N／Ｎpilot,C）である。Ｎpilot,Cは、圧縮フレーム内のＤＰＣＣＨにおけるスロット当たりのパイロットビットの数であり、Ｎpilot,Nは、非圧縮フレーム内のスロット当たりのパイロットビットの数である。
【０１３９】
ＰHS-DPCCHは、ＰDPCCH,target,zならびにΔACK、ΔNACK、およびΔCQIの直近に伝達された値に基づいた、最大ＨＳ−ＤＰＣＣＨ利得係数に基づいた、推定ＨＳ−ＤＰＣＣＨ送信電力である。ＮＲＰＭjが評価される目標Ｅ−ＤＣＨ  ＴＴＩが、圧縮モードフレームに対応する場合、圧縮モードのために生じた利得係数に対する変更を、ＰHS-DPCCHzの推定に含めることができる。それぞれ、ｚ＝ｘおよびｚ＝ｙである場合に、搬送波ｘまたは搬送波ｙとすることができる一方の搬送波で、ＨＳ−ＤＰＣＣＨが送信されることを許可することができる。ＨＳ−ＤＰＣＣＨが両方の搬送波で送信される場合、ＰHS-DPCCHzは、両方の搬送波における推定ＤＰＤＣＨ電力に対応する。
【０１４０】
ＰE-DPCCH,zは、搬送波ｚ（ｚ＝ｘまたはｙ）について決定されたＥ−ＴＦＣＩのための推定Ｅ−ＤＰＣＣＨ送信電力である。
【０１４１】
ここで別の実施形態を参照すると、ＭＳＡＰ（サポートされる最大利用可能電力（ｍａｘｉｍｕｍ  ｓｕｐｐｏｒｔｅｄ  ａｖａｉｌａｂｌｅ  ｐｏｗｅｒ））を計算することができる。ＭＳＡＰは、搬送波ｘおよびｙについてのサービンググラントおよび残余電力に以下のように基づいた、その搬送波上での送信のために使用できる電力であり、
ＭＳＡＰｘ＝ＭＩＮ（ＳＧｘ，ＲＰｘ）
ＭＳＡＰｙ＝ＭＩＮ（ＳＧｙ，ＲＰｙ）
ここで、ＭＳＡＰｘは、アンカー搬送波（または第１の搬送波）についてのＭＳＡＰであり、ＭＳＡＰｙは、補助搬送波（または第２の搬送波）についてのＭＳＡＰであり、ＲＰｘは、アンカー搬送波（または第１の搬送波）のＲＰであり、ＲＰｙは、補助搬送波（または第２の搬送波）のＲＰである。
【０１４２】
ＷＴＲＵは、大きい方のＭＳＡＰを有する搬送波を最初に満たす（すなわち、優先権を与える）ことを選択することができる。選択された搬送波が満たされた後に、残余電力が存在する場合、その残余電力は、他方の搬送波に割り当てられる。ＭＳＡＰが両方の搬送波で等しい場合、ＷＴＲＵは、残余電力が大きい方の搬送波を、または等価的に、ＰDPCCHが小さい方の搬送波を選択することができる。残余電力およびＰDPCCHが両方の搬送波で等しい場合、ＷＴＲＵは、グラントが大きい方の搬送波を選択することができ、または送信のためにアンカー搬送波を選択することができる。
【０１４３】
非スケジュールドグラントが搬送波毎に提供される場合、または非スケジュールド送信が一方の搬送波において許可される場合、ＷＴＲＵは、そのＴＴＩ中に送信される中で優先度が最も高い非スケジュールドＭＡＣ−ｄフローを含む搬送波、または非スケジュールドＭＡＣ−ｄフローを許可する搬送波に優先権を与えることができる。例えば、非スケジュールド送信がプライマリ搬送波においてのみ許可され、与えられたＨＡＲＱプロセスについて、ＷＴＲＵが非スケジュールドデータを有するように構成され、データが利用可能である場合、ＷＴＲＵは、プライマリ搬送波に優先権を与える（すなわち、最初にプライマリ搬送波を満たす）ことができる。与えられたＴＴＩにおいて、優先度が最も高いＭＡＣ−ｄフローが、非スケジュールドフローに対応しないが、非スケジュールドフローが、選択された優先度が最も高いＭＡＣ−ｄフローと多重化されることを許可される場合、ＷＴＲＵは依然として、非スケジュールド送信を許可する搬送波に優先権を与えることができる。したがって、現在のＴＴＩにおいて、何らかの非スケジュールドフローが送信されることを許可され、非スケジュールドデータが利用可能である場合、ＷＴＲＵは、非スケジュールドフローの送信を許可する搬送波を最初に満たすことができる。ＷＴＲＵは、設定された論理チャネル優先度に従って、利用可能な電力および／またはグラントまで、選択された搬送波を非スケジュールドまたはスケジュールドデータで満たす。その後、残りの搬送波について、データ、電力、およびグラントが利用可能である場合、残りの搬送波（複数可）が満たされる。
【０１４４】
あるいは、最初にプライマリ搬送波を選択して、それを満たすことができる。例えば、非スケジュールド送信の場合、ＷＴＲＵは、非スケジュールド送信を有する搬送波を最初に選択することができる。非スケジュールド送信が、選択された搬送波に含まれると、その後、ＷＴＲＵは、上で説明された実施形態の１つまたは組合せを使用する、スケジュールド送信のための搬送波選択に進むことができる。この代替的実施形態を使用して、ＷＴＲＵは、与えられたＴＴＩにおいて、非スケジュールドデータのために選択された第１の搬送波とは異なる、スケジュールド送信のための搬送波を選択することができる。この実施形態の一部として、ＷＴＲＵは、新たに選択された搬送波に対してＥ−ＴＦＣ選択および制約を実行することができ、Ｅ−ＴＦＣ制約は、新たに選択された搬送波に対して順番に実行されるならば、他方の搬送波における非スケジュールド送信のためのＥ−ＤＣＨおよびＥ−ＤＰＣＣＨ電力のために使用される電力を考慮する。並列的なＥ−ＴＦＣ制約が実行される場合、電力は適切に割り当てられ、したがって、ＷＴＲＵは、再計算を行う必要はない。その後、ＷＴＲＵは、許可された電力、グラント、または利用可能なデータに達するまで、搬送波をスケジュールド送信で満たすことができる。電力、データ、およびグラントが、他方の搬送波のために利用可能である場合、ＷＴＲＵは、（初期非スケジュールドデータを含む）他方の搬送波に戻って、それをスケジュールドデータで満たすことができる。
【０１４５】
あるいは、最初にセカンダリ搬送波を選択することもできる。例えば、与えられたＴＴＩにおいて、スケジュールドフローが最も高い優先度を有する場合、本明細書で説明される実施形態の１つに従って、スケジュールド送信のための搬送波が選択されるように、Ｅ−ＴＦＣ選択を実行することができる。セカンダリ搬送波に対するＥ−ＴＦＣ選択は、グラント、電力、およびバッファ可用性に従って、ビットの数を決定し、それを含むことができ、その後、プライマリ搬送波を満たすことができる。
【０１４６】
あるいは、論理チャネル優先度に従って非スケジュールド送信を処理する場合のＥ−ＴＦＣ機能は、非スケジュールド送信のためのデータが適切な搬送波（例えば、プライマリ搬送波）に送られることを保証する。これは、最初にスケジュールドデータを処理することを暗に示唆し、最初に満たす搬送波は、上で説明された実施形態の１つに従って選択される。Ｅ−ＴＦＣ選択は、選択された搬送波上で送信できるビットの数を計算し、選択された搬送波を優先度が最も高いチャネルからのデータで満たす。このチャネルからのデータが超過を起こした場合、またはスケジュールドグラントに基づいたデータの最大量に達した場合に、電力がまだ残っているならば、ＷＴＲＵは、優先度が次に最も高い論理チャネルからのデータで満たすことができる。次の論理チャネルが非スケジュールドフローに対応し、非スケジュールドフローがアンカー搬送波においてのみ送信でき、現在の搬送波がセカンダリ搬送波に対応する場合、ＷＴＲＵは、セカンダリ搬送波において電力および／またはグラントが残っている場合でも、アンカー搬送波に対するＥ−ＴＦＣ選択を実行することができ、または代替として、ＷＴＲＵは、例えば、バッファ内の利用可能な許容されたデータが尽きてから、もしくは許容されたグラント／電力が尽きてから、セカンダリ搬送波上での送信を完了することができる。（例えば、１組のサポートされるＥ−ＴＦＣを決定する）Ｅ−ＴＦＣ制約手順が、アンカー搬送波のために実行される。Ｅ−ＴＦＣ制約が順次的に行われる場合、Ｅ−ＴＦＣ制約は、セカンダリ搬送波において使用されるＥ−ＤＰＤＣＨ電力を考慮することができる。その後、ＷＴＲＵは、非スケジュールドフローを有する搬送波を満たす。
【０１４７】
電力がまだ残っている場合、およびいくらかのグラントがまだ利用可能である場合、ＷＴＲＵは、スケジュールド送信のための以下の２つの実施形態の一方または組合せを実行することができる。ＷＴＲＵは、最大電力または最大グラントに達するまで、アンカー搬送波を満たし続けることができる。搬送波が満たされた後、他方の搬送波において利用可能な電力または利用可能なグラントがまだ存在する場合、Ｅ−ＴＦＣ選択は、初期選択された搬送波を満たすために、初期選択された搬送波に戻ることができる。その場合、これは、追加のＥ−ＴＦＣ制約手順を実行するＷＴＲＵが、この搬送波における初期送信およびアンカー搬送波における送信のための電力を考慮することを必要とする。あるいは、他方の搬送波において残余の電力およびグラントが存在する場合でも、Ｅ−ＴＦＣ選択手順は終了する。
【０１４８】
あるいは、ＷＴＲＵは、最初に選択された搬送波に戻り、最大電力および／または最大グラントに達するまで、その搬送波を満たし続けることもできる。これは、ＷＴＲＵが、Ｅ−ＴＦＣ制約手順を再び実行することを必要とすることがある。アンカー搬送波において電力がまだ残っている場合、その後、ＷＴＲＵは、アンカー搬送波に戻ることができる。
【０１４９】
同様に、ＤＰＤＣＨ送信が特定の搬送波（例えば、プライマリ搬送波）においてのみ許可されており、ＤＣＨデータが利用可能である場合、ＷＴＲＵは、プライマリ搬送波またはＤＰＤＣＨが許可された搬送波に優先権を与えることができる。あるいは、ＷＴＲＵは、ＴＦＣ選択を実行し、プライマリ搬送波上での送信についてＤＰＤＣＨデータをスケジュールすることができ、その後、Ｅ−ＤＣＨ送信についての優先権をどの搬送波に与えるかを決定するために、本明細書で説明される実施形態の１つまたは組合せを使用することができる。
【０１５０】
あるいは、一方の搬送波が電力制限され、他方の搬送波がグラント制限される場合、電力が両方の搬送波で共有されるケースでは、ＷＴＲＵは、電力制限される搬送波を選択することができる。電力制限される搬送波は、グラント（スケジュールドおよび／または非スケジュールド）によって許可されたすべてのデータを送信するのに十分な電力がない搬送波とすることができる。グラント制限される搬送波は、グラントによって許可されたよりも多くのデータを送信するのに十分な残余電力を有する搬送波とすることができる。
【０１５１】
あるいは、搬送波選択は、バッファ内で利用可能なデータの量に依存することができる。限られた量のデータが利用可能である場合、ＷＴＲＵは、利用可能な電力ヘッドルームもしくはＮＲＰＭが最も大きい搬送波を、または等価的にＰDPCCHが最も小さい搬送波を優先することができ、それ以外の場合、上述の実施形態のうちの１つを適用することができる。より具体的には、一例として、ビットのＴＥＢＳが、サポートされる最大ペイロードよりも小さく、両方の搬送波についてのグラントによって許可されるビットの数よりも小さい場合、ＷＴＲＵは、残余電力（または電力ヘッドルームもしくはＮＲＰＭなど）が大きい方の搬送波を選択することができる。
【０１５２】
あるいは、ＷＴＲＵは、そのＴＴＩ中にＨＳ−ＤＰＣＣＨを送信しなければならない搬送波に優先権を与えると決定することができる。あるいは、（各搬送波におけるＤＰＣＣＨバーストサイクルまたは一方の搬送波における非活動期間に従って）ＤＰＣＣＨを送信しなければならない搬送波に優先権を与えると決定することができる。より具体的には、一方の搬送波がＤＴＸ（不連続送信）サイクル１にあり、他方の搬送波がＤＴＸサイクル２にある場合（ＤＴＸサイクル２の方がＤＴＸサイクル１よりも長い）、ＷＴＲＵは、ＤＴＸサイクル１が進行中である搬送波に優先権を与えることができる。一方の搬送波が連続送信中であり、他方の搬送波がＤＴＸ中である場合、ＷＴＲＵは、連続送信が進行中である搬送波に優先権を与えることができる。
【０１５３】
ＨＳ−ＤＰＣＣＨが一方の搬送波上のみで送信される（すなわち、フィードバックを提供するために１つのＨＳ−ＤＰＣＣＨチャネライゼーションコード（ｃｈａｎｎｅｌｉｚａｔｉｏｎ  ｃｏｄｅ）が存在する、または２つのコードが使用される場合でも、ＷＴＲＵが一方の搬送波のみから送信を行う）場合、ＨＳ−ＤＰＣＣＨを送信しなければならないならば、ＷＴＲＵは、その搬送波に優先権を与えることができる。あるいは、ＷＴＲＵは、その搬送波についてのＮＲＰＭ計算において、ＨＳ−ＤＰＣＣＨのために使用される電力を考慮することができ、上で説明された実施形態のうちの１つを使用して、搬送波を選択することができる。ネットワークは、ＷＴＲＵが、ＨＳ−ＤＰＣＣＨフィードバックが送信される搬送波を選択できるようにすることができる。より具体的には、デュアルキャリア動作の場合、ＷＴＲＵは、ＨＳ−ＤＰＣＣＨをアンカー搬送波上でのみ送信するようには制限されない。これは、ＷＴＲＵが、上で説明された実施形態の１つまたは組合せに従って、優先度が最も高い搬送波を、または送信を最適化する搬送波を選択することを可能にし、ＨＳ−ＤＰＣＣＨフィードバックが必要とされる場合、フィードバックもその搬送波上で送信される。
【０１５４】
あるいは、ＷＴＲＵは、各搬送波におけるＣＰＩＣＨ測定およびＨＡＲＱ誤り率などの１つまたは組合せに基づいて、搬送波を選択する決定を行うことができる。
【０１５５】
搬送波の一方で再送が進行中である場合、ＷＴＲＵは、他方の搬送波上でＥ−ＤＣＨ送信を実行することができ、したがって、その搬送波に対してのみＥ−ＴＦＣ選択を実行することができる。
【０１５６】
Ｅ−ＴＦＣ選択および搬送波選択手順の一部として、ＷＴＲＵは、許容される／利用可能な最大送信電力とＤＰＣＣＨ符号電力の比が与えられた場合に、アンカー搬送波に対してサポートされる最大ペイロードおよび補助搬送波に対してサポートされる最大ペイロード（すなわち、アンカーアップリンク搬送波および補助アップリンク搬送波上でそれぞれ送信できる最大ＭＡＣ−ｅまたはＭＡＣ−ｉ  ＰＤＵ（プロトコルデータユニット）サイズ）を決定するために、（Ｅ−ＴＦＣＩ（Ｅ−ＤＣＨトランスポートフォーマットコンビネーションインデックス）制約とも呼ばれる）Ｅ−ＴＦＣ制約を実行する。アンカーアップリンク搬送波および補助アップリンク搬送波についてのビットの最大数は、アンカー搬送波および補助搬送波の許容される／利用可能な最大送信電力およびＤＰＣＣＨ符号電力にそれぞれ基づいて、決定することができる。１つのＤＰＣＣＨが送信される場合、ビットの最大数は、送信の電力、または送信されるＤＰＣＣＨからの定義もしくは設定されたオフセットに基づいて、決定することができる。
【０１５７】
各搬送波が独立の最大送信電力を有する場合、ビットの最大数は、アンカー搬送波および補助搬送波に対して許容される最大電力、ならびにアンカー搬送波および補助搬送波のＤＰＣＣＨ符号電力にそれぞれ基づいて決定される。両方の搬送波が共有の最大送信電力を有する場合、ＷＴＲＵは、共有の最大送信電力が各搬送波に割り当てられ、各搬送波で利用可能であることを仮定して、ビットの最大数を計算することができる。両方の搬送波が共有の最大送信電力に加えて、搬送波毎の追加の最大送信電力を有する場合（例えば、電力が搬送波間で異なるように事前に割り当てられる場合）、ＷＴＲＵは、最大送信電力が共有の最大送信電力と各搬送波について設定／計算された最大送信電力との小さい方であることを仮定して、ビットの最大数を計算することができる。
【０１５８】
Ｅ−ＴＦＣ制約は、各ＴＴＩにおいて行うことができ、すべてのＨＡＲＱ電力オフセットまたはプロファイルについて事前に計算することができる。データが満たされると、ＷＴＲＵは、ＮＲＰＭを再計算する必要なく、ＮＲＰＭをルックアップテーブルから取り出すだけで、選択されたＨＡＲＱ電力オフセットに基づいて、１組のサポートされるＥ−ＴＦＣを決定することができる。あるいは、ＷＴＲＵは、いつでも必要なときに、ＮＲＰＭを計算することができる。
【０１５９】
上で開示された優先搬送波選択のための実施形態のいくつかの場合、ＷＴＲＵは、他方の搬送波上ではデータが送信されないことを仮定して、最初に各搬送波のＮＲＰＭを独立に決定することができる。独立のＮＲＰＭ計算は、搬送波１および２について以下のように実行することができる。
ＮＲＰＭj,1＝（ＰＭａｘj,1−ＰDPCCH,target1−ＰDPCCH,target2−ＰDPDCH−ＰHS-DPCCH1−ＰE-DPCCH,j,1）／ＰDPCCH,target1  式（１５）
ＮＲＰＭj,2＝（ＰＭａｘj,2−ＰDPCCH,target2−ＰDPCCH,target1−ＰDPDCH−ＰHS-DPCCH2−ＰE-DPCCH,j,2）／ＰDPCCH,target2  式（１６）
【０１６０】
ＰＭａｘj,1は、搬送波１におけるＥ−ＴＦＣ−ｊについての最大ＷＴＲＵ送信機電力であり、ＰＭａｘj,2は、搬送波２におけるＥ−ＴＦＣ−ｊについての最大ＷＴＲＵ送信機電力である。ＰＭａｘj,1は、電力要件および／またはＰＡ（電力増幅器）の数および／または各搬送波に対する電力割り当てに応じて、ＰＭａｘj,2と等しいことも、または異なることもある。ＤＴＸに起因する非活動期間が存在しない限り、Ｅ−ＤＣＨデータが送信されるかどうかに関係なく、ＷＴＲＵが両方の搬送波においてＤＰＣＣＨを送信しなければならない場合は、ＰDPCCH,target1およびＰDPCCH,target2を考慮することができる。ＰHS-DPCCH2は、第２のＨＳ−ＤＰＣＣＨが第２の搬送波において送信される場合に適用可能であり、それ以外の場合、両方の搬送波のＮＲＰＭ計算から同じＨＳ−ＤＰＣＣＨ電力を減算することができる。Ｅ−ＴＦＣ選択／制約が実行されるＴＴＩ中に、ＤＰＤＣＨ送信が行われる場合、ＷＴＲＵは、ＮＲＰＭ計算においてこれを考慮することができる（すなわち、同様にＰDPDCHを減算することができる）。ＤＰＤＣＨ送信が行われない場合（またはデュアルキャリアを用いるＤＰＤＣＨ送信が許可されない場合）、ＰDPDCHを考慮しなくてよい。プライマリ搬送波においてのみＤＰＤＣＨが許可される場合、プライマリ搬送波についてのＮＲＰＭのみが、それを考慮することができる。あるいは、ＤＰＤＣＨがどこで送信されるかに関係なく、搬送波を選択する場合、両方のＮＲＰＭの計算において、ＤＰＤＣＨのための電力が考慮される。同じことが、ＨＳ−ＤＰＣＣＨにも当てはまる。その後、この計算または別の言い方をすればサポートされるＥ−ＴＦＣに従って、各搬送波について独立に、サポートされる最大利用可能ペイロードまたはサポートされるＥ−ＴＦＣＩを決定することができる。
【０１６１】
Ｅ−ＴＦＣ制約についての実施形態が、これ以降で説明される。本明細書で説明されるＥ−ＴＦＣ制約についての実施形態は、上で開示されたいずれのＥ−ＴＦＣ選択方式にも適用可能とすることができる。Ｅ−ＴＦＣ制約手順は、各アップリンク搬送波に対して順番に、または両方の搬送波に対して並列に実行することができる。
【０１６２】
Ｅ−ＴＦＣ制約が両方のアップリンク搬送波に対して並列に実行される場合、合計のＷＴＲＵ電力の一部を、各アップリンク搬送波に事前に割り当てることができ、またはＷＴＲＵによってＴＴＩ毎に計算することができる。（Ｅ−ＴＦＣjのＭＰＲ（最大電力低減（ｍａｘｉｍｕｍ  ｐｏｗｅｒ  ｒｅｄｕｃｔｉｏｎ））に関係なく）Ｅ−ＤＣＨ送信のために搬送波ｘに割り当てられる最大電力は、ＤＣ−ＨＳＵＰＡシステムではＰmax,x（ｘ＝搬送波１または搬送波２）になる。任意選択的に、非スケジュールド送信が存在する場合、Ｐmax,xは、非スケジュールド送信を送信するのにＷＴＲＵによって必要とされる電力も考慮することができる。例えば、Ｐmax,x＝Ｐnon-s＋Ｐsgであり、ここで、Ｐnon-sは、以下で説明されるように計算される非スケジュールド送信のために必要とされる電力であり、Ｐsgは、スケジュールド送信を送信するために搬送波ｘに割り当てられる電力である。アップリンク搬送波に割り当てられる電力（例えば、Ｐmax,xおよびＰmax,y）の和は、（ＷＴＲＵ電力クラスに従った、またはネットワークによって設定される）最大許容ＷＴＲＵ電力以下である。Ｐmax,xおよびＰmax,yは、（それぞれ搬送波ｘおよび搬送波ｙのための制御チャネルのための電力を含む）それぞれ搬送波ｘおよび搬送波ｙに最終的に割り当てられる電力を表すことができる。その場合、正規化残余電力を、各搬送波について独立に計算することができる。Ｅ−ＴＦＣｊならびに搬送波ｘおよびｙについてのＮＲＰＭは、以下の形を取ることができる。
ＮＲＰＭj,x＝Ｐmax,x／ＰDPCCH,target x  式（１７）
ＮＲＰＭj,y＝Ｐmax,y／ＰDPCCH,target y  式（１８）
【０１６３】
Ｐmax,xおよびＰmax,yが制御チャネルのための電力を含まない場合、正規化残余電力を、各搬送波について独立に計算することができる。Ｅ−ＴＦＣjならびに搬送波１および２についてのＮＲＰＭは、以下の形を取ることができる。
ＮＲＰＭj,1＝（ＰＭａｘj,1−ＰDPCCH,target1−ＰHS-DPCCH1−ＰE-DPCCH,j,1）／ＰDPCCH,target1  式（１９）
ＮＲＰＭj,2＝（ＰＭａｘj,2−ＰDPCCH,target2−ＰE-DPCCH,j,2）／ＰDPCCH,target2  式（２０）
【０１６４】
式（１９）および式（２０）では、ＤＰＤＣＨが送信されず、ＨＳ−ＤＰＣＣＨは搬送波１（例えば、アンカー搬送波）上でのみ送信できることが仮定されている。ＨＳ−ＤＰＣＣＨが送信されない場合、ＰHS-DPCCH1＝０である。ＰＭａｘj,1およびＰＭａｘj,2は、Ｅ−ＴＦＣjに対して許容される最大電力低減および各搬送波に対して割り当てられる最大電力を考慮した、搬送波１および搬送波２における最大電力をそれぞれ表す。Ｅ−ＴＦＣjについて、例えば、以下のように（ｄＢを単位として）、Ｅ−ＴＦＣjに対して許容されたＭＲＰ（最大電力低減）だけ、搬送波ｘに割り当てられた最大電力（Ｐmax,x）を低減させることによって、ＰＭａｘj,x、ｘ＝１，２が計算され、
ＰＭａｘj,x,dB＝Ｐmax,x,dB−ＭＰＲE-TFCj  式（２１）
【０１６５】
ここで、ＭＰＲE-TFCjは、ｄＢを単位とするＥ−ＴＦＣｊについての電力低減の量であり、Ｐmax,x,dBは、ｄＢを単位とする搬送波ｘに対して割り当てられる最大電力であり、ＰＭａｘj,x,dBは、ｄＢを単位とする搬送波ｘおよびＥ−ＴＦＣｊについての結果の最大電力である。あるいは、Ｐmax,x,dBの初期計算において、最大電力低減を考慮することができ、その場合、ＰＭａｘj,x＝Ｐmax,xである。その後、Ｅ−ＴＦＣ制約手順が、各ＴＴＩにおいて、各搬送波について１組のサポートおよびブロックされるＥ−ＴＦＣを決定する。この動作は、与えられたＭＡＣ−ｄフローのＨＡＲＱプロファイルに依存するので、ＷＴＲＵは、各ＴＴＩにおいて、両方の搬送波について各ＭＡＣ−ｄフローに対してサポートされる組を計算することができる。Ｐmax,xは、多くの方法で、決定または事前設定または動的に計算することができる。
【０１６６】
別の実施形態によれば、搬送波に対するＥ−ＴＦＣ制約手順を、順番に実行することができる。この実施形態は、再送が進行中であるときに、並列ケースにおいて適用可能である。ＷＴＲＵは、上で説明されたように搬送波ｘと呼ばれる、Ｅ−ＤＣＨ送信のための一方の搬送波を最初に選択する。再送が進行中である場合、搬送波ｘは、再送が進行中である搬送波に対応し、搬送波ｘに対して、Ｅ−ＴＦＣ制約またはＥ−ＴＦＣ選択を実行することはできない。他方の搬送波は、搬送波ｙと呼ばれる。ＷＴＲＵにおいて、他の目的で、搬送波ｘに対してＥ−ＴＦＣ制約を実行することはできるが、与えられたＴＴＩにおいて再送が進行中である搬送波に対して、Ｅ−ＴＦＣ選択の目的で、Ｅ−ＴＦＣ制約を、または別の言い方をすれば、この搬送波ｘについてのサポートされる最大ペイロードを決定する必要はないことが理解されよう。搬送波の選択は、上で説明された実施形態のうちの１つを使用して、実行することができる。搬送波ｘが選択されると、搬送波ｘに対するＥ−ＴＦＣ選択手順は、ＤＰＤＣＨ送信が一方の搬送波において許可される場合、搬送波ｘまたは搬送波ｙにおいてＤＰＤＣＨが存在するならば（ＤＰＤＣＨ送信がまったく許可されていない場合は、ＤＰＤＣＨの電力は考慮されない）、ＴＦＣ選択からの、（ＨＳ−ＤＰＣＣＨ送信が一方の搬送波で許可される場合）搬送波ｘまたは搬送波ｙにおいて送信が行われているならば、ＨＳ−ＤＰＣＣＨからの、および（送信が行われているならば）搬送波ｙにおけるＤＰＣＣＨ送信からの、電力の残余の推定を実行しなければならない。
【０１６７】
ＷＴＲＵは、Ｅ−ＴＦＣ候補ｊについての以下の式に基づいて、実行されるならば、搬送波ｘに対するＥ−ＴＦＣ選択のために利用可能な正規化残余電力余裕を推定する。
ＮＲＰＭj,x＝（ＰＭａｘj,x−ＰDPCCH,target x−ＰDPCCH,target y−ＰDPDCH,x,y−ＰHS-DPCCH,x,y−ＰE-DPCCH,j,x）／ＰDPCCH,target x  式（２２）
【０１６８】
その後、ＷＴＲＵは、Ｅ−ＴＦＣ候補ｊについての以下の式に基づいて、搬送波ｙに対するＥ−ＴＦＣ選択のために利用可能な正規化残余電力余裕を推定する（搬送波ｙについてのＮＲＰＭは、搬送波ｘに対するＥ−ＴＦＣ選択が完了した後（すなわち、ＷＴＲＵが搬送波ｘにおいて送信されるＥ−ＴＦＣＩを選択した後）に、または代替として、搬送波ｘにおいて再送が進行中である場合に計算される）。再送の場合のＮＲＰＭまたは残余電力の計算は再送によるデータチャネル（複数可）および制御チャネルによって使用される電力を考慮することが理解されよう。これは、すべての電力割り当て方式に当てはまる。
【０１６９】
搬送波ｙについてのＮＲＰＭは、以下のように計算することができる。
ＮＲＰＭj,y＝（ＰＭａｘj,y−ＰDPCCH,target x−ＰDPCCH,target y−ＰHS-DPCCH,z−ＰE-DPCCH,x−ＰE-DPDCH,x−ＰE-DPCCH,j,y）／ＰDPCCH,target y  式（２３）
【０１７０】
ＰＭａｘj,xは、Ｅ−ＴＦＣ−ｊのための最大ＷＴＲＵ送信機電力である。これは、合計の共有ＷＴＲＵ送信電力に対応することができ、ＰＭａｘj,yに等しくすることができ、または搬送波ｘにおける合計の許容最大電力とすることができる。ＰＭａｘj,yは、Ｅ−ＴＦＣ−ｊのための最大ＷＴＲＵ送信機電力である。これは、合計の共有ＷＴＲＵ送信電力に対応することができ、ＰＭａｘj,xに等しくすることができ、または搬送波ｙにおける合計の許容最大電力とすることができる。
【０１７１】
ＰDPCCH,target,z（ｚ＝ｘまたはｙ）は、以下のように導出される。ＰDPCCH,x（ｔ）およびＰDPCCH,y（ｔ）は、それぞれ搬送波ｘおよびｙにおける、時刻ｔでの、現在のＷＴＲＵ  ＤＰＣＣＨ電力のスロット毎の推定を表す。ｚが値ｘまたはｙを取り得るとして、ＷＴＲＵが、時刻ｔにおいて、搬送波ｚで圧縮モードフレームを送信している場合、ＰDPCCH,comp,z（ｔ）＝ＰDPCCH,z（ｔ）×（Ｎpilot,C／Ｎpilot,N）であり、それ以外の場合は、ＰDPCCH,comp,z（ｔ）＝ＰDPCCH,z（ｔ）である。圧縮モードギャップのために、または不連続アップリンクＤＰＣＣＨ送信動作が使用可能であるときに、ＷＴＲＵが、時刻ｔのスロットの最中に、搬送波ｚ上でアップリンクＤＰＣＣＨを送信していない場合、電力は、フィルタリングされた結果に寄与することができない。Ｅ−ＤＣＨ  ＴＴＩが２ｍｓである場合は、ＰDPCCH,comp,z（ｔ）の３個のスロット毎推定の、またはＥ−ＤＣＨ  ＴＴＩが１０ｍｓである場合は、ＰDPCCH,comp,zの１５個のスロット毎推定のフィルタ期間を使用して、ＰDPCCH,comp,z（ｔ）のサンプルをフィルタリングして、ＰDPCCH,filtered,zを与えることができる。ＮＲＰＭjが評価される目標Ｅ−ＤＣＨ  ＴＴＩが、圧縮モードフレームに対応しない場合、ＰDPCCH,target,z＝ＰDPCCH,filtered,zである。ＮＲＰＭjが評価される目標Ｅ−ＤＣＨ  ＴＴＩが、圧縮モードフレームに対応する場合、ＰDPCCH,target,z＝ＰDPCCH,filtered,z×（Ｎpilot,N／Ｎpilot,C）である。Ｎpilot,Cは、圧縮フレームにおけるＤＰＣＣＨ上でのスロット当たりのパイロットビットの数であり、Ｎpilot,Nは、非圧縮フレームにおけるスロット当たりのパイロットビットの数である。
【０１７２】
ＰDPDCH,zは、ＰDPCCH,target,zおよび搬送波ｚに対してすでに行われたＴＦＣ選択からの利得係数に基づいた、推定ＤＰＤＣＨ送信電力である。ＮＲＰＭjが評価される目標Ｅ−ＤＣＨ  ＴＴＩが、圧縮モードフレームに対応する場合、圧縮モードのために生じた利得係数に対する変更を、ＰDPCCHの推定に含めることができる。搬送波ｘまたは搬送波ｙとすることができる一方の搬送波において、ＤＰＤＣＨが送信されることを許可することができ、ＰDPDCHzは、それぞれの搬送波（それぞれｚ＝ｘまたはｚ＝ｙ）における推定ＤＰＤＣＨ電力に対応する。ＤＰＤＣＨが両方の搬送波において送信される場合、ＰDPDCHzは、両方の搬送波における推定ＤＰＤＣＨ電力の和に対応する。
【０１７３】
ＰHS-DPCCH,zは、ＰDPCCH,target,zならびにΔACK、ΔNACK、およびΔCQIの直近に伝達された値に基づいた、最大ＨＳ−ＤＰＣＣＨ利得係数に基づいた、推定ＨＳ−ＤＰＣＣＨ送信電力である。ＮＲＰＭjが評価される目標Ｅ−ＤＣＨ  ＴＴＩが、圧縮モードフレームに対応する場合、圧縮モードのために生じた利得係数に対する変更を、ＰHS-DPCCH,zの推定に含めることができる。それぞれ、ｚ＝ｘおよびｚ＝ｙである場合に、搬送波ｘまたは搬送波ｙとすることができる一方の搬送波で、ＨＳ−ＤＰＣＣＨが送信されることを許可することができる。ＨＳ−ＤＰＣＣＨが両方の搬送波で送信される場合、ＰHS-DPCCH,zは、両方の搬送波における推定ＤＰＤＣＨ電力に対応する。
【０１７４】
ＰE-DPCCH,j,xは、Ｅ−ＴＦＣＩjのための推定Ｅ−ＤＰＣＣＨ送信電力である。Ｅ−ＴＦＣＩjがＥ−ＴＦＣＩec,boost以下である場合、推定は、ＰDPCCH,target xおよびΔE-DPCCHの直近に伝達された値を使用して計算されたＥ−ＤＰＣＣＨ利得係数に基づく。Ｅ−ＴＦＣＩjがＥ−ＴＦＣＩec,boostよりも大きい場合、推定は、Ｅ−ＴＦＣＩjについて計算されたＥ−ＤＰＣＣＨ利得係数βec,jに基づく。ＮＲＰＭjが評価される目標Ｅ−ＤＣＨ  ＴＴＩが、圧縮モードフレームに対応する場合、圧縮モードのために生じた利得係数に対する変更を、ＰE-DPCCH,j,xの推定に含めることができる。
【０１７５】
ＰE-DPCCH,j,xは、搬送波ｘについて決定されたＥ−ＴＦＣＩのための推定Ｅ−ＤＰＣＣＨ送信電力であり、ＰE-DPDCH,xは、搬送波ｘについて決定されたＥ−ＴＦＣＩのための推定Ｅ−ＤＰＤＣＨ送信電力である。
【０１７６】
ＰE-DPCCH,j,yは、Ｅ−ＴＦＣＩjのための推定Ｅ−ＤＰＣＣＨ送信電力である。Ｅ−ＴＦＣＩjがＥ−ＴＦＣＩec,boost以下である場合、推定は、ＰDPCCH,target yおよびΔE-DPCCHの直近に伝達された値を使用して計算されたＥ−ＤＰＣＣＨ利得係数に基づく。Ｅ−ＴＦＣＩjがＥ−ＴＦＣＩec,boostよりも大きい場合、推定は、Ｅ−ＴＦＣＩjについて計算されたＥ−ＤＰＣＣＨ利得係数βec,jに基づく。ＮＲＰＭjが評価される目標Ｅ−ＤＣＨ  ＴＴＩが、圧縮モードフレームに対応する場合、圧縮モードのために生じた利得係数に対する変更を、ＰE-DPCCH,j,yの推定に含めることができる。すべての電力変数は、線形電力単位で表現される。
【０１７７】
ＳＩ（スケジューリング情報）が搬送波毎に送信される場合、一方の搬送波のためのＳＩをトリガすることができ、ＳＩをその搬送波を介して送信しなければならない。これは、ＷＴＲＵがその搬送波上で他の何らかのデータを送信できるかどうかに関係なく、ＷＴＲＵがその搬送波を介してＳＩを送信しなければならないことがあることを暗に示唆する。したがって、ＳＩをトリガした搬送波における少なくともそのＳＩの送信のために、ＷＴＲＵが電力を事前に割り当てる、または割り当てることが提案される。
【０１７８】
事前割り当て電力に対して使用される例では、この特定の実施形態のためのＥ−ＴＦＣ制約は、ＳＩは他方の搬送波上で送信される必要があるという事実を考慮することができ、したがって、電力または事前割り当て電力を、少なくとも１つのＳＩに対して、および１つのＳＩのためのＥ−ＴＦＣを送信するのに必要とされる対応するＥ−ＤＰＣＣＨに対して割り当てることができる。ＷＴＲＵは、ＳＩを送信するのに必要とされるＥ−ＤＰＤＣＨの電力を、Ｐz、Ｐgranted,zの計算に含めることができ、またはその代わりに、以下で説明されるように、ＮＲＰＭ計算に含めることができる。
【０１７９】
ＷＴＲＵが第１の搬送波で電力を使い尽くすことがあるので、ＮＲＰＭ計算は、ＳＩのための、他方の搬送波においてＥ−ＤＰＤＣＨおよびＥ−ＤＰＣＣＨのために必要とされる電力を除外することができる。これは、少なくともＳＩを送信するために他方の搬送波において十分な電力が利用可能であり、最大電力が超過されないことを可能にする。ＮＲＰＭは、以下のように計算することができ、
ＮＲＰＭj,x＝（ＰＭａｘj,x−ＰDPCCH,target x−ＰDPCCH,target y−ＰDPDCH,x,y−ＰHS-DPCCH,x.y−ＰE-DPCCH,j,x−ＰE-DPCCH,0,y−ＰE-DPDCH,0,y）／ＰDPCCH,target x  式（２４）
ここで、ＰE-DPCCH,0,yおよびＰE-DPDCH,0,yは、ＳＩがトリガされ、他方の搬送波上で送信されなければならない場合に考慮され、それらは、Ｅ−ＴＦＣＩ＝０（すなわち、ＳＩを送信するためのＥ−ＴＦＣ）を送信するのに必要とされるＥ−ＤＰＤＣＨおよびＥ−ＤＰＣＣＨ電力に対応する。
【０１８０】
ＳＩをどちらの搬送波においても送信できる場合、トリガされると、ＳＩは、最初に選択された搬送波を介して送信することができ、したがって、他方の搬送波で使用しなければならない電力を考慮する必要はない。
【０１８１】
ＷＴＲＵが、順次的手法または並列的手法で、搬送波ｘのＮＲＰＭを計算する場合、ＷＴＲＵは、θをスケーリング係数とするスケーリングされたグラント（すなわち、θＳＧｙ）に基づいて、送信されることが予想されるＰE-DPCCH,yを減算することができる。任意選択的に、新しいスケーリングされたグラントによって許容され得るＰE-DPDCH,yも、Ｐmaxから減算することができる。これは、計算されるときに、スケーリング係数が両方の搬送波のＥ−ＤＰＣＣＨおよびＥ−ＤＰＤＣＨ電力を考慮しなかった場合に、必要となることがある。
【０１８２】
Ｅ−ＴＦＣ選択の一部として、ＷＴＲＵは、利用可能な正規化残余電力余裕に基づいて、各Ｅ−ＴＦＣの状態を決定する。与えられたＥ−ＴＦＣは、サポートされる状態またはブロックされる状態にあることができる。Ｅ−ＴＦＣ制約によればＥ−ＴＦＣがサポートされる状態にない（利用可能な電力がいかなるＥ−ＴＦＣの送信も許可しない）状況であっても、ＷＴＲＵは、サポートされる状態にある最小セットのＥ−ＴＦＣ（ｍｉｎｉｍｕｍ  ｓｅｔ  Ｅ−ＴＦＣｓ）に含まれるＥ−ＴＦＣを考えることができる。デュアルキャリア動作を用いる場合の、最小セットのＥ−ＴＦＣの使用が以下で説明される。
【０１８３】
１つの最小Ｅ−ＴＦＣセット（ｍｉｎｉｍｕｍ  Ｅ−ＴＦＣ  ｓｅｔ）が設定された場合の、最小セットの使用についての多くの規則が本明細書で説明される。一実施形態では、ＷＴＲＵは最初に選択された搬送波においてのみ、最小セットのＥ−ＴＦＣを許可することができる。ＷＴＲＵが、第２の搬送波上でデータを送信するのに利用可能な十分な電力を有さない場合、ＷＴＲＵは、最小Ｅ−ＴＦＣセットによって許可されていても、第２の搬送波上でいかなるデータも送信することを許可されないことがある。あるいは、その場合、ＷＴＲＵは、第２の選択された搬送波に対して最小Ｅ−ＴＦＣセットを適用することができる（すなわち、最小セットのＥ−ＴＦＣＩを使用することができ、それが両方の搬送波上でサポートされると見なす）。
【０１８４】
あるいは、ＷＴＲＵは、ＷＴＲＵがセルエッジ状態にあり、第１の搬送波において送信するのに十分な電力を有さない（すなわち、ＷＴＲＵが最小Ｅ−ＴＦＣセットを使用しなければならなかった、または第１の搬送波における再送電力のため、第２の搬送波上でのいずれのＥ−ＴＦＣＩの送信も完全に許可するには残余電力が十分ではない）場合、第２の搬送波上で何も送信しないことがある（すなわち、最小Ｅ−ＴＦＣセットをサポートされるものとは見なさない）。あるいは、ＮＲＰＭが所定のまたは設定された閾値を下回る場合（例えば、ＮＲＰＭ＜０である場合）、ＷＴＲＵは、最小セットのＥ−ＴＦＣＩを第２の搬送波上でサポートされるものと見なさないことがある。あるいは、ＵＰＨ（ＵＥ電力ヘッドルーム）が閾値を下回る場合、ＷＴＲＵは、第２の搬送波上で送信を行わないことがある。あるいは、ＷＴＲＵは、残余データの量が閾値を下回る場合（すなわち、ＴＥＢＳが所定のまたは設定された閾値を下回る）場合、第２の搬送波上で送信を行わないことを選択することができる。あるいは、ネットワークによって設定される場合、プライマリ搬送波上での最小Ｅ−ＴＦＣセットの使用をＷＴＲＵに許可することができる。これは、他方の搬送波上で再送が進行中であり得るので、プライマリ搬送波が第２の選択された搬送波であっても、または唯一の搬送波であっても、ＷＴＲＵが、プライマリ搬送波上で少なくとも最小Ｅ−ＴＦＣを送信することを可能にする。これは、非スケジュールド送信がプライマリ搬送波上でのみ送信できる場合に、役立つことがある。
【０１８５】
あるいは、２つの新しい送信が行われる場合は、最初に選択された搬送波にのみ、最小Ｅ−ＴＦＣセットを適用することができる。新しい送信が一方の搬送波上で行われ、再送が他方の搬送波上で行われる場合、ＷＴＲＵは、Ｅ−ＴＦＣ選択が行われるこの搬送波上で、最小Ｅ−ＴＦＣを利用することができる。あるいは、新しい送信が行われる搬送波上で最小セットのＥ−ＴＦＣを許可すべき、または拒否すべきときを決定するために、以下で説明される基準の１つを組み合わせて使用することができる。
【０１８６】
あるいは、非スケジュールド送信を許可する搬送波上で、最小Ｅ−ＴＦＣをＷＴＲＵに許可することもできる。任意選択的に、与えられたＴＴＩにおいて、ＷＴＲＵが非スケジュールドデータを有し、その搬送波上で非スケジュールドデータの送信が許可される場合、最小Ｅ−ＴＦＣをその搬送波に適用することができる。この規則は、それが第２の搬送波であるかどうかに関係なく適用することができ、または代替として、第２の搬送波が処理されるときに適用することができる。最初に選択される搬送波についての規則は、上で説明された規則と同様とすることができる。
【０１８７】
あるいは、最小Ｅ−ＴＦＣを、ネットワークによって独立に設定することができ、ＷＴＲＵは、どの搬送波が最初に選択されるかに関係なく、最小Ｅ−ＴＦＣのネットワーク設定に従う。
【０１８８】
あるいは、単一の最小Ｅ−ＴＦＣを、ネットワークによって設定することができる。例えば、ネットワークによって、最小Ｅ−ＴＦＣが一方の搬送波について設定され、他方の搬送波については存在しない場合、並列的Ｅ−ＴＦＣ制約手順が使用されるか、それとも順次的Ｅ−ＴＦＣ制約手順が使用されるかに関係なく、ＷＴＲＵは、最小Ｅ−ＴＦＣのネットワーク設定に従い、それを両方の搬送波に対して適用することができる。
【０１８９】
最小Ｅ−ＴＦＣが使用されず、利用可能な電力が存在しない場合、Ｅ−ＴＦＣ選択は、サポートされるＥ−ＴＦＣを出力せず、したがって、ＳＩが存在しない限り、送信は行われない。任意選択的に、ＷＴＲＵは、許容される最大電力が、最初に選択された搬送波または再送が行われる搬送波によってすでに超過されたと決定した場合、第２の搬送波上でのＥ−ＴＦＣ選択さえも実行しないことがある。
【０１９０】
あるいは、ＷＴＲＵは、一度に１つの搬送波において送信を行うように構成され、許可されることができる。上の基準の１つまたは組合せに従って、優先度が最も高い搬送波が選択されると、ＷＴＲＵは、他方の搬送波上で送信を行うことはできない。
【０１９１】
独立の最大電力制限のためのＥ−ＴＦＣ選択についての実施形態の例が、これ以降で説明される。ＷＴＲＵは、特定のデバイス構成または設計に依存し得る、搬送波毎に異なる送信電力および最大許容電力を有することができる。これは、実装設計に依存し（例えば、ＷＴＲＵは、２つの異なる電力増幅器および２つの異なるアンテナを備えるように設計することができる）、ならびに／またはネットワーク制御および構成に依存する。上述の実施形態で説明されたように、ＷＴＲＵが、搬送波の間で事前に電力を割り当てる場合、または並列して電力を割り当てる場合にも、それは適用可能である。これらの状況では、各搬送波によって使用できる最大電力または利用可能な電力は、搬送波毎に割り当てられた電力に対応する。実施形態は、電力が搬送波の間で共有されるが、搬送波を満たす前に、電力が搬送波の間で割り当てられる、またはスケーリングされる場合にも適用可能である。
【０１９２】
電力が事前に割り当てられるか、または電力の最大量が各搬送波において独立である場合、より高位の層の適切な動作を可能にするにはＲＬＣ  ＰＤＵの配送順序が維持されなければならないという事実のために、ＭＡＣ  ＰＤＵは、順番に満たされなければならないことがある。加えて、ＷＴＲＵは、バッファ制限されることがあり、そのような場合、一方の搬送波を介して送信するのに十分なデータを利用可能にすることができる。
【０１９３】
この状況では、ＷＴＲＵは、上で説明された実施形態のうちの１つに基づいて、優先度が最も高い搬送波Ｐ１を最初に選択することができる。例えば、ＷＴＲＵは、より大きな電力ヘッドルームを有する搬送波を、等価的により小さなＤＰＣＣＨ電力を有する搬送波を選択して、最初にデータで満たすことができ、またはプライマリ搬送波もしくはセカンダリ搬送波を最初に満たすことができる。これは、バッファ制限されたＷＴＲＵであっても、そのデータの大部分または優先度が最も高いデータを、最良のチャネル品質を有する搬送波を介して、または非スケジュールド送信など、優先度が最も高いデータの送信を可能にする搬送波を介して送信することを可能にする。
【０１９４】
優先度が最も高いＭＡＣ−ｄフロー、関連するＨＡＲＱプロファイル、および多重化リストに従って、その後、ＷＴＲＵは、「サポートされる最大ペイロードｐ１」、「残余のスケジュールドグラントペイロードｐ１」、および選択された搬送波Ｐ１において許可され、設定される場合は、残余の非スケジュールドグラントペイロードに応じて、搬送波ｐ１のトランスポートブロック上の利用可能なスペースを満たす（すなわち、搬送波ｐ１上で送信されるＭＡＣ−ｅまたはＭＡＣ−ｉを生成する）。先に言及したように、これは、許容される電力、許容されるスケジュールドグラント、および許容される非サービンググラントにそれぞれ従って送信できるビットの数に対応する。この状況では、許容される電力および許容されるグラントは、各搬送波の電力および／もしくはグラントの、または設定された電力もしくはグラントのスケーリングされた値に対応することができる。これは、電力またはグラントが２つの搬送波の間で潜在的に分割される、または並列に割り当てられる場合に行うことができる。ＳＩが送信される必要がある場合、ＷＴＲＵは、搬送波ｐ１においてＳＩを送信することができ、またはその代わりに、ＳＩを送信するように構成された搬送波においてＳＩを送信することができる。
【０１９５】
ＷＴＲＵは、搬送波ｐ１上の利用可能なスペースを使い尽くすと、その後、次の搬送波を満たす。この時点で、ＷＴＲＵは、送信されるデータを有し、処理される搬送波において許可された中で、優先度が最も高いＭＡＣ−ｄフローを再決定することができる。この時点で、優先度が最も高いＭＡＣ−ｄフローは、搬送波ｐ１が満たされる前に、最初に決定されたＭＡＣ−ｄフローと異なってよい。
【０１９６】
優先度が最も高いＭＡＣ−ｄフローを決定する場合、ＷＴＲＵは、すべての搬送波について、すべてのＭＡＣ−ｄフローの中で、利用可能なデータを有するように構成された優先度が最も高いＭＡＣ−ｄフローを決定することができる。一代替実施形態では、ＷＴＲＵは、Ｅ−ＴＦＣ選択または優先度が最も高いＭＡＣ−ｄフロー選択が実行されるすべての搬送波について、与えられた搬送波上での送信を許可されたすべてのＭＡＣ−ｄフローの中で、優先度が最も高いＭＡＣ−ｄフローを決定することができる。
【０１９７】
優先度が最も高いＭＡＣ−ｄフローを決定するときに、Ｅ−ＴＦＣ選択が実行される搬送波が、あるタイプのＭＡＣ−ｄフローを許容しない場合、ＷＴＲＵは、与えられた搬送波上での送信を許可されないＭＡＣ−ｄフローについて検討することができない。例えば、ＷＴＲＵが第２の搬送波についてＥ−ＴＦＣ選択を実行する場合、ＷＴＲＵは、優先度が最も高いＭＡＣ−ｄフローの選択において非スケジュールドＭＡＣ−ｄフローを含めないことがある。そのため、非スケジュールドＭＡＣ−ｄフローが利用可能なデータを有し、設定された最も高いＭＡＣ−ｄ優先度を有する場合、ＷＴＲＵは、このＭＡＣ−ｄフローを優先度が最も高いＭＡＣ−ｄフローとして使用することができず、その搬送波のためのＴＴＩの間、ＨＡＲＱプロファイル、電力オフセットおよびＨＡＲＱ再送、ならびに多重化リストを使用することができない。具体的な例として、ＨＳＰＡデュアルキャリアＵＬの場合、第２の搬送波を処理する場合、ＷＴＲＵは、すべてのスケジュールドＭＡＣ−ｄフローの中で優先度が最も高いＭＡＣ−ｄフローを決定することができる。
【０１９８】
最も高いＭＡＣ−ｄフローが決定されると、ＷＴＲＵは、新しい搬送波のために使用される選択されたＭＡＣ−ｄフローのＨＡＲＱプロファイルに基づいて、このＴＴＩにおいて多重化できる新たに割り当てられたＭＡＣ−ｄフロー、および電力オフセットを決定する。その後、ＷＴＲＵは、新しい電力オフセットに従って、サポートされる最大ペイロードおよび残余のスケジュールドグラントペイロードを決定することができ、利用可能なデータがあれば、搬送波をしかるべく満たすことができる。
【０１９９】
あるいは、ＷＴＲＵは、Ｅ−ＴＦＣ選択手順の開始時に、または搬送波を満たす前に、両方の搬送波について、サポートされる最大ペイロードおよび残余のスケジュールドペイロードを決定することができ、これは、ＷＴＲＵが、その最初に選択された最も高いＭＡＣ−ｄフローからのデータが両方の搬送波上で送信されるかどうかに関係なく、両方の搬送波に対して同じ電力オフセットを使用できることを暗に示唆する。この場合、多重化リストは、両方の搬送波で同じままであり、それらの論理チャネルから十分なデータが利用可能でない場合に、制限ファクタとすることができるが、ＷＴＲＵは、他の論理チャネルの送信のために利用可能なより多くの電力およびグラントを有する。
【０２００】
（上述のように決定し、順番に満たすことができる）搬送波ｐ１がデータで満たされると、ＷＴＲＵは、直ちに他方の搬送波に移り、それをデータで満たし続ける。
【０２０１】
あるいは、搬送波は、並列して満たすことができ、これは、許容されるすべての論理チャネルからのデータが２つの搬送波の間で分割されることを暗に示唆する。順番が乱れた配送を回避するため、データまたはＲＬＣバッファを分割しなければならない。例えば、ＳＮ０からＳＮ９を有する１０個のＲＬＣ  ＰＤＵが利用可能である場合、ＲＬＣ  ＰＤＵの０から４は、搬送波１に送られ、５から９は、搬送波２に送られる。その後、スペースがまだ残っている場合、ＷＴＲＵは、次の論理チャネルに移り、バッファが、再び同様に分割される。
【０２０２】
あるいは、Ｅ−ＴＦＣおよび搬送波フィリングは、並列に実行することができるが、各搬送波は、異なる論理チャネルからデータを取得する。これは、ＷＴＲＵが、優先度が最も高い２つのＭＡＣ−ｄフローを選択し、各々についてのＨＡＲＱプロファイルおよび各々についての多重化リストを決定し、それらを２つの個々の搬送波にマッピングすることを暗に示唆する。これは、順番が乱れたＲＬＣ配送を引き起こすおそれなしに、ＷＴＲＵが、並列してフィリングを行い、Ｅ−ＴＦＣを実行することを可能にする。しかし、これは、最も高い論理チャネルからのデータがまだ利用可能であるのに、搬送波が満杯であるため、ＷＴＲＵがそのようなデータをもはや送信できない状況を生じさせることがある。
【０２０３】
別の実施形態では、データフローは、搬送波固有とすることができる。この場合、ＷＴＲＵは、各搬送波について独立にＥ−ＴＦＣ選択手順を実行することができる。
【０２０４】
合計の結合された最大電力限界に関するＥ−ＴＦＣ選択についての実施形態の例が、これ以降で説明される。この実施形態の態様のいくつかは、２つの搬送波の間で電力が並列に割り当てられるか、または何らかの形態の動的電力割り当てが実行される場合、上で説明されたように適用可能とすることもできる。
【０２０５】
順次的な手法では、ＷＴＲＵ最大電力が両方の搬送波の間で共有される場合、ＷＴＲＵは、上で説明された実施形態のうちの１つを使用して、優先度が最も高い搬送波（Ｐ１）を最初に選択することができる。Ｅ−ＴＦＣ制約および選択は、依然として順次的に実行することができ、利用可能な電力および使用されるグラントは、割り当てられたまたはスケーリングされた電力またはグラントに等しい。
【０２０６】
優先度が最も高い搬送波を選択すると、ＷＴＲＵは、Ｅ−ＴＦＣ選択および制約手順を実行し、優先度が最も高いＭＡＣ−ｄフローが選択され、電力オフセット、サポートされる最大ペイロードｐ１が決定され、搬送波Ｐ１のサービンググラントに従って、利用可能なスケジュールドペイロードが選択され、利用可能な非スケジュールドペイロードが選択される。ＳＩを送信する必要がある場合、ＳＩは、最初に選択された搬送波とともに処理することができ、またはその代わりに、ＳＩを送信することが許可された搬送波上で処理することができる。この場合、ＷＴＲＵは、上で説明されたような順次的なＥ−ＴＦＣ制約手順を実行することができ、ＷＴＲＵは、すべての電力が搬送波Ｐ１によって使用するために利用可能であることを仮定し、セカンダリ搬送波上ではデータが送信されないことを仮定する。ＷＴＲＵは、Ｅ−ＴＦＣ選択に従って、この搬送波上で送信されるＭＡＣ−ｅまたはＭＡＣ−ｉ  ＰＤＵを生成する。あるいは、ＳＩが一方の搬送波のみ（すなわち、アンカー搬送波のみ）において送信される場合、ＳＩが送信される搬送波に対してＥ−ＴＦＣを実行するとき、Ｅ−ＴＦＣ選択は、それを考慮する。
【０２０７】
選択された搬送波についてのサポートされる最大ペイロード（すなわち、Ｅ−ＴＦＣ制約）は、例えば、ＮＲＰＭ計算に従って決定することができる。搬送波ｘにおいてＷＴＲＵが再送を有する場合、搬送波ｘに対して、Ｅ−ＴＦＣ選択は実行されない。ＷＴＲＵは、Ｅ−ＴＦＣ選択を実行し、残りの搬送波である搬送波ｙについてのＭＡＣ−ｉまたはＭＡＣ−ｅ  ＰＤＵを生成する。
【０２０８】
その後、ＷＴＲＵは、残りの搬送波についてＭＡＣ−ｅまたはＭＡＣ−ｉ  ＰＤＵを生成しなければならない。この時点で、ＷＴＲＵは、選択されたＭＡＣ−ｄフローのＨＡＲＱプロファイルおよびＭＡＣ−ｄフローの多重化リストに基づいて、送信されるデータを有する優先度が最も高いＭＡＣ−ｄフロー、および電力オフセットを再決定（または搬送波ｘ上で再送が進行中である場合は初めて決定）することができる。あるいは、ＷＴＲＵは、手順において最初に決定されたのと同じ電力オフセットを使用する。
【０２０９】
その後、ＷＴＲＵは、この第２の搬送波に対してＥ−ＴＦＣ制約手順を実行する。ＷＴＲＵは、最初の搬送波で使用される電力を考慮することができ、サポートされる最大ペイロードを計算するとき、または１組のサポートされるＥ−ＴＦＣＩを決定するとき、残余の利用可能な電力が使用される。あるいは、ＷＴＲＵは、２つの新しい送信が行われるとき、または他方の搬送波におけるＨＡＲＱ再送のために１つの新しい送信が行われるとき、第２の搬送波（すなわち、２番目に選択された搬送波）に対してＥ−ＴＦＣ制約を実行する前に、「バックオフ電力」（すなわち、ＷＴＲＵが同じＴＴＩにおいて２つの搬送波上で送信を行うときに経験される特定の電力損失）を減算することができる
【０２１０】
本明細書で説明されるこれらの実施形態では、ＷＴＲＵは、データを送信する必要がないと決定された場合、ＤＰＣＣＨを送信しないように構成することができる。ＷＴＲＵは、最大電力が搬送波毎に割り当てられるときに、十分な電力を有さない場合、第２の搬送波上でいかなるデータも送信しないように構成することもできる。例えば、搬送波の一方が十分な電力を有さない場合、ＷＴＲＵは、最小セットのＥ−ＴＦＣＩを使用する代わりに、一方の搬送波（最も大きなＵＰＨまたは最も大きなＮＲＰＭを有する搬送波）を使用して、送信を行うことができ、またはその代わりに、ＷＴＲＵは、両方が十分な電力を有さない場合、搬送波の一方において送信を行うことができない。ＷＴＲＵは、搬送波の一方において最小セットを使用することができ、第２の搬送波上では送信を行うことができない。
【０２１１】
その後、決定されたサポートされる最大ペイロード、（この搬送波のサービンググラントに従う）利用可能なスケジュールドペイロード、および妥当な場合は、利用可能な非スケジュールドペイロードに従って、ＭＡＣ−ｉまたはＭＡＣ−ｅ  ＰＤＵが満たされる。
【０２１２】
別の実施形態では、ＷＴＲＵは、各搬送波における（すべてのＵＬチャネル、すなわち、ＤＰＣＣＨ、Ｅ−ＤＰＣＣＨ、ＨＳ−ＤＰＣＣＨ、Ｅ−ＤＰＤＣＨ上での）送信電力が同じになるか、または２つの間の差が事前設定された最大値よりも小さくなるような方法で、各搬送波においてＥ−ＴＦＣを選択することができる。これは、例えば、各搬送波におけるＤＰＣＣＨおよび他のチャネルの送信電力が与えられた場合に、与えられた送信電力レベルに対して、どのＥ−ＴＦＣが各搬送波上で送信できるかを計算することによって、達成することができる。例えば、ＤＰＣＣＨ電力レベルが、例えば、搬送波１および２においてそれぞれ７ｄＢｍおよび１０ｄＢｍであり、ＨＳ−ＤＰＣＣＨおよびＥ−ＤＰＣＣＨの電力レベルが各々、ＤＰＣＣＨの電力レベルよりも−３ｄＢ下回ると仮定すると、各搬送波における送信電力レベルが１８ｄＢｍである場合、各搬送波における電力ヘッドルームは、それぞれ８ｄＢおよび５ｄＢであり、対応するＥ−ＴＦＣサイズは、６００ビットおよび３００ビットとすることができる。したがって、ＷＴＲＵは、搬送波１では６００ビットのＥ−ＴＦＣを、搬送波２では３００ビットのＥ−ＴＦＣを選択することによって、両方の搬送波上で（１８ｄＢｍの）等しい電力を用いて送信を行うことができる。
【０２１３】
この原理は、異なるケースにも適用することができる。ＷＴＲＵ送信が最大ＵＬ電力によって制限される場合、ＷＴＲＵは、最大ＵＬ電力を２つの搬送波の間で等しく分割し（したがって、各搬送波で利用可能なＵＬ電力は最大を３ｄＢ下回る）、上で開示された方法を使用して、各搬送波においてサポートされる最大Ｅ−ＴＦＣを決定することによって、各搬送波においてＥ−ＴＦＣを選択することができる。ＷＴＲＵ送信がＷＴＲＵバッファ内のデータ量によって制限される場合、ＷＴＲＵは、各搬送波上で結果のＥ−ＴＦＣを用いて送信できるデータの量がバッファ内のデータの量と一致するように、両方の搬送波の送信電力レベルを求めることができる。
【０２１４】
別の実施形態では、ＷＴＲＵは、各搬送波上で被る干渉負荷が同じか、ほぼ同じになるような方法で、各搬送波におけるＥ−ＴＦＣを選択することができる。搬送波上で被る干渉負荷は、例えば、スケジューリングのために使用される電力比に対応する、Ｅ−ＤＰＤＣＨ電力とＤＰＣＣＨ電力の電力比として推定することができる。したがって、両方の搬送波においてスケジューリンググラントおよび電力ヘッドルームが十分である場合、ＷＴＲＵは、グラントに基づいてＷＴＲＵバッファから何バイトを送信できるかを決定することによって、またこのバイト数を２で除算し、適切なＭＡＣヘッダを適用することで、各搬送波において必要とされるＥ−ＴＦＣサイズを決定することによって、各搬送波においてＥ−ＴＦＣを選択する。
【０２１５】
この方法は、基準電力比と基準Ｅ−ＴＦＣの間のマッピングが搬送波の間で同じであるならば、またすべてのデータが同じＨＡＲＱオフセットを有する論理チャネルに属するならば、各搬送波において等しい電力比をもたらす。データが、必ずしもすべてが同じＨＡＲＱオフセットを有さない論理チャネルに属する場合、ＷＴＲＵは、バイトのどの共有が、両方のＥ−ＴＦＣについて同じ電力比をもたらすかを見出さなければならない。
【０２１６】
本明細書で説明される実施形態を組み合わせた実施形態の例が、以下で説明される。これらの実施形態は、例示的なものであるにすぎず、本明細書で説明される実施形態の他の組合せも、本発明によって企図されている。アクションは、任意選択的に、任意の組合せにおいて（例えば、２つ以上の実施形態にわたって）実行することができる。特に、アンカー搬送波に関するアクションは、セカンダリ搬送波にも適用可能とすることができる。
【０２１７】
これらの実施形態の第１のものは、割り当てがＥ−ＴＦＣ制約レベルで処理される、並列的な手法を採用する。この実施形態では、ＷＴＲＵは、電力制限されるかどうかを判定する。ＷＴＲＵは、Ｅ−ＤＰＤＣＨデータのための電力の量を以下のように計算し、
【０２１８】
【数３】
0005427893.tif 000005
【０２１９】
ここで、Ｐmaxは、デュアルキャリア動作のために必要な電力バックオフを考慮し、搬送波ｚ（ｚ＝ｘまたはｙ）についてのＥ−ＤＰＣＣＨの電力は、サービンググラントに従った、その搬送波についての最大Ｅ−ＤＰＤＣＨ電力に基づいて計算される。その後、Ｐx＋Ｐy＞ＰDATA,maxである場合、ＷＴＲＵは、電力制限される。実施形態のこれらの例におけるＰz（ｚ＝ｘまたはｙ）は、スケジュールドＥ−ＤＰＤＣＨ送信のために必要とされる電力に対応することができる。数学的な公式では、Ｐzは、式（５）に従って、ＰE-DPDCH,zに対応することができ、ＰE-DPDCH,zを意味することができ、またはＰE-DPDCH,zとして定義することができる。より具体的には、
Ｐz＝ＰE-DPDCH,z＝ＳＧz×ＰDPCCH,z  式（２６）
である。
【０２２０】
ＷＴＲＵは、上で説明された実施形態のいずれかに従って、各搬送波に割り当てられる残余電力の割合を計算する。各搬送波についての正規化残余電力は、例えば、以下のように計算することができ、
ＮＲＰＭ，ｘ＝ρx（ＰDATA,max）／ＰDPCCH,x  式（２７）
ＮＲＰＭ，ｙ＝ρy（ＰDATA,max）／ＰDPCCH,y  式（２８）
ここで、ρz（ｚ＝ｘまたはｙ）は、いくつかの電力割り当て規則に基づいて、搬送波ｚに割り当てられる残余電力の割合である。実施形態のこの例にわたって、ρz（ＰDATA,max）は、電力割り当て方式／実施形態のいずれかを使用して、Ｅ−ＤＣＨ送信のために搬送波ｚに割り当てられる電力を表す。これは、公式の別の例においては、Ｐmax,zまたはＰE-DPDCHmod,zまたは（ＰE-DPDCHmod,z＋Ｐnon-SG）に対応することもできる。
【０２２１】
あるいは、各搬送波についての正規化残余電力は、例えば、以下のように計算することもでき、
【０２２２】
【数４】
0005427893.tif 000006
【０２２３】
【数５】
0005427893.tif 000007
【０２２４】
ここで、ＳＧinput,xおよびＳＧinput,yは、それぞれ搬送波ｘおよび搬送波ｙについての架空サービンググラントである。
【０２２５】
その後、ＷＴＲＵは、各搬送波について別々に、これら２つのＮＲＰＭに基づいて、Ｅ−ＴＦＣ制約を実行する。その後、非スケジュールド送信が送信されるアンカー搬送波から開始して、または上で説明された手順のいずれかに従って選択されたどちらかの搬送波から開始して、サービンググラントにいかなる変更も施さずに、一度に１つの搬送波について、従来のＥ−ＴＦＣ選択を実行することができる。
【０２２６】
さらなる実施形態は、割り当てがＥ−ＴＦＣ制約レベルで処理される、並列的な手法を採用し、非スケジュールド送信の保護を可能にする。この実施形態では、ＷＴＲＵは、ＷＴＲＵが電力制限されるかどうかを判定する。ＷＴＲＵは、式（２５）におけるように、Ｅ−ＤＰＤＣＨデータのための電力の量を計算する。Ｐx＋Ｐy＞ＰDATA,maxである場合、または任意選択的に、Ｐx＋Ｐy＋Ｐnon-SG＞ＰDATA,maxである場合、Ｐxが非スケジュールド送信のための電力を含まないならば、ＷＴＲＵは、電力制限される。ＷＴＲＵは、上で説明された実施形態のいずれかに従って、各搬送波に割り当てられる残余電力の割合を計算する。各搬送波についての正規化残余電力は、式（２６）および式（２６）におけるように、計算することができる。その後、ＷＴＲＵは、各搬送波について別々に、これら２つのＮＲＰＭに基づいて、Ｅ−ＴＦＣ制約を実行する。その後、ＷＴＲＵは、各搬送波について別々に、Ｅ−ＴＦＣ選択を実行する。アンカー搬送波に対して、ＷＴＲＵは、非スケジュールド送信が送信されることを保証するために、仮想サービンググラントを使用する。この仮想サービンググラントは、以下のように計算することができ、
ＳＧinput,x＝（ρxＰDATA,max−Ｐnon-SG）／ＰDPCCH,x  式（３１）
ここで、電力割り当ては、仮想サービンググラントが非負であることを保証することが仮定される。セカンダリ搬送波についてのＥ−ＴＦＣ選択は、従来の手法を使用して実行される。
【０２２７】
また別の実施形態は、割り当てがＥ−ＴＦＣ制約レベルで処理される、並列的な手法を採用し、非スケジュールド送信の絶対保護を提供する。この実施形態では、ＷＴＲＵは、上で説明された実施形態のいずれかに従って、例えば、両方の搬送波上のスケジュールドおよび／または非スケジュールドチャネルならびに制御チャネルのために必要とされる電力を考慮することによって、ＷＴＲＵが電力制限されるかどうかを判定する。
【０２２８】
ＷＴＲＵは、スケジュールドＥ−ＤＰＤＣＨデータのための電力の量を以下のように計算し、
【０２２９】
【数６】
0005427893.tif 000008
【０２３０】
ここで、Ｐmaxは、デュアルキャリア動作のために必要な電力バックオフを考慮し、搬送波ｚ（ｚ＝ｘまたはｙ）についてのＥ−ＤＰＣＣＨの電力は、サービンググラントに従った、その搬送波についての最大Ｅ−ＤＰＤＣＨ電力に基づいて計算される。ＰDATA,maxは、ここでは、スケジュールドＥ−ＤＰＤＣＨのために利用可能な電力に対応する。Ｐx＋Ｐy＞ＰDATA,maxである場合、ＷＴＲＵは、電力制限される。ＷＴＲＵは、第１の搬送波のために非スケジュールド送信の電力が考慮される、上で説明された実施形態のいずれかに従って、各搬送波に割り当てられる残余電力の割合を計算する。各搬送波についての正規化残余電力は、以下のように計算することができ、
ＮＲＰＭ，ｘ＝（ρxＰDATA,max＋Ｐnon-SG）／ＰDPCCH,x  式（３３）
ＮＲＰＭ，ｙ＝ρyＰDATA,max／ＰDPCCH,y  式（３４）
ここで、ρzは、非スケジュールド送信が行われ得ることを任意選択的に考慮して、いくつかの電力割り当て規則に基づいて、スケジュールド送信のための搬送波ｚに割り当てられる残余電力の割合である。その後、ＷＴＲＵは、各搬送波について別々に、これら２つのＮＲＰＭに基づいて、Ｅ−ＴＦＣ制約を実行する。搬送波ｘの場合、搬送波ｘについてのサポートされるＥ−ＴＦＣＩが非スケジュールド送信も搬送できることを保証するために、非スケジュールド送信の電力が、第１の搬送波における残余電力に追加される。実施の例において、ρxＰDATA,maxが、スケジュールドおよび非スケジュールドの両方についての、搬送波ｘまたはプライマリ搬送波に割り当てられた電力を含む場合、Ｐnon-SGを公式に追加する必要はないことが理解されよう。
【０２３１】
その後、ＷＴＲＵは、各搬送波について別々に、Ｅ−ＴＦＣ選択を実行する。ＷＴＲＵは、Ｅ−ＴＦＣ選択への入力として、両方の搬送波における（スケーリングされていない）完全なサービンググラントを使用して、スケジュールドおよび非スケジュールドの両方のためのリソースのプールとして、各搬送波におけるヘッドルームを使用することを可能にし、利用可能なデータを有するＭＡＣ−ｄフローの論理チャネル優先度を尊重する。
【０２３２】
実施の第３の異なる例では、アンカー搬送波に対して、ＷＴＲＵは、非スケジュールド送信が送信されることを保証するために、仮想サービンググラントを使用する。この仮想サービンググラントは、以下のように計算することができる。
ＳＧinput,x＝（ρxＰDATA,max）／ＰDPCCH,x  式（３５）
【０２３３】
セカンダリ搬送波に対するＥ−ＴＦＣ選択は、従来の手法を使用して実行され、任意選択的に、同様に計算される仮想サービンググラントも使用する。
【０２３４】
さらなる実施形態は、割り当てをＥ−ＴＦＣ制約レベルで処理し、非スケジュールド送信の絶対保護および電力再割り当てを提供する。この実施形態では、ＷＴＲＵは、ＷＴＲＵが電力制限されるかどうかを判定する。ＷＴＲＵは、式（３２）におけるように、スケジュールドＥ−ＤＰＤＣＨデータのための電力の量を計算する。Ｐx＋Ｐy＞ＰDATA,maxである場合、ＷＴＲＵは、電力制限される。ＷＴＲＵは、第１の搬送波について非スケジュールド送信の電力が考慮される、上で説明された規則のいずれかに従って、各搬送波に割り当てられる残余電力の割合を計算する。各搬送波についての正規化残余電力は、式（３３）におけるように、計算することができる。その後、ＷＴＲＵは、ＮＲＰＭ，ｘに基づいて、第１の搬送波のためのＥ−ＴＦＣ制約を実行する。搬送波ｘの場合、搬送波ｘについてのサポートされるＥ−ＴＦＣＩが非スケジュールド送信も搬送できることを保証するために、非スケジュールド送信の電力が、第１の搬送波における残余電力に追加される。
【０２３５】
その後、ＷＴＲＵは、アンカー搬送波（ここでは搬送波ｘ）に対してＥ−ＴＦＣ選択を実行する。アンカー搬送波に対して、ＷＴＲＵは、非スケジュールド送信が送信されることを保証するために、仮想サービンググラントを使用する。この仮想サービンググラントは、式（３５）におけるように、計算することができる。セカンダリ搬送波に対するＥ−ＴＦＣ選択は、Ｅ−ＴＦＣ選択がアンカー搬送波上で実行された後の合計の残余電力に基づいたＥ−ＴＦＣ制約を用いて、また任意選択的に、非スケジュールドフローが送信されないという制約を用いて、従来の手法を使用して実行される。第２の搬送波を満たす場合、ＵＥは、Ｅ−ＴＦＣ選択への入力として、セカンダリのための完全なサービンググラントを使用することができる。
【０２３６】
別の実施形態は、割り当てがグラントレベルで処理される、並列的な手法を採用し、非スケジュールド送信の絶対保護を提供する。この実施形態では、ＷＴＲＵは、ＷＴＲＵが電力制限されるかどうかを判定する。ＷＴＲＵは、式（３２）におけるように、スケジュールドＥ−ＤＰＤＣＨデータのための電力の量を計算する。Ｐx＋Ｐy＞ＰDATA,maxである場合、またはＰDATA,maxが例えば式（２５）に従ってすでに非スケジュールドを考慮していないならば、Ｐx＋Ｐy＞ＰDATA,max−Ｐnon-SGである場合、ＷＴＲＵは、電力制限される。ＷＴＲＵは、第１の搬送波について非スケジュールド送信の電力が考慮される、上で説明された規則のいずれかに従って、各搬送波に割り当てられる残余電力の割合を計算する。例えば、各搬送波についての仮想グラントは、以下のように与えることができ、
ＳＧinput,x＝ΦＳＧx  式（３６）
ＳＧinput,y＝ΦＳＧy  式（３７）
ここで、Φは、
Φ＝（ＰDATA,max）／（Ｐx＋Ｐy）  式（３８）
によって与えられる。
【０２３７】
ＷＴＲＵは、例えば、式（２５）に従って、２つの搬送波のいずれにおいてもＥ−ＤＰＤＣＨが送信されないことを仮定して、２つの搬送波に対してＥ−ＴＦＣ制約を実行する。この実施形態によれば、各搬送波についてのＮＲＰＭは、
ＮＲＰＭ，ｘ＝ＰDATA,max／ＰDPCCH,x  式（３９）
ＮＲＰＭ，ｙ＝ＰDATA,max／ＰDPCCH,y  式（４０）
に等しく、またはρzが１に等しい場合、式（２６）もしくは式（２７）に等しい。ＰDATA,maxが、式（３１）に従って、Ｐnon-SGを考慮する場合、
ＮＲＰＭ，ｘ＝（ＰDATA,max＋Ｐnon-SG）／ＰDPCCH,x  式（４１）
ＮＲＰＭ，ｙ＝ＰDATA,max／ＰDPCCH,y  式（４２）
である。
【０２３８】
実施形態のこの例を用いた場合、各搬送波についての１組のサポートされるＥ−ＴＦＣＩは、他方の搬送波においてデータが送信されない場合にＵＥによって送信できるＥ−ＴＦＣＩに対応する。しかし、グラントは、非スケジュールド送信を考慮して計算される、仮想グラントによって制限されるので、その場合、合計送信電力は、（最小セットのＥ−ＴＦＣが使用されない限り）最大許容電力を超過しない。ＷＴＲＵは、論理チャネル優先度の順に、仮想グラントに従った、非スケジュールドグラントおよび利用可能な非スケジュールドデータに従って、各搬送波を満たす。従来のＥ−ＴＦＣ選択が、非スケジュールドフローはアンカー搬送波にのみマッピングできるという任意選択的な制約を伴って、その後、プライマリ搬送波に対して実行され、その後、セカンダリ搬送波に対して実行される。
【０２３９】
本開示の全体にわたって、スケジュールド送信のための各搬送波に割り当てられる電力が、実際のサービンググラントによって許容される電力を超過しないことを保証することによって、ＷＴＲＵは、上で説明された実施形態のいずれかに従って、ＷＴＲＵが電力制限されているかどうかを決定または計算し、電力を割り当てる必要がないことがあることを理解されたい。例えば、これは、ＳＧｚとＳＧｉｎｐｕｔ，ｚとの小さい方を取ることによって、または計算されたスケーリング係数と１との小さい方になるようにスケーリング係数を決定することによって、達成することができる。
【０２４０】
デュアルキャリア電力バックオフ、およびマルチキャリア動作のための最大電力制約についての実施形態が、これ以降で開示される。ＷＴＲＵ電力増幅器設計および電力消費を軽減するため、ＷＴＲＵは一般に、一定のＭＰＲ（最大電力低減）を許容される。この電力低減余裕は、電力増幅器の非線形性によって意図しない隣接搬送波干渉を引き起こすことを回避するため、ＷＴＲＵ実施が、最大送信電力を低減すること（これは電力バックオフとも呼ばれる）を可能にする。
【０２４１】
一般に、電力バックオフの量は、送信される信号の組合せに依存する。従来、シングルキャリア動作について、様々なケースに関するＴＦＣおよびＥ−ＴＦＣ制約手順に対して許容される最大電力低減が規定されている。例えば、Ｅ−ＴＦＣ制約を実行する場合、最大送信電力ＰＭａｘjは、表２に示されるように、Ｅ−ＴＦＣｊに対応する信号構成ケースに対応するＭＰＲ（Ｅ−ＴＦＣ−ＭＰＲ）量を最大として低減させることが許可される。
【０２４２】
【表２】
0005427893.tif 000009
【０２４３】
一実施形態によれば、電力バックオフは、１つではなく２つのアップリンク搬送波上で送信を行う場合に、適用することができる。ＷＴＲＵは、本明細書で説明される実施形態のいずれかに従って、両方の搬送波上で送信されるデータの量を決定し、データが２つの搬送波上で送信される場合、電力バックオフ（すなわち、合計の送信電力または搬送波毎の送信電力の低減）を適用することができる。その場合、電力バックオフの適用は、各搬送波におけるより小さなＥ−ＴＦＣＩの使用をもたらす。ＷＴＲＵは、より多くのデータを送信できるようにするのに、電力バックオフを用いずに単一の搬送波を使用するか、それとも電力バックオフを用いて２つの搬送波を使用するかを決定することができ、最も多い合計ビット数の送信を可能にする選択肢を選択することができる。
【０２４４】
デュアルキャリア動作の場合、補助搬送波上に第２のＤＰＣＣＨが存在するケースと組み合わされた、すべての既存（１〜６）または関連ケース、補助搬送波上に第２のＤＰＣＣＨおよびＨＳ−ＤＰＣＣＨが存在するケースと組み合わされた、すべての既存（１〜６）または関連ケース、ならびに補助搬送波上に第２のＤＰＣＣＨおよびＨＳ−ＤＰＣＣＨが存在するケースに加えて、Ｅ−ＤＣＨ構成の異なるケースとも組み合わされた、すべての既存（１〜６）または関連ケースのような、追加のケースをサポートするために、ＭＰＲ表の新しい組を定義することができ、またはＥ−ＴＦＣ制約のための従来の表を拡張することができる。ＤＣ−ＨＳＵＰＡ動作のためにＷＴＲＵが構成されるときに、ＤＰＤＣＨが許容されない場合、表２の最初の２つのケースが関連する。
【０２４５】
一実施形態によれば、Ｅ−ＴＦＣ制約手順を順次的に実行する（すなわち、搬送波ｘのためのＥ−ＴＦＣ制約手順が、搬送波ｙのためのＥ−ＴＦＣ制約手順の前に実施される）場合、搬送波ｘについてＥ−ＴＦＣ制約手順を実行するとき、ＰＭａｘj,xの計算は、搬送波ｘにおいて送信されるチャネルに加えて、搬送波ｙにおけるＤＰＣＣＨの存在および潜在的にＨＳ−ＤＰＣＣＨなどの他のチャネルの存在に起因する追加的な電力低減を考慮することができる。この最大許容電力低減は、例えば、新しいＥ−ＴＦＣ−ＭＰＲの表３から獲得することができる。表３では、ＭＰＲ値Ｘ１〜Ｘ４は、例えば、シミュレーションまたは測定を通して決定された一定の数であり、（例えば、Ｅ−ＴＦＣ制約を順次的に実行する場合に）最初に選択された搬送波についてＥ−ＴＦＣ制約を実行するとき、ＷＴＲＵは、各Ｅ−ＴＦＣｉについて、表に従ってＥ−ＴＦＣ−ＭＰＲを決定し、それを最大送信電力に適用することができる。同様に、搬送波ｙについてＥ−ＴＦＣ制約を実行するとき、ＰＭａｘj,yの計算は、搬送波ｙにおいて送信されるチャネル（すなわち、ＤＰＣＣＨ、Ｅ−ＤＰＣＣＨ、ＥＤＰＤＣＨ、および潜在的にＨＳ−ＤＰＣＣＨ）に加えて、実際のＥ−ＤＣＨトランスポートフォーマットが選択された、搬送波ｘの存在に起因する追加的な電力低減を考慮することができる。この最大許容電力低減は、例えば、新しいＥ−ＴＦＣ−ＭＰＲの表４から獲得することができる。
【０２４６】
【表３】
0005427893.tif 000010
【０２４７】
その後、第２の搬送波について、ＷＴＲＵは、データが第１の搬送波上で送信されることを知る（さもなければ、第２の搬送波はデータで満たされない）。表４では、ＭＰＲ値Ｙ１〜Ｙ６は、例えば、シミュレーションまたは測定を通して決定された一定の数である。
【０２４８】
【表４】
0005427893.tif 000011
【０２４９】
ＤＣ−ＨＳＵＰＡ動作のためにＷＴＲＵが構成される場合、例えば、搬送波上で再送が存在し、他方の搬送波が空いているとき、Ｅ−ＴＦＣ選択、したがって、Ｅ−ＴＦＣ制約は、単一のトランスポートブロックに対して実施することができる。そのような場合、Ｅ−ＴＦＣ制約についてのＭＰＲは、類似の手順に基づくことができるが、（搬送波１上でデータがすでに送信されているので）搬送波２のためのＭＰＲ計算から開始する。表４に示されるようなＥ−ＴＦＣ−ＭＰＲの表は、この目的で使用することができる。
【０２５０】
別の実施形態では、データまたは制御情報が第２の搬送波を介して送信されている場合、固定されたＭＰＲオフセットを、従来の表の値に適用することができる。より具体的には、この固定されたＤＣ−ＨＳＵＰＡ−ＭＰＲ値（ｄＢ単位）は、Ｅ−ＴＦＣ制約を実施するときに各搬送波について個別に計算されたＥ−ＴＦＣ−ＭＰＲ値に追加することができる。例えば、ＷＴＲＵは、ＭＰＲを以下のように計算することができる。各搬送波および各Ｅ−ＴＦＣＩについて、ＤＣ−ＨＳＵＰＡが活動化され、Ｅ−ＴＦＣ選択が実施される場合、ＷＴＲＵは、Ｅ−ＴＦＣ制約のレガシ手順に従って（例えば、表２を使用して）、最初の「シングルキャリアＭＰＲ」を計算することができる。その後、各搬送波について、ＷＴＲＵは、上で計算されたこのシングルキャリアＭＰＲ値に、ＤＣ−ＨＳＵＰＡ−ＭＰＲ値を追加する。その後、各搬送波について、ＷＴＲＵは、その搬送波のための最大電力の計算において、この合計ＭＰＲを使用する。
【０２５１】
別の例では、例えば、Ｅ−ＴＦＣ制約が順次的に実施される場合、ＷＴＲＵは、ＭＰＲを以下のように計算することができる。Ｅ−ＴＦＣ制約が適用される最初の搬送波のためのＭＰＲを計算する際、ＷＴＲＵは、Ｅ−ＴＦＣ制約のレガシ手順に従って（例えば、表２を使用して）、「シングルキャリアＭＰＲ」を最初に計算することができる。任意選択的に、ＷＴＲＵは、計算されたこのシングルキャリアＭＰＲ値に、ＤＣ−ＨＳＵＰＡ−ＭＰＲ値を追加する。任意選択的に、ＷＴＲＵは、以下の条件、すなわち、（１）他方の搬送波におけるＤＰＣＣＨの電力が非ゼロであるか、もしくは次回のＴＴＩにおけるスロットの少なくとも１つで非ゼロであること、または（２）ＨＳ−ＤＰＣＣＨが他方の搬送波上で送信されているか、もしくは送信されることのうちの１つまたは複数が（任意の順序または組合せで）満たされた場合に、計算されたこのシングルキャリアＭＰＲ値に、ＤＣ−ＨＳＵＰＡ−ＭＰＲ値を追加する。
【０２５２】
Ｅ−ＴＦＣ制約が適用される第２の搬送波のためのＭＰＲを計算する際、ＷＴＲＵは、Ｅ−ＴＦＣ制約のレガシ手順に従って（例えば、表２を使用して）、「シングルキャリアＭＰＲ」を最初に計算することができる。任意選択的に、ＷＴＲＵは、計算されたこのシングルキャリアＭＰＲ値に、ＤＣ−ＨＳＵＰＡ−ＭＰＲ値を追加する。任意選択的に、ＷＴＲＵは、以下の条件、すなわち、（１）第１の搬送波におけるＥ−ＤＰＤＣＨ（およびＥ−ＤＰＣＣＨ）の電力が非ゼロであること、（２）第１の搬送波におけるＥ−ＤＰＤＣＨの電力が、ＷＴＲＵがより高位の層のシグナリングを介してこの閾値を受け取るか、もしくはその値が事前設定される閾値を上回ること、（３）第１の搬送波におけるＥ−ＤＰＤＣＨのチャネライゼーションコードの数が、その値がネットワークによって伝達されるか、もしくは仕様によって事前設定される与えられた値以上であること、（４）第１の搬送波のＥ−ＤＰＤＣＨにおいて使用される最小の拡散係数が、事前設定される値以下であること、または（５）第１の搬送波がＨＳ−ＤＰＣＣＨにおいて非ゼロの電力を有することのうちの１つまたは複数が（任意の順序または組合せで）満たされた場合に、計算されたこのシングルキャリアＭＰＲ値に、ＤＣ−ＨＳＵＰＡ−ＭＰＲ値を追加する。
【０２５３】
別の実施形態では、ＷＴＲＵは、ＭＰＲとともにレガシまたは従来のＥ−ＴＦＣ制約手順を使用することができ、シングルキャリアが活動化される場合、また２つ以上の搬送波が活動化される場合、ＷＴＲＵは、固定されたＭＰＲ値を使用することができる。あるいは、２つの搬送波が活動化され、両方の搬送波においてＥ−ＤＣＨ送信が行われる場合、ＷＴＲＵは、固定されたＭＰＲを使用することができる。それ以外の場合、ＷＴＲＵは、Ｅ−ＤＣＨ送信を有する搬送波を使用して計算されたレガシ手順に基づいて、ＭＰＲを適用し、他方の搬送波に対して、追加のＭＰＲは考慮されない。あるいは、２つの搬送波が活動化され、各搬送波において２つ以上の物理チャネルが送信される場合、ＷＴＲＵは、固定されたＭＰＲを使用することができる。それ以外の場合、ＷＴＲＵは、Ｅ−ＤＣＨ送信を有する搬送波を使用して計算されたレガシ手順に基づいて、ＭＰＲを適用し、他方の搬送波に対して、追加のＭＰＲは考慮されない。あるいは、２つの搬送波が活動化され、各搬送波において同時に少なくともＤＰＣＣＨが送信される場合、ＷＴＲＵは、固定されたＭＰＲを使用することができる。それ以外の場合、ＷＴＲＵは、Ｅ−ＤＣＨ送信を有する搬送波を使用して計算されたレガシ手順に基づいて、ＭＰＲを適用し、他方の搬送波に対して、追加のＭＰＲは考慮されない。固定されたＭＰＲ値は、表２の最も大きいＭＰＲ値に対応することができる。ＷＴＲＵは、すべての関連するＥ−ＴＦＣＩおよび搬送波の組合せについて、ＭＰＲを事前に計算することができる。
【０２５４】
ｚ＝ｘまたはｚ＝ｙとし、Ｅ−ＴＦＣj,zに対して電力低減が適用される場合、ＰMAXの値は、Ｅ−ＴＦＣjおよび搬送波ｘまたはｙについての電力バックオフの量だけ低減される。最大ＷＴＲＵ送信機電力は、以下のようになり、
最大ＷＴＲＵ送信機電力（ｄＢｍ単位）＝ＭＩＮ｛最大許容ＵＬ  ＴＸ電力（ｄＢｍ単位），ＰMAX,dBm−ＰBACKOFF,j,z｝  式（４３）
ここで、最大許容ＵＬ  ＴＸ電力は、ＵＴＲＡＮによって設定され、ＰMAX,dBmは、ＷＴＲＵ電力クラスによって定められるＷＴＲＵ公称最大送信電力（ｄＢｍ単位）であり、ＰBACKOFF,j,zは、Ｅ−ＴＦＣjおよび搬送波ｚ＝ｘまたはｚ＝ｙに対して適用される電力バックオフの量（ｄＢ単位）である。
【０２５５】
ＳＩ（スケジューリング情報）は、それが各搬送波についてのＵＬ電力ヘッドルーム測定を個別に提供するように、変更することができる。より具体的には、ＳＩのフォーマットは、図１１に示されるように、補助搬送波のためのＵＰＨを含むように拡張することができ、ＵＰＨ１およびＵＰＨ２は、最大ＷＴＲＵ送信電力と対応するアンカーＤＰＣＣＨ符号電力の比、および最大ＷＴＲＵ送信電力と対応する補助ＤＰＣＣＨ符号電力の比にそれぞれ対応する。
【０２５６】
あるいは、ＷＴＲＵは、１つのＵＰＨ測定を報告することができ、ノードＢは、搬送波間のノイズ発生差に基づいて、他方の搬送波のＵＰＨを推測することができる。
【０２５７】
あるいは、単一のＵＰＨを以下のように計算し、報告することができ、
【０２５８】
【数７】
0005427893.tif 000012
【０２５９】
ここで、Ｐmax,txは、ＷＴＲＵによって送信できる合計の最大出力電力であり、ＰDPCCH1およびＰDPCCH2は、それぞれ搬送波１および搬送波２のＤＰＣＣＨ上での送信符号電力を表す。搬送波毎の最大送信電力が設定される場合、Ｐmax,txは、搬送波毎の最大送信電力の和を表す。
【０２６０】
あるいは、スケジューリング情報フォーマットは、変更されないままであるが、ＷＴＲＵは、各搬送波において個別にＳＩを報告することができる。例えば、ＳＩがアンカー搬送波上で送信される場合、ＳＩは、アンカー搬送波のＵＰＨを報告し、ＳＩが補助搬送波上で送信される場合、ＳＩは、補助搬送波のＵＰＨを報告する。
【０２６１】
Ｅ−ＴＦＣ制約手順を実行する場合、ＷＴＲＵは、設定される各Ｅ−ＴＦＣＩおよび各ＨＡＲＱオフセットについてのＥ−ＤＰＤＣＨ利得係数およびＥ−ＤＰＣＣＨ利得係数（Ｅ−ＤＰＣＣＨ電力昇圧が設定される場合）を計算する必要がある。これらの利得係数は、ネットワークによって設定される１組のパラメータに依存する。ＷＴＲＵは、これらの利得係数の計算を可能にする構成メッセージを受信することができる。構成メッセージは、以下のパラメータ、すなわち、１組の基準Ｅ−ＴＦＣＩ、Ｅ−ＤＰＤＣＨ電力オフセット、構成される各ＭＡＣ−ｄフローについてＨＡＲＱオフセット、それを上回るとＥ−ＤＰＣＣＨ電力昇圧が適用されるＥ−ＴＦＣＩを表すＥ−ＴＦＣＩec,boost、Ｅ−ＤＰＣＣＨのための利得係数、（Ｅ−ＤＰＣＣＨ電力昇圧についての）トラフィック対合計パイロット電力（ｔｒａｆｆｉｃ  ｔｏ  ｔｏｔａｌ  ｐｉｌｏｔ  ｐｏｗｅｒ）などのうちの少なくとも１つまたは複数を含む。ＷＴＲＵが与えられたＥ−ＴＦＣＩのための利得係数を必要とするたびに、ＷＴＲＵは、電力補間または外挿公式、ならびに潜在的にＥ−ＤＰＣＣＨ電力昇圧公式を使用して、利得係数を計算する。
【０２６２】
あるいは、ＷＴＲＵは、Ｅ−ＴＦＣＩの各々について、設定されるすべてのＨＡＲＱオフセットまたはすべてのＭＡＣ−ｄフローのために必要とされる利得係数を事前計算することができる。ＷＴＲＵは、（例えば、Ｅ−ＴＦＣ制約が実行されるたびに）将来の使用のために、結果の電力オフセットを保存する。ＷＴＲＵは、与えられたＨＡＲＱオフセットおよびＥ−ＴＦＣＩについて１組の電力オフセットを必要とする場合、事前計算されたテーブル内で必要とされる値を検索することができる。この手法は、上で説明されたＥ−ＴＦＣ制約／選択手順のいずれに対しても使用することができる。
【０２６３】
本発明では、ＷＴＲＵは、すべてのＨＡＲＱオフセットについての１組のサポートされるＥ−ＴＦＣＩを、これらの値がＥ−ＴＦＣ選択手順において必要とされる前に、事前計算することができる。例えば、設定される各ＨＡＲＱオフセットについての１組のサポートされるＥ−ＴＦＣＩは、搬送波毎に独立に、すべてのＴＴＩの開始時に計算して、メモリに保存することができる。Ｅ−ＴＦＣ選択手順によって必要とされる場合、ＷＴＲＵは、ＷＴＲＵメモリから所望の１組の値を読み出すことができる。したがって、本発明においてＥ−ＴＦＣ制約手順の実行に言及する場合、多くの場合、１組のサポートされるＥ−ＴＦＣＩの実際の計算は、（例えば、ＴＴＩ境界において）すでに実施されていてよく、したがって、Ｅ−ＴＦＣ制約の実行は、メモリからの１組のサポートされるＥ−ＴＦＣＩのＷＴＲＵ読み出しを指すことがあることを理解されたい。
【０２６４】
他の実施形態では、複数の搬送波にわたって変調方式を最適化することができる。これらの実施形態を説明する目的で、１６ＱＡＭ（１６値直交振幅変調（１６  ｑｕａｄｒａｔｕｒｅ  ａｍｐｌｉｔｕｄｅ  ｍｏｄｕｌａｔｉｏｎ））およびＱＰＳＫ（直交位相偏移変調（ｑｕａｄｒａｔｕｒｅ  ｐｈａｓｅ  ｓｈｉｆｔ  ｋｅｙｉｎｇ））について言及がなされる。様々な１６ＱＡＭおよびＱＰＳＫシナリオ、ならびにＥ−ＤＰＣＣＨ昇圧が、これ以降で開示される。本明細書で開示される順次的な手法の場合、ＷＴＲＵは、最初にデータで満たす一方の搬送波を選択することができる。ＷＴＲＵが電力制限され、その搬送波上でのグラントが、１６ＱＡＭまたはＥ−ＤＰＣＣＨ昇圧を使用するデータの送信を可能にするのに十分な大きさを有する状況において、一方の搬送波において１６ＱＡＭが使用され、他方の搬送波において十分な電力が残っていない場合、データ送信が非効率となることがある。一実施形態では、例えば、一方の搬送波のみで１６ＱＡＭを送信するよりも、ＱＰＳＫを使用して２つの搬送波上で送信を行う方が、データ送信および電力利用に関して、より効率的になることがある。実際に、より高次の変調は、より低次の変調よりも、ビット当たり多くのエネルギーを一般に必要とするので、ＱＰＳＫを使用する最大のＥ−ＴＦＣが両方の搬送波において使用され、ＷＴＲＵが追加のデータを送信するのに十分な電力およびグラントを有する場合、ＷＴＲＵが１６ＱＡＭのみを使用する方が、よりエネルギー効率が良いことがある。そうすることで、ＷＴＲＵのバッテリ寿命を改善することができるばかりでなく、与えられたユーザエクスペリエンスに対してネットワーク容量を改善することもできる。
【０２６５】
さらなる例として、別の実施形態では、ＷＴＲＵは、ＷＴＲＵが電力制限される場合、１６ＱＡＭを使用することができない。例えば、ＷＴＲＵが電力制限される場合、ＱＰＳＫを用いて満たされた２つの搬送波は、１６ＱＡＭを用いる１つの搬送波、および潜在的にＱＰＳＫまたはＢＰＳＫ（２相位相偏移変調）を用いる別の搬送波よりも多くのデータを搬送することができる。さらに、１６ＱＡＭを用いる１つの搬送波、およびＱＰＳＫまたはＢＰＳＫを用いる別の搬送波という後者の構成は、追加的なＷＴＲＵバッテリ電力を消費し、ＷＴＲＵのスループットを低下させ、ネットワーク容量を減少させることがある。
【０２６６】
また別の実施形態では、ＷＴＲＵは、ＷＴＲＵがバッファ制限される場合、１６ＱＡＭを使用しないように構成することができる。１６ＱＡＭを用いるシングルキャリアまたは１６ＱＡＭを用いる１つの搬送波、およびＱＰＳＫまたはＢＰＳＫを用いる別の搬送波の代わりに、ＱＰＳＫを用いる２つの搬送波を用いて、ＷＴＲＵがそのバッファを空にする方が、動作的により効率が良いことがある。これは、バッテリ寿命を改善し、ネットワーク容量を増加させる。
【０２６７】
一実施形態によれば、ＷＴＲＵは、少なくとも２回、ＤＣ−ＨＳＵＰＡのためのＥ−ＴＦＣ選択手順を実行することができる（すなわち、ＤＣ−ＨＳＵＰＡのためのＥ−ＴＦＣ制約手順が２回実行される）。第１の暫定的なＥ−ＴＦＣ選択手順において、ＷＴＲＵは、１６ＱＡＭ動作を必要とすることが知られているＥ−ＴＦＣＩを許容しないことによって、Ｅ−ＴＦＣを計算する。この追加的な制約は、これらのＥ−ＴＦＣＩがＥ−ＴＦＣ選択手順に対してブロックされて見えるように、例えば、各搬送波に対するＥ−ＴＦＣ制約手順の最中に実施することができる。その後、ＷＴＲＵは、（搬送波毎に１つの）Ｅ−ＴＦＣ選択手順からもたらされる２つのＴＢＳ（トランスポートブロックセット（ｔｒａｎｓｐｏｒｔ  ｂｌｏｃｋ  ｓｅｔ））を記録し、２つの搬送波を介して送信されるデータビットの（または任意選択的に、データビットに、ヘッダビットおよび／もしくはパディングビットを加えた）総数を記録し、これらのＴＢＳに対応するＰＤＵを生成することができる。
【０２６８】
第２の暫定的なＥ−ＴＦＣ選択手順において、ＷＴＲＵは、Ｅ−ＴＦＣＩに対するさらなる制約を用いずに、Ｅ−ＴＦＣを計算する。これは、通常のＥ−ＴＦＣ制約手順を実行することによって達成される。その後、ＷＴＲＵは、（搬送波毎に１つの）Ｅ−ＴＦＣ選択手順からもたらされる２つのＴＢＳを記録し、２つの搬送波を介して送信されるデータビットの（または任意選択的に、データビットに、ヘッダビットおよび／もしくはパディングビットを加えた）総数を記録し、これらのＴＢＳに対応するＰＤＵを生成することができる。
【０２６９】
その後、ＷＴＲＵは、各手順について、送信されるビットの総数を（選択されたＴＢＳの和または上で計算されたデータビットの総数を使用して）比較し、ビット数の合計が最大になる暫定的なＥ−ＴＦＣを選択する。その後、ＷＴＲＵは、ＭＡＣ  ＰＤＵを生成し、送信することができる。ＰＤＵがあらかじめ生成される場合、ＷＴＲＵは、最大のビット総数に対応するＰＤＵのペアを送信し、他の２つのＰＤＵは廃棄することができる。
【０２７０】
別の実施形態によれば、Ｅ−ＴＦＣ制約手順を更新して、１つの搬送波のみで１６ＱＡＭを利用しないように、ＷＴＲＵを制約することができる。
【０２７１】
この制約は、以下の条件、すなわち、
（１）ここでのヘッドルームは平均ヘッドルーム（例えばＵＰＨ）もしくは瞬間ヘッドルームにし得るとして、ＷＴＲＵの共有される利用可能なヘッドルームが閾値を下回ること、
（２）ＮＲＰＭが閾値を下回ること、
（３）ＷＴＲＵの共有される利用可能なヘッドルームが閾値を下回り、一方のもしくは最初に選択される搬送波のグラントが閾値を上回ること、
（４）最初に選択される搬送波におけるグラントが共有される利用可能なヘッドルームもしくはＮＲＰＭよりも大きいこと、または
（５）グラントの和が閾値よりも大きく、一方の搬送波におけるグラントが閾値を上回ること
の１つまたは組合せが真である場合に、適用することができる。
【０２７２】
上で説明された閾値は、ＷＴＲＵにおいて事前定義することができ、またはネットワークによって設定することができ、または他の設定値に基づいてＷＴＲＵによって決定することができる。
【０２７３】
あるいは、この制約は、連続的に適用し、実行することもできる。上で説明された条件の１つが満たされた場合、ＷＴＲＵは、一方の搬送波のみでの１６ＱＡＭまたはＤＰＣＣＨ昇圧を拒否するよう試みることができる。Ｅ−ＴＦＣ制約は、最初に選択された搬送波に対して実行することができる。Ｅ−ＴＦＣ制約が実行される場合、ＷＴＲＵは、１６ＱＡＭまたはＤＰＣＣＨ昇圧を使用してＷＴＲＵに送信させるＥ−ＴＦＣＩの範囲をブロックすることができる。Ｅ−ＴＦＣ制約機能は、以下の基準、すなわち、
（１）すべてのＥ−ＴＦＣＩが、Ｅ−ＴＦＣＩboost以上であること、
（２）すべてのＥ−ＴＦＣＩが、１６ＱＡＭを使用するようにＷＴＲＵをトリガしたＥ−ＴＦＣＩ以上であること。この値は、最初にＷＴＲＵによって計算および決定できる、
（３）ブロッキングのために使用するＥ−ＴＦＣＩを、ネットワークによって設定できること、または
（４）ＷＴＲＵが、一定のビット数（例えば１０００ビット）を上回るすべてのＥ−ＴＦＣＩをブロックすること
の１つまたは組合せを使用して、どのＥ−ＴＦＣＩがブロックされるかを決定することができる。
【０２７４】
Ｅ−ＴＦＣ選択は、許容されるグラントおよびサポートされるＥ−ＴＦＣＩに従って実行され、最初の搬送波は、この値および関連するＥ−ＴＦＣ選択手順に従って、データで満たされる。その後、ＷＴＲＵは、第２の搬送波に進み、第２の搬送波に対してＥ−ＴＦＣ制約を実行する。第２の搬送波に対するＥ−ＴＦＣ制約手順は、上で説明されたように、Ｅ−ＴＦＣＩをブロックすることもできる。第２の搬送波が、サポートされるＥ−ＴＦＣＩおよび許容されるグラントに従って満たされると、ＷＴＲＵは、Ｅ−ＴＦＣ選択手順を停止することができ、またはその代わりに、電力およびグラントがまだ残っている場合は、最初に選択された搬送波に戻ることができる。Ｅ−ＴＦＣ制約が２回目に実行される場合、１６ＱＡＭまたはＤＰＣＣＨ昇圧を利用するＥ−ＴＦＣＩは、通常のＥ−ＴＦＣ制約手順のように、電力によって許容されないことがない限り、ブロックされない。あるいは、ＷＴＲＵは、通常のＥ−ＴＦＣ選択を実行するだけである。ＷＴＲＵは、電力がまだ残っている場合、再び第２の搬送波に戻ることもできる。この手順は、反復Ｅ−ＴＦＣ選択手順を必要とし、複雑さを増すことがある。しかし、上で説明された基準が満たされたときに、この手順が実行される場合、ＷＴＲＵは、反復プロセスを行う必要がないこともある。
【０２７５】
あるいは、Ｅ−ＴＦＣ制約が第２の搬送波に対して実行される場合、ＷＴＲＵは、上で言及されたＥ−ＴＦＣＩのいずれもブロックしないことがある。このように、ＷＴＲＵが十分な電力およびグラントを有する場合、ＷＴＲＵは、より多くのデータを送信することができる。第２の搬送波がこのようにして満たされると、Ｅ−ＴＦＣ選択手順は終了することができ、またはその代わりに、ＷＴＲＵは、電力、グラント、およびデータが残っている場合、最初の搬送波を引き続き満たそうと試みることができる。
【０２７６】
電力不均衡を考慮するための実施形態が、これ以降で説明される。２つの搬送波が、電力の均衡を大きく崩して送信されている場合、電力が小さい方の搬送波のＳＮＲ（信号対雑音比）は、他方の搬送波の存在によって悪化させられることがある。搬送波が（例えば、電力不均衡が原因で）隣接搬送波干渉を被る場合、ノードＢにおいて測定されるＳＩＲは、送信機におけるＳＩＲの低下が原因で、低下させられる。大きな電力不均衡からもたらされる問題は、Ｅ−ＴＦＣ選択およびＥ−ＴＦＣ制約手順の一部として緩和することができる。
【０２７７】
一実施形態によれば、２つの搬送波の間における電力不均衡の発生は、結果の電力不均衡が特定の限界または閾値内に維持されるように、Ｅ−ＴＦＣ制約手順の最中に、１組のサポートされるＥ−ＴＦＣをさらに制約することによって、減少させることができる。これは、例えば、Ｅ−ＴＦＣ制約手順のＮＲＰＭj計算において、有効なＰＭａｘjを低減させることによって達成することができる。
【０２７８】
あるいは、ＷＴＲＵは、Ｅ−ＴＦＣ候補ｊについての以下の式に基づいて、Ｅ−ＴＦＣ選択のために利用可能な正規化残余電力余裕を推定することができ、
ＮＲＰＭj＝（ＰＭａｘj−Ｐimbalance,j−ＰDPCCH,target−ＰDPDCH−ＰHS-DPCCH−ＰE-DPCCH,j）／ＰDPCCH,target  式（４５）
ここで、ＰＭａｘjは、与えられた搬送波についての残余最大電力を表すことが仮定される。ＰＭａｘjは、妥当な場合は、他方の搬送波上で送信されるチャネルの寄与を含むことができる。パラメータＰimbalance,jは、ネットワークによって設定することができ、またはＷＴＲＵによって計算することができる。
【０２７９】
ＷＴＲＵ動作を簡略化するため、電力不均衡状況は、（すべてのチャネルを含む）合計送信電力と他方の搬送波における送信ＤＰＣＣＨ電力との差が閾値（ＰThresh）よりも大きい場合に発生すると考えることができる。ＷＴＲＵは、最初に満たすために搬送波の一方を選択する（搬送波ｘが、優先度が最も高い搬送波（すなわち、最初に満たされる搬送波）に対応し、搬送波ｙが、電力またはグラントが残っている場合に満たされる第２の搬送波に対応する）。
【０２８０】
各Ｅ−ＴＦＣ候補ｊについて、ＷＴＲＵは、搬送波ｚ（ｚは搬送波インデックスｘまたはｙ）のためのＥ−ＴＦＣjについての合計送信電力を以下のように計算することができ、
Ｐtot,z,j＝ＰDPCCH,target z＋ＰHS-DPCCH＋ＰE-DPCCH,z,j＋ＰE-DPDCH,z,j  式（４６）
ＰHS-DPCCHは、搬送波ｚが、アンカー搬送波またはＨＳ−ＤＰＣＣＨが送信される搬送波に対応する場合に考慮される。
【０２８１】
Ｉｆ  ｜Ｐtot,z,j−ＰDPCCH,target k｜＞ＰThresh
Ｔｈｅｎ  Ｐimbalance,j,z＝｜Ｐtot,z,j−ＰDPCCH,target k｜−ＰThresh；
ｅｌｓｅ
Ｐimbalance,j,z＝０
ｋは、ｋ≠ｚの搬送波インデックスである（例えば、ｚが搬送波ｘである場合、ｋは搬送波ｙを表し、その逆も成り立つ）。
【０２８２】
搬送波ｘのためのＮＲＰＭは、以下のように計算される。
ＮＲＰＭj,x＝（ＰＭａｘj,x−ＰDPCCH,target x−ＰDPCCH,target y−ＰDPDCH,x,y−ＰHS-DPCCH,x,y−ＰE-DPCCH,j,x−Ｐimbalancex,j,x）／ＰDPCCH,target_x  式（４７）
【０２８３】
任意選択的に、Ｐimbalance,j,zが０よりも大きく、上記の条件が満たされる場合、Ｐimbalance,j,zを考慮することができる。Ｐimbalance,j,zが０よりも小さい場合、Ｐimbalance,j,zを０に設定することができ、または同等に、ＮＲＰＭ計算において考慮しなくてよい。
【０２８４】
Ｐthreshは、ネットワークによって設定することができ、ＷＴＲＵによって決定することができ、または特定のデバイス設計もしくは要件に基づいて計算することができる。Ｐthreshは、静的な数とすることができ、またはその代わりに、候補Ｅ−ＴＦＣｊに基づいて動的に変化することができる。
【０２８５】
その後、ＷＴＲＵは、搬送波ｘのためのＮＲＰＭに従って、サポートされるＥ−ＴＦＣを選択する。ＮＲＰＭにおいて電力不均衡が考慮されるので、サポートされるＥ−ＴＦＣ（複数可）は、電力不均衡問題が生じないＥ−ＴＦＣを含む。
【０２８６】
搬送波ｘにおいてＥ−ＴＦＣ選択が実行されると、または搬送波ｘにおいて再送が進行中である場合、搬送波ｙについても同じ電力不均衡チェックを実行することができる。搬送波ｘにおいて再送が進行中である場合、搬送波ｘに対してＥ−ＴＦＣ選択は実行されないが、搬送波ｘにおける再送の電力は、搬送波ｙのＥ−ＴＦＣ制約において考慮される。
【０２８７】
より具体的には、ＮＲＰＭj,yは、以下のように計算され、
ＮＲＰＭj,y＝（ＰＭａｘj,y−ＰDPCCH,target x−ＰDPCCH,target y−ＰDPDCH,x,y−ＰHS-DPCCH,x,y−ＰE-DPCCH,x−ＰE-DPDCH,x−ＰE-DPCCH,j,y−Ｐimbalance,j,y）／ＰDPCCH,target y  式（４８）
ここで、Ｐimbalance,j,yは、ｚ＝ｙおよびｋ＝ｘとして、上で説明されたのと同様に計算することができ、ＰE-DPDCH,z,jは、搬送波ｚについて決定されたＥ−ＴＦＣＩjのための推定Ｅ−ＤＰＤＣＨ送信電力である。
【０２８８】
あるいは、ＷＴＲＵは、合計送信電力Ｐtot,yと搬送波ｘにおける合計送信電力Ｐtot,xとの差が閾値Ｐthreshよりも大きい場合、電力不均衡を考慮することができる。
【０２８９】
任意選択的に、搬送波ｘにおいて再送が進行中であり、搬送波ｘにおける電力が搬送波ｙにおいて決定された電力に対して高すぎるか、またはその反対である場合、Ｅ−ＴＦＣ選択は、これを考慮し、パディングによって問題を緩和することができる。この状況は、ＷＴＲＵがバッファ制限され、他方の搬送波において利用可能な十分なグラントおよび電力が存在する場合に、生じることがある。より具体的には、２つの搬送波間の合計電力の差（Ｐdiff）がＰthreshよりも大きい場合、ＷＴＲＵは、その差（Ｐthresh−Ｐdiff）をパディングビットで満たすことができる。
【０２９０】
順次的なＥ−ＴＦＣ制約手順のケースのいくつかの追加的な例が、これ以降で説明される。ＷＴＲＵは、ＴＴＩ毎に両方の搬送波においてＤＰＣＣＨを送信することができる。あるいは、ＷＴＲＵは、一定の条件が満たされた場合は、同じＴＴＩ中に両方の搬送波においてＤＰＣＣＨを送信しないことによって、電力消費を最適化することができる。搬送波の一方においてＥ−ＤＣＨデータが送信されない場合、ＷＴＲＵがその搬送波上でＤＰＣＣＨを送信しないことが役立つことがある。この場合、ＷＴＲＵは、設定されたサイクルに従って、または非活動期間（すなわち、搬送波の一方においてデータが送信されない期間）において、その搬送波上でＤＰＣＣＨを送信することができる。これは、長期間のＤＰＣＣＨサイレンスを回避する。例えば、ｘ個のＴＴＩがサイレンス期間であった後、ＷＴＲＵは、適切な電力制御を可能にするために、ＤＰＣＣＨバーストを送信することができる。
【０２９１】
ＷＴＲＵは、上で説明された搬送波選択の実施形態のうちの１つに従って、最初に処理する搬送波を選択する。搬送波は、ｘおよびｙとして識別され、ｘは、最初に選択される搬送波であり、ｙは、他方の搬送波であり、ｘは、必ずしもアンカー搬送波に対応する必要はない。
【０２９２】
ＷＴＲＵは、ＷＴＲＵがＤＰＣＣＨおよび／またはＨＳ−ＤＰＣＣＨを両方の搬送波上で送信することを求められているか、それとも単一の搬送波上で送信することを求められているかを決定する。ＷＴＲＵは、制御チャネルのいずれかを両方の搬送波上で送信しなければならないかどうかを、以下の、すなわち、ＷＴＲＵが、両方の搬送波上でそのＴＴＩ中に（すなわち、各搬送波上でのＤＴＸサイクルに従って）ＤＰＣＣＨバーストのためにスケジュールされるかどうか、ＷＴＲＵ挙動が、Ｅ−ＤＣＨデータが送信されない場合、もしくはＨＳ−ＤＰＣＣＨがその搬送波上で送信されない場合に、ＷＴＲＵがＤＰＣＣＨを送信しないことを許容するかどうか、ＷＴＲＵが、両方の搬送波上でＨＳ−ＤＰＣＣＨを送信しなければならないかどうか、または上で説明された実施形態のうちの１つに基づいて、ＷＴＲＵがＥ−ＤＣＨデータを送信する一方の搬送波を選択した場合に、残りの搬送波上でＤＰＣＣＨもしくはＨＳ−ＤＰＣＣＨが必要とされるかどうかの１つまたは任意の組合せに基づいて、決定することができる。
【０２９３】
搬送波ｙ上でＤＰＣＣＨまたはＨＳ−ＤＰＣＣＨが必ずしも必要とされないと決定された場合、ＷＴＲＵは、搬送波ｘに対するＥ−ＴＦＣ制約手順を実行することができ、ＮＲＰＭj,xは以下に等しい。
【０２９４】
ＮＲＰＭj,x＝（ＰＭａｘj,x−ＰDPCCH,target x−ＰDPDCH,x−ＰHS-DPCCH,x−ＰE-DPCCH,j,x）／ＰDPCCH,target x  式（４９）
式（４９）において、搬送波ｘにおいてＤＰＤＣＨが許容されない場合、またはＤＰＤＣＨが送信のためにスケジュールされない場合、ＰDPDCH,xは考慮しなくてよい。
【０２９５】
搬送波ｙにおいてＤＰＤＣＨが送信され、搬送波ｘがＥ−ＤＣＨ送信のために最初に選択される場合、以下のようになる。
ＮＲＰＭj,x＝（ＰＭａｘj,x−ＰDPCCH,target x−ＰDPDCH,y−ＰDPCCH,target y−ＰHS-DPCCH,x−ＰE-DPCCH,j,x）／ＰDPCCH,target x  式（５０）
【０２９６】
Ｅ−ＴＦＣ選択およびＥ−ＴＦＣ制約に基づいて、ＷＴＲＵは、上のＮＲＰＭに基づいて決定された利用可能な残余電力、選択された搬送波ｘのために利用可能なサービンググラント、および非スケジュールドグラントに従って、選択された搬送波ｘ上で送信できるビットの数を決定する。その後、搬送波ｘのためのＭＡＣ−ｉ  ＰＤＵを生成することができ、またはＥ−ＴＦＣＩを決定することができる。
【０２９７】
その後、ＷＴＲＵは、搬送波ｙに対してＥ−ＴＦＣ制約手順を実行し、ＮＲＰＭj,yを以下のように決定することができる。
ＮＲＰＭj,y＝（ＰＭａｘj,y−ＰDPCCH,target x−ＰDPDCHx/y−ＰHS-DPCCHx/y−ＰE-DPCCH,j,x−ＰE-DPDCH,x−ＰDPCCH,target y−ＰHS-DPCCHjy−ＰE-DPCCH,j,y−Ｐbackoff）／ＰDPCCH,target y  式（５１）
【０２９８】
Ｐbackoff（最大電力低減）は、式（５１）に示されるように、ＮＲＰＭ計算において明示的に減算することができ、または決定されるＰＭａｘj,yの値において考慮することができ、それについては以下で説明される。その値は、静的な値とすることができ、またはその代わりに、追加的な搬送波において使用される多くのファクタおよびリソースに依存することができる。
【０２９９】
その後、ＷＴＲＵは、搬送波ｙにおいてＥ−ＤＣＨデータが送信できるかどうかを決定することができる。ＷＴＲＵは、ＮＲＰＭｙが、設定された閾値を下回る、Ｅ−ＴＦＣ制約手順から獲得される最も大きなサポートされるＥ−ＴＦＣが、最小Ｅ−ＴＦＣセットの最も大きなＥ−ＴＦＣ以下である、（Ｅ−ＴＦＣ制約手順から）決定された「サポートされる最大ペイロード」が、設定された閾値を下回る、搬送波ｙのための残余のスケジュールドグラントペイロードとサポートされる最大ペイロードの間の最小値が、設定もしくは事前決定された閾値を下回る、および／または搬送波ｙのための残余のスケジュールドグラントペイロードが、設定もしくは事前決定された閾値を下回るなどの条件の１つまたは組合せのもとで、搬送波ｙ上でＥ−ＤＣＨを送信しないことを決定することができる。ＷＴＲＵが新しい搬送波においてＥ−ＤＣＨを送信する場合、そのＴＴＩ中に、ＤＰＣＣＨ送信も行わなければならない。
【０３００】
搬送波ｙ上でＤＰＤＣＨおよび／またはＨＳ−ＤＰＣＣＨが送信される必要があると、ＷＴＲＵが決定した場合、ＮＲＰＭj,xを求める以下の計算を実行することができる。
ＮＲＰＭj,x＝（ＰＭａｘj,x−ＰDPCCH,target x−ＰDPDCH,x−ＰHS-DPCCH,x−ＰE-DPCCH,j,x−ＰDPDCH,y−ＰHS-DPCCH,y−Ｐbackoff）／ＰDPCCH,target x  式（５２）
【０３０１】
上記の式（５２）は、Ｅ−ＴＦＣ制約の一部として決定される、サポートされる最大ペイロードｘに影響する。式（５２）のＮＲＰＭj,xの公式は、両方のケースについて使用することができ、ＤＰＣＣＨまたはＨＳ−ＤＰＣＣＨは送信されていないとＷＴＲＵが決定した場合、対応する電力は考慮されない。Ｐbackoffは、（例えば、送信機において線形性を維持するための電力制約に起因する）ＷＴＲＵが両方の搬送波上で送信を行う場合にもたらされる追加的な電力損失に対応する。この値は、定数とすることができ、または他のファクタに依存することができる。上で説明されたＮＲＰＭ計算は、手順が実行されているＴＴＩが圧縮モードギャップに対応する場合、しかるべくスケーリングされる。
【０３０２】
搬送波の一方（すなわち、搬送波ｘ）において再送が進行中である場合、残りの搬送波ｙに対してＥ−ＴＦＣ選択およびＥ−ＴＦＣ制約が行われ、以下のようになる。
ＮＲＰＭj,y＝（ＰＭａｘj,y−ＰDPCCH,target x−ＰDPDCH,x/y−ＰHS-DPCCH,x/y−ＰE-DPCCH,j,x−ＰE-DPDCH,j,x−ＰDPCCH,target y−ＰHS-DPCCH,y−ＰE-DPDCH,j,y−Ｐbackoff）／ＰDPCCH,target y  式（５３）
【０３０３】
実施形態
【０３０４】
１．複数のアップリンク搬送波を使用するアップリンク送信のためにＷＴＲＵにおいて実施される方法。
【０３０５】
２．あるＴＴＩ中に送信される優先度が最も高いＭＡＣ−ｄフローを選択するステップを含む実施形態１に記載の方法。
【０３０６】
３．複数のアップリンク搬送波の中からアップリンク搬送波を選択するため、およびサポートされる最大ペイロード、残余のスケジュールドグラントペイロード、または残余の非スケジュールドグラントペイロードのうちの少なくとも１つに基づいて、少なくとも１つの新しいＥ−ＤＣＨ送信のためのＥ−ＴＦＣを選択するために、アップリンク搬送波選択、およびＥ−ＴＦＣ選択を実行するステップを含む実施形態２に記載の方法。
【０３０７】
４．選択されたＥ−ＴＦＣに基づいて、選択されたアップリンク搬送波を介したＥ−ＤＣＨ送信のために、ＭＡＣ  ＰＤＵを生成するステップを含む実施形態３に記載の方法。
【０３０８】
５．Ｅ−ＴＦＣ選択が、複数の新しいＥ−ＤＣＨ送信のために、一度に１つの搬送波に対して順番に実行される、実施形態３〜４のいずれか１つに記載の方法。
【０３０９】
６．優先度が最も高いＭＡＣ−ｄフローは、アップリンク搬送波毎に順番に決定される、実施形態３〜５のいずれか１つに記載の方法。
【０３１０】
７．ＷＴＲＵが電力制限されるかどうかを決定するステップをさらに含む実施形態３〜６のいずれか１つに記載の方法。
【０３１１】
８．ＷＴＲＵが電力制限されるならば、アップリンク搬送波の間で電力割り当てを実行するステップを含む実施形態７に記載の方法。
【０３１２】
９．ＳＧに基づいてすべてのアップリンク搬送波上でスケジュールド送信を送信するのに必要とされる電力、および非スケジュールド送信のために必要とされる電力が、ＷＴＲＵの最大許容送信電力を超過するならば、ＷＴＲＵは、ＷＴＲＵが電力制限されると決定する、実施形態７〜８のいずれか１つに記載の方法。
【０３１３】
１０．ＷＴＲＵは、アップリンク搬送波の間で、サービンググラントに従って比例的に、利用可能な電力を割り当てる、実施形態７〜９のいずれか１つに記載の方法。
【０３１４】
１１．スケジュールドグラントを処理する前に、非スケジュールド送信のための電力が事前に割り当てられる、実施形態１０に記載の方法。
【０３１５】
１２．非スケジュールド送信のために必要とされる電力は、ＴＴＩ中に利用可能なデータを有して送信することが許可された非スケジュールドＭＡＣ−ｄフロー、最大で許可された非スケジュールドＭＡＣ−ｄフローのための非スケジュールドグラントまでを送信するのに必要とされる電力、または設定された非スケジュールドグラントと非スケジュールドＭＡＣ−ｄフロー内の利用可能なデータとの小さい方のうちの少なくとも１つに基づいて決定される、実施形態１０〜１１のいずれか１つに記載の方法。
【０３１６】
１３．ＷＴＲＵは、搬送波がプライマリ搬送波であるか、それともセカンダリ搬送波であるか、電力ヘッドルーム、サービンググラント、搬送波が非スケジュールド送信を有するかどうかのうちの少なくとも１つに基づいて、どのアップリンク搬送波を最初に選択するかを決定する、実施形態３〜１２のいずれか１つに記載の方法。
【０３１７】
１４．すべてのアップリンク搬送波についてのＤＰＣＣＨ電力のために必要とされる電力、Ｅ−ＴＦＣ選択が実行されているアップリンク搬送波についてのＥ−ＤＰＣＣＨのために必要とされる電力、再送のためのＥ−ＤＰＤＣＨおよびＥ−ＤＰＣＣＨのために必要とされる電力を減算することによって、Ｅ−ＤＣＨ再送のための搬送波選択およびＥ−ＴＦＣ選択を実行するステップをさらに含む実施形態２〜１３のいずれか１つに記載の方法。
【０３１８】
１５．複数の新しいＥ−ＤＣＨ送信のためのＥ−ＴＦＣ選択が、複数のアップリンク搬送波に対して並列に実行される、実施形態３〜１４のいずれか１つに記載の方法。
【０３１９】
１６．Ｅ−ＴＦＣ制約のための正規化残余電力余裕が、Ｅ−ＤＣＨおよびＤＰＣＣＨ送信のために各アップリンク搬送波に割り当てられる電力、各搬送波についてのスケジュールドＥ−ＤＣＨ送信のために各搬送波に割り当てられる電力と、各搬送波についての非スケジュールド送信およびＤＰＣＣＨ送信のための電力とを加えた電力、またはＥ−ＤＣＨ送信のためにすべての搬送波上で共有される電力のうちの少なくとも１つに基づいて計算される、実施形態１５に記載の方法。
【０３２０】
１７．正規化残余電力余裕は、係数をＤＰＣＣＨ電力に乗じることによって計算される、
実施形態１６に記載の方法。
【０３２１】
１８．残余のスケジュールドグラントペイロードは、実際のグラントまたは仮想のグラントに基づいて決定される、実施形態３〜１７のいずれか１つに記載の方法。
【０３２２】
１９．複数のアップリンク搬送波を使用するアップリンク送信のためのＷＴＲＵ。
【０３２３】
２０．複数のアップリンク搬送波を介して送信するように構成された送信機を備える実施形態１９に記載のＷＴＲＵ。
【０３２４】
２１．少なくとも１つのダウンリンク搬送波を介して受信するように構成された受信機を備える実施形態１９〜２０のいずれか１つに記載のＷＴＲＵ。
【０３２５】
２２．あるＴＴＩ中に送信される中で優先度が最も高いＭＡＣ−ｄフローを選択し、複数のアップリンク搬送波の中からアップリンク搬送波を選択するため、およびサポートされる最大ペイロード、残余のスケジュールドグラントペイロード、または残余の非スケジュールドグラントペイロードのうちの少なくとも１つに基づいて、少なくとも１つの新しいＥ−ＤＣＨ送信のためのＥ−ＴＦＣを選択するために、アップリンク搬送波選択、およびＥ−ＴＦＣ選択を実行し、選択されたＥ−ＴＦＣに基づいて、選択されたアップリンク搬送波を介したＥ−ＤＣＨ送信のために、ＭＡＣ  ＰＤＵを生成するように構成されたプロセッサを備える実施形態１９〜２０のいずれか１つに記載のＷＴＲＵ。
【０３２６】
２３．プロセッサは、複数の新しいＥ−ＤＣＨ送信のために、Ｅ−ＴＦＣ選択を一度に１つの搬送波に対して順番に実行するように構成される、実施形態２２に記載のＷＴＲＵ。
【０３２７】
２４．プロセッサは、優先度が最も高いＭＡＣ−ｄフローをアップリンク搬送波毎に順番に決定するように構成される、実施形態２２〜２３のいずれか１つに記載のＷＴＲＵ。
【０３２８】
２５．プロセッサは、ＷＴＲＵが電力制限されるかどうかを決定し、ＷＴＲＵが電力制限されるならば、アップリンク搬送波の間で電力割り当てを実行するように構成される、実施形態２２〜２４のいずれか１つに記載のＷＴＲＵ。
【０３２９】
２６．プロセッサは、ＳＧに基づいてすべてのアップリンク搬送波上でスケジュールド送信を送信するのに必要とされる電力、および非スケジュールド送信のために必要とされる電力が、ＷＴＲＵの最大許容送信電力を超過するならば、ＷＴＲＵが電力制限されると決定するように構成される、実施形態２２〜２５のいずれか１つに記載のＷＴＲＵ。
【０３３０】
２７．プロセッサは、アップリンク搬送波の間で、サービンググラントに従って比例的に、利用可能な電力を割り当てるように構成される、実施形態２６に記載のＷＴＲＵ。
【０３３１】
２８．プロセッサは、スケジュールドグラントを処理する前に、非スケジュールド送信のための電力を事前に割り当てるように構成される、実施形態２７に記載のＷＴＲＵ。
【０３３２】
２９．プロセッサは、非スケジュールド送信のために必要とされる電力を、ＴＴＩ中に利用可能なデータを有して送信することが許可された非スケジュールドＭＡＣ−ｄフロー、最大で許可された非スケジュールドＭＡＣ−ｄフローのための非スケジュールドグラントまでを送信するのに必要とされる電力、または設定された非スケジュールドグラントと非スケジュールドＭＡＣ−ｄフロー内の利用可能なデータとの小さい方のうちの少なくとも１つに基づいて決定するように構成される、実施形態２７〜２８のいずれか１つに記載のＷＴＲＵ。
【０３３３】
３０．プロセッサは、搬送波がプライマリ搬送波であるか、それともセカンダリ搬送波であるか、電力ヘッドルーム、サービンググラント、搬送波が非スケジュールド送信を有するかどうかのうちの少なくとも１つに基づいて、どのアップリンク搬送波を最初に選択するかを決定するように構成される、実施形態２２〜２９のいずれか１つに記載のＷＴＲＵ。
【０３３４】
３１．プロセッサは、すべてのアップリンク搬送波についてのＤＰＣＣＨ電力のために必要とされる電力、Ｅ−ＴＦＣ選択が実行されているアップリンク搬送波についてのＥ−ＤＰＣＣＨのために必要とされる電力、再送のためのＥ−ＤＰＤＣＨおよびＥ−ＤＰＣＣＨのために必要とされる電力を減算した後で、Ｅ−ＤＣＨ再送のための搬送波選択およびＥ−ＴＦＣ選択を実行するように構成される、実施形態２２〜３０のいずれか１つに記載のＷＴＲＵ。
【０３３５】
３２．プロセッサは、複数の新しいＥ−ＤＣＨ送信のためのＥ−ＴＦＣ選択を、複数のアップリンク搬送波に対して並列に実行するように構成される、実施形態２２〜３１のいずれか１つに記載のＷＴＲＵ。
【０３３６】
３３．プロセッサは、Ｅ−ＴＦＣ制約のための正規化残余電力余裕を、Ｅ−ＤＣＨおよびＤＰＣＣＨ送信のために各アップリンク搬送波に割り当てられる電力、各搬送波についてのスケジュールドＥ−ＤＣＨ送信のために各搬送波に割り当てられる電力と、各搬送波についての非スケジュールド送信およびＤＰＣＣＨ送信のための電力とを加えた電力、またはＥ−ＤＣＨ送信のためにすべての搬送波上で共有される電力のうちの少なくとも１つに基づいて計算するように構成される、実施形態３２に記載のＷＴＲＵ。
【０３３７】
３４．プロセッサは、正規化残余電力余裕を、係数をＤＰＣＣＨ電力に乗じることによって計算するように構成される、実施形態３３に記載のＷＴＲＵ。
【０３３８】
３５．プロセッサは、残余のスケジュールドグラントペイロードを、実際のグラントまたは仮想のグラントに基づいて決定するように構成される、実施形態２２〜３４のいずれか１つに記載のＷＴＲＵ。
【０３３９】
上では機能および要素が特定の組合せで説明されたが、各機能または要素は、他の機能および要素を伴わずに単独で、または他の機能および要素を伴ってもしくは伴わずに様々な組合せで使用することができる。本明細書で提供された方法およびフローチャートは、汎用コンピュータまたはプロセッサによって実行するための、コンピュータ可読記憶媒体内に含まれるコンピュータプログラム、ソフトウェア、またはファームウェアで実施することができる。コンピュータ可読記憶媒体の例は、ＲＯＭ（リードオンリメモリ）、ＲＡＭ（ランダムアクセスメモリ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびＤＶＤ（デジタル多用途ディスク）などの光媒体を含む。
【０３４０】
適切なプロセッサは、例えば、汎用プロセッサ、専用プロセッサ、従来型プロセッサ、ＤＳＰ（デジタル信号プロセッサ）、複数のマイクロプロセッサ、ＤＳＰコアと連携する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態機械を含む。
【０３４１】
ソフトウェアと連携するプロセッサは、ＷＴＲＵ（ワイヤレス送受信ユニット）、ＵＥ（ユーザ機器）、端末、基地局、ＲＮＣ（無線ネットワークコントローラ）、または任意のホストコンピュータで使用するための、無線周波数トランシーバを実施するために使用することができる。ＷＴＲＵは、センサネットワークまたはマシン対マシンネットワーク環境などの自律的な環境で使用することができ、あるいはＷＴＲＵは、カメラ、ビデオカメラモジュール、テレビ電話、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（ワイヤレスローカルエリアネットワーク）もしくはＵＷＢ（超広帯域）モジュールなど、ハードウェアおよび／またはソフトウェアで実施される他のモジュールと併せて使用することができる。
【図１】
0005427893.tif 000013
【図２】
0005427893.tif 000014
【図３】
0005427893.tif 000015
【図４】
0005427893.tif 000016
【図５】
0005427893.tif 000017
【図６】
0005427893.tif 000018
【図７】
0005427893.tif 000019
【図８】
0005427893.tif 000020
【図９】
0005427893.tif 000021
【図１０】
0005427893.tif 000022
【図１１】
0005427893.tif 000023